(57)【特許請求の範囲】
【請求項１】
複数のリールと、
前記複数のリールを構成するリールごとに１対１の対応関係で設けられ、停止可能状態で操作されることで、回転している対応リールが停止する停止操作手段と、
前記複数のリールを構成するリールごとに１対１の対応関係で設けられ、回転している対応リールが前記停止可能状態であることの報知を実行可能な報知手段と、
前記複数のリールを構成するリールごとに対して実行される回転制御について、停止状態から定速状態へ移行させる加速制御、該定速状態を維持する定速制御、および該定速状態から該停止状態へ移行させるブレーキ制御を実行可能に構成されたリール制御手段と、を備え、
前記複数のリールを構成するリールは、前記停止操作手段が操作されても、前記加速制御が実行されている場合には、停止不能なものであり、
前記リール制御手段は、前記停止可能状態に移行してから前記ブレーキ制御を実行可能な手段であり、
前記複数のリールを構成するリールごとに、停止不能状態から前記停止可能状態に移行可能であり、
前記報知手段は、前記複数のリール全てが前記停止不能状態から前記停止可能状態に移行しなければ前記報知を実行しないものであり、
前記報知手段は、前記複数のリール全てが前記停止不能状態から前記停止可能状態に移行すると、回転する該複数のリール全てについて前記報知を実行するものである、
ことを特徴とする遊技台。
【請求項２】
請求項１に記載の遊技台であって、
前記停止不能状態とは、リールの停止位置を制御不能な状態のことであり、
前記停止可能状態とは、前記定速状態においてリールの停止位置を制御可能な状態のことである、
ことを特徴とする遊技台。
【請求項３】
請求項１又は２に記載の遊技台であって、
前記複数のリールを構成する一のリールは、第一のリールであり、
前記複数のリールを構成する一のリールは、第二のリールであり、
第一の場合に、前記第一のリールが、前記第二のリールよりも先に、前記停止不能状態から前記停止可能状態に移行する、
ことを特徴とする遊技台。
【請求項４】
請求項３に記載の遊技台であって、
前記第一の場合とは、前記リール制御手段が、前記第二のリールの停止位置を制御可能な状態に移行するよりも先に、前記第一のリールの停止位置を制御可能な状態に移行した場合のことである、
ことを特徴とする遊技台。
【請求項５】
請求項３又は４に記載の遊技台であって、
前記第一のリールは、回転方向に沿って複数種類の図柄が施されたリールであり、
前記第二のリールも、回転方向に沿って複数種類の図柄が施されたリールであり、
前記第一のリールの停止位置を制御可能な状態とは、前記リール制御手段が、該第一のリールに施された前記複数種類の図柄の停止表示の位置を識別するための第一の検出信号を受信した状態のことであり、
前記第二のリールの停止位置を制御可能な状態とは、前記リール制御手段が、該第二のリールに施された前記複数種類の図柄の停止表示の位置を識別するための第二の検出信号を受信した状態のことである、
ことを特徴とする遊技台。
【請求項６】
請求項５に記載の遊技台であって、
前記リール制御手段が前記複数のリール全てについて前記定速制御を実行している状態で前記第一の検出信号を受信した場合に、前記第一のリールが前記停止不能状態から前記停止可能状態に移行する、
ことを特徴とする遊技台。
【請求項７】
請求項３乃至６のうちいずれか１項に記載の遊技台であって、
前記第一の場合の後に、前記第一のリールの前記ブレーキ制御が開始されず前記第二のリールの該ブレーキ制御も開始されていない状態で電断復電が生じた場合に、該第二のリールが、該第一のリールよりも先に、前記停止不能状態から前記停止可能状態に移行する場合がある、
ことを特徴とする遊技台。
【発明の詳細な説明】
【技術分野】
【０００１】
本発明は、回胴遊技機（スロットマシン）や弾球遊技機（パチンコ機）に代表される遊技台に関する。
【背景技術】
【０００２】
従来、遊技台の一つとして、例えば、スロットマシンが知られている。このスロットマシンは、所定の数の遊技媒体を使用し、かつスタートレバーが操作されることで、複数ある役の中から内部当選役を決定する抽選を行うとともに、複数あるリールを回転させ、決定された内部当選役とストップボタンの操作結果に基づいてリールを停止させ、停止されたリールの態様によって入賞したと判定された役に応じた利益を付与するように構成されている。
【０００３】
このようなスロットマシンでは、複数のリールごとに検出片とインデックスセンサが設けられており、検出片はリールとともに回転し、検出片はインデックスセンサによって検出される。複数のリールの全てが定速になった状態で、全てのリールの検出片がインデックスセンサによって検出されたことによって、リール停止条件が成立し、ストップボタンの操作を受けてリールは停止可能になる（例えば、特許文献１）。リール停止条件が成立するまでは、遊技者がストップボタンを操作してもリールは停止しない。
【先行技術文献】
【特許文献】
【０００４】
【特許文献１】特開２０１６−３０１５９号公報
【発明の概要】
【発明が解決しようとする課題】
【０００５】
遊技者は、ウェイトの期間が経過するまで、次遊技を開始することができず、次遊技をやっと開始することができても、リール停止条件が成立するまで再び待たなければならない場合があり、遊技者はストレスを感じる場合がある。
【０００６】
本発明は上記事情に鑑み、遊技者のストレスを低減することができる遊技台を提供することを目的とする。
【課題を解決するための手段】
【０００７】
上記課題を解決するため、本発明の遊技台は、
複数のリールと、
前記複数のリールを構成するリールごとに１対１の対応関係で設けられ、停止可能状態で操作されることで、回転している対応リールが停止する停止操作手段と、
前記複数のリールを構成するリールごとに１対１の対応関係で設けられ、回転している対応リールが前記停止可能状態であることの報知を実行可能な報知手段と、
前記複数のリールを構成するリールごとに対して実行される回転制御について、停止状態から定速状態へ移行させる加速制御、該定速状態を維持する定速制御、および該定速状態から該停止状態へ移行させるブレーキ制御を実行可能に構成されたリール制御手段と、を備え、
前記複数のリールを構成するリールは、前記停止操作手段が操作されても、前記加速制御が実行されている場合には、停止不能なものであり、
前記リール制御手段は、前記停止可能状態に移行してから前記ブレーキ制御を実行可能な手段であり、
前記複数のリールを構成するリールごとに、停止不能状態から前記停止可能状態に移行可能であり、
前記報知手段は、前記複数のリール全てが前記停止不能状態から前記停止可能状態に移行しなければ前記報知を実行しないものであり、
前記報知手段は、前記複数のリール全てが前記停止不能状態から前記停止可能状態に移行すると、回転する該複数のリール全てについて前記報知を実行するものである、
ことを特徴とする。
【発明の効果】
【０００８】
本発明の遊技台によれば、遊技者のストレスを低減することができる。
【図面の簡単な説明】
【０００９】
【図１】本実施形態に係るスロットマシンの外観を示す斜視図である。
【図２】本実施形態に係るスロットマシンの図柄表示窓の表示領域と入賞ラインとの関係を示した図である。
【図３】本実施形態に係るスロットマシンの制御部の回路ブロック図である。
【図４】（ａ）は、本実施形態に係るスロットマシンの各リールに施される図柄の配列を表面的に展開して示した図、及び図柄番号カウンタと図柄間隔カウンタの関係を示す図であり、（ｂ）は、入賞役（作動役を含む）の種類、各入賞役に対応する図柄組合せ、各入賞役の作動または払出を示す図である。
【図５】本実施形態に係るスロットマシンのリール回転装置の外観を示す分解斜視図である。
【図６】本実施形態に係るスロットマシンのリール回転装置を構成するリール駆動ユニットの分解斜視図である。
【図７】本実施形態に係るスロットマシンのリール駆動ユニットを組み立てた状態を示す略示側面図及び略示正面図である。
【図８】本実施形態に係るスロットマシンのリールに用いられるステッピングモータの分解斜視図である。
【図９】図８に示すステッピングモータのステータの磁極配置を示す図である。
【図１０】本実施形態に係るステッピングモータを励磁する励磁テーブルの内容を示す表である。
【図１１】本実施形態の回転制御テーブルの内容を示す表である。
【図１２】本実施形態に係るスロットマシンの主制御部メイン処理の流れを示すフローチャートである。
【図１３】図１２に示すステップＳ１０３の入賞役内部抽選処理の流れを詳しく示すフローチャートである。
【図１４】図１２に示すステップＳ１０５のリール回転開始処理の流れを詳しく示すフローチャートである。
【図１５】主制御部タイマ割込処理の流れを示すフローチャートである。
【図１６】図１５に示すステップＳ２０７のストップボタン表示制御処理の流れを詳しく示すフローチャートである。
【図１７】図１５に示すステップＳ２０８のリール回転制御処理の流れを詳しく示すフローチャートである。
【図１８】図１７に示すステップＳ２０８ｇのリール制御判定処理の流れを詳しく示すフローチャートである。
【図１９】図１８に示すステップＳ３０６の加速制御処理の流れを詳しく示すフローチャートである。
【図２０】図１８に示すステップＳ３０８の第一定速制御処理を詳しく示すフローチャートである。
【図２１】図１８に示すステップＳ３１０の第二定速制御処理を詳しく示すフローチャートである。
【図２２】図１７に示すステップＳ２０８ｄのストップボタン受付処理を詳しく示すフローチャートである。
【図２３】図２２に示すステップＳ２０８ｄ５の引込みカウンタ設定処理を詳しく示すフローチャートである。
【図２４】図１８に示すステップＳ３１３の引込み制御処理を詳しく示すフローチャートである。
【図２５】図１８に示すステップＳ３１２のブレーキ制御処理を詳しく示すフローチャートである。
【図２６】（ａ）は本実施形態に係るスロットマシンの第１副制御部メイン処理、（ｂ）は第１副制御部コマンド入力処理、（ｃ）は第１副制御部コマンド受信割込処理、及び（ｄ）は第１副制御部タイマ割込処理それぞれの流れを示すフローチャートである。
【図２７】従来における、３つのリールの状態変化と、インデックスセンサにおける、各リールに設けられた遮光片の検出状態の変化と、各リールに対応したストップボタンの操作受付可能状態の変化と、各ストップボタンに内蔵された発光体の発光態様の変化を示すタイミングチャートである。
【図２８】本実施形態における、各リール１１０〜１１２の状態変化と、それぞれの遮光片の検出状態の変化と、各ストップボタン１３７〜１３９の操作受付可能状態の変化と、各ストップボタンＬＥＤ１３７ａ〜１３９ａの発光態様の変化を示すタイミングチャートである。
【図２９】本実施形態におけるスロットマシン１００において回転する右リールにステップアウトが発生した場合のタイミングチャートである。
【図３０】本実施形態におけるスロットマシン１００においてステップアウトが発生して再加速前にストップボタンが操作された場合のタイミングチャートである。
【図３１】本実施形態におけるスロットマシン１００において第二定速制御の実行中に電断復電が発生した場合のタイミングチャートである。
【図３２】本実施形態におけるスロットマシン１００においてストップボタンＬＥＤが第２発光態様に変化する前にストップボタンの操作が受け付けられた場合のタイミングチャートである。
【図３３】本実施形態におけるスロットマシン１００において遮光片を検出してから最短コマ数で停止させた場合のタイミングチャートである。
【図３４】各タイミングにおける左リールの状態を示す図である。
【図３５】本実施形態におけるスロットマシン１００において演出装置でリールに関する演出を行った場合のタイミングチャートである。
【図３６】演出装置における第１演出の例を示す図である。
【図３７】本実施形態におけるスロットマシン１００において、３つのストップボタン１３７〜１３９に対してスライドプッシュの操作を行ったが一部の操作しか受け付けられなかった場合のタイミングチャートである。
【図３８】本実施形態におけるスロットマシン１００において、３つのストップボタン１３７〜１３９に対して行ったスライドプッシュの操作が全て受け付けられた場合のタイミングチャートである。
【図３９】本実施形態におけるスロットマシン１００において、疑似遊技が行われてから本遊技が行われた場合のタイミングチャートである。
【図４０】本実施形態におけるスロットマシン１００において、リールアクションが行われてから本遊技が行われた場合のタイミングチャートである。
【図４１】特定の図柄組合せを構成する図柄の相対的位置関係を図柄表示窓１１３を基準に表した図である。
【図４２】本実施形態におけるスロットマシン１００において、３つのストップボタン１３７〜１３９に対して同時押しの操作を行ったが一部の操作しか受け付けられなかった場合のタイミングチャートである。
【図４３】本実施形態におけるスロットマシン１００において、３つのストップボタン１３７〜１３９に対して行った同時押しの操作が全て受け付けられた場合のタイミングチャートである。
【図４４】本実施形態におけるスロットマシン１００において、疑似遊技中に同時押しが行われた場合のタイミングチャートである。
【発明を実施するための形態】
【００１０】
以下、本発明の実施の形態について図面を用いて説明する。
＜全体構成＞
図１は、本発明の一実施形態に係るスロットマシン１００の外観斜視図である。スロットマシン１００は、メダルの投入により遊技が開始され、遊技の結果によりメダルが払い出されるものである。
【００１１】
図１に示すスロットマシン１００は、本体１０１と、本体１０１の正面に取付けられ、本体１０１に対して開閉可能な前面扉１０２と、を備える。本体１０１の中央内部には、（図１において図示省略）外周面に複数種類の図柄が配置されたリールが３個（左リール１１０、中リール１１１、右リール１１２）収納され、スロットマシン１００の内部で回転できるように構成されている。これらのリール１１０〜１１２はステッピングモータ等の駆動手段により回転駆動される。
【００１２】
本実施形態において、各図柄は帯状部材に等間隔で適当数印刷され、この帯状部材が所定の円形筒状の枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。つまり、各リール１１０〜１１２は複数種類の図柄の組合せを変動可能に表示する表示手段として機能する。なお、このような表示手段としてはリール以外にも液晶表示装置等の電子画像表示装置も採用できる。また、本実施形態では、３個のリールをスロットマシン１００の中央内部に備えているが、リールの数やリールの設置位置はこれに限定されるものではない。
【００１３】
各々のリール１１０〜１１２の背面には、図柄表示窓１１３に表示される個々の図柄を照明するためのバックライト（図示省略）が配置されている。バックライトは、各々の図柄ごとに遮蔽されて個々の図柄を均等に照射できるようにすることが望ましい。なお、スロットマシン１００内部において各々のリール１１０〜１１２の近傍には、投光部と受光部から成る光学式センサ（図示省略）が設けられており、この光学式センサの投光部と受光部の間をリールに設けられた一定の長さの遮光片が通過するように構成されている。このセンサの検出結果に基づいてリール上の図柄の回転方向の位置を判断し、目的とする図柄が入賞ライン上に表示されるようにリール１１０〜１１２を停止させる。
【００１４】
入賞ライン表示ランプ１２０は、有効となる入賞ラインを示すランプである。有効となる入賞ラインは、遊技媒体としてベットされたメダルの数によって予め定まっている。入賞ラインは５ラインあり、例えば、メダルが１枚ベットされた場合、中段の水平入賞ラインが有効となり、メダルが２枚ベットされた場合、上段水平入賞ラインと下段水平入賞ラインが追加された３本が有効となり、メダルが３枚ベットされた場合、右下り入賞ラインと右上り入賞ラインが追加された５ラインが入賞ラインとして有効になる。なお、入賞ラインの数については５ラインに限定されるものではなく、また、例えば、メダルが１枚ベットされた場合に、中段の水平入賞ライン、上段水平入賞ライン、下段水平入賞ライン、右下り入賞ラインおよび右上り入賞ラインの５ラインを入賞ラインとして有効としてもよい。以下、有効となる入賞ラインを有効ラインと呼ぶ場合がある。
【００１５】
図２は、図柄表示窓１１３の９つの表示領域１〜９と、上述の５本の入賞ラインとの関係を示した図である。本実施形態では、表示領域１、４、７によって構成される上段水平入賞ライン（水平入賞ラインＬ２）、表示領域２、５、８によって構成される中段水平入賞ライン（水平入賞ラインＬ１）、表示領域３、６、９によって構成される下段水平入賞ライン（水平入賞ラインＬ３）、表示領域３、５、７によって構成される右上がり入賞ライン（対角入賞ラインＬ４）、表示領域１、５、９によって構成される右下がり入賞ライン（対角入賞ラインＬ５）の５本の入賞ラインがある。
【００１６】
告知ランプ１２３は、例えば、後述する内部抽選において特定の入賞役（具体的には、ボーナス）に内部当選していること、または、ボーナス遊技中であることを遊技者に知らせるランプである。遊技メダル投入可能ランプ１２４は、遊技者が遊技メダルを投入可能であることを知らせるためのランプである。再遊技ランプ１２２は、前回の遊技において入賞役の一つである再遊技に入賞した場合に、今回の遊技が再遊技可能であること（メダルの投入が不要であること）を遊技者に知らせるランプである。リールパネルランプ１２８は演出用のランプである。
【００１７】
メダル投入ボタン１３０〜１３２は、スロットマシン１００に電子的に貯留されているメダル（クレジットと言う）を所定の枚数分投入するためのボタンである。本実施形態においては、メダル投入ボタン１３０が押下される毎に１枚ずつ最大３枚まで投入され、メダル投入ボタン１３１が押下されると２枚投入され、メダル投入ボタン１３２が押下されると３枚投入されるようになっている。以下、メダル投入ボタン１３２はＭＡＸメダル投入ボタンとも言う。なお、遊技メダル投入ランプ１２９は、投入されたメダル数に応じた数のランプを点灯させ、規定枚数のメダルの投入があった場合、遊技の開始操作が可能な状態であることを知らせる遊技開始ランプ１２１が点灯する。
【００１８】
メダル投入口１４１は、遊技を開始するに当たって遊技者がメダルを投入するための投入口である。すなわち、メダルの投入は、メダル投入ボタン１３０〜１３２により電子的に投入することもできるし、メダル投入口１４１から実際のメダルを投入（投入操作）することもでき、投入とは両者を含む意味である。貯留枚数表示器１２５は、スロットマシン１００に電子的に貯留されているメダルの枚数を表示するための表示器である。遊技情報表示器１２６は、各種の内部情報（例えば、ボーナス遊技中のメダル払出枚数）を数値で表示するための表示器である。払出枚数表示器１２７は、何らかの入賞役に入賞した結果、遊技者に払出されるメダルの枚数を表示するための表示器である。本実施形態においては、貯留枚数表示器１２５、遊技情報表示器１２６、および払出枚数表示器１２７は７セグメント（ＳＥＧ）表示器で構成されている。
【００１９】
スタートレバー１３５は、リール１１０〜１１２の回転を開始させるためのレバー型のスイッチである。即ち、メダル投入口１４１に所望するメダル枚数を投入するか、メダル投入ボタン１３０〜１３２を操作して、スタートレバー１３５を操作すると、リール１１０〜１１２が回転を開始することとなる。スタートレバー１３５に対する操作を遊技の開始操作と言う。
【００２０】
ストップボタンユニット１３６には、ストップボタン１３７〜１３９が設けられている。ストップボタン１３７〜１３９は、スタートレバー１３５の操作によって回転を開始したリール１１０〜１１２を個別に停止させるためのボタン型のスイッチであり、各リール１１０〜１１２に対応づけられている。以下、ストップボタン１３７〜１３９に対する操作を停止操作と言い、最初の停止操作を第１停止操作、次の停止操作を第２停止操作、最後の停止操作を第３停止操作という。また、第１停止操作の対象となるリールを第１停止リール、第２停止操作の対象となるリールを第２停止リール、第３停止操作の対象となるリールを第３停止リールという。なお、各ストップボタン１３７〜１３９の内部には発光体１３７ａ〜１３９ａが設けられており、ストップボタン１３７〜１３９の操作が可能である場合、該発光体１３７ａ〜１３９ａを点灯させて遊技者に知らせる。すなわち、発光体１３７ａ〜１３９ａは、ストップボタン１３７〜１３９ごとに、停止操作が受け付けられる状態であること、言い換えれば、リールごとに、リールの回転を停止することができる状態であることを報知するものである。各発光体１３７ａ〜１３９ａは、例えば、ＬＥＤであり、複数の発光態様（例えば、点滅、消灯、第１色での発光、第２色での発光、色は連続的に変化させながらの発光等）で動作することができる。
【００２１】
メダル返却ボタン１３３は、投入されたメダルが詰まった場合に押下してメダルを取り除くためのボタンである。精算ボタン１３４は、スロットマシン１００に電子的に貯留されたメダル、ベットされたメダルを精算し、メダル払出口１５５から排出するためのボタンである。ドアキー孔１４０は、スロットマシン１００の前面扉１０２のロックを解除するためのキーを挿入する孔である。メダル払出口１５５は、メダルを払出すための払出口である。
【００２２】
ストップボタンユニット１３６の下部には、機種名の表示と各種証紙の貼付とを行うタイトルパネル１６２が設けられている。タイトルパネル１６２の下部には、メダル払出口１５５、メダルの受皿１６１が設けられている。
【００２３】
音孔１８１はスロットマシン１００内部に設けられているスピーカの音を外部に出力するための孔である。前面扉１０２の左右各部に設けられたサイドランプ１４４は遊技を盛り上げるための装飾用のランプである。前面扉１０２の上部には演出装置１６０が配設されており、演出装置１６０の上部には音孔１４３が設けられている。この演出装置１６０は、水平方向に開閉自在な２枚の右シャッタ１６３ａ、左シャッタ１６３ｂからなるシャッタ（遮蔽装置）１６３と、このシャッタ１６３の奥側に配設された演出画像表示装置１５７（図示省略、液晶表示装置）を備えており、右シャッタ１６３ａ、左シャッタ１６３ｂが演出画像表示装置１５７の手前で水平方向外側に開くと演出画像表示装置１５７（図示省略）の表示画面がスロットマシン１００正面（遊技者側）に出現する構造となっている。
【００２４】
なお、液晶表示装置でなくとも、種々の演出画像や種々の遊技情報を表示可能に構成されていればよく、例えば、複数セグメントディスプレイ（７セグディスプレイ）、ドットマトリクスディスプレイ、有機ＥＬディスプレイ、プラズマディスプレイ、リール（ドラム）、或いは、プロジェクタとスクリーンとからなる表示装置等でもよい。また、表示画面は、方形をなし、その全体を遊技者が視認可能に構成されている。本実施形態の場合、表示画面は長方形であるが、正方形でもよい。また、表示画面の周縁に不図示の装飾物を設けて、表示画面の周縁の一部が該装飾物に隠れる結果、表示画面が異形に見えるようにすることもできる。表示画面は本実施形態の場合、平坦面であるが、曲面をなしていてもよい。
＜制御部の回路構成＞
次に、図３を用いて、スロットマシン１００の制御部の回路構成について説明する。なお、同図は制御部の回路ブロック図である。
【００２５】
スロットマシン１００の制御部は、大別すると、遊技の進行を制御する主制御部３００と、主制御部３００が送信するコマンド信号（以下、単に「コマンド」と呼ぶ）に応じて、主な演出の制御を行う第１副制御部４００と、第１副制御部４００より送信されたコマンドに基づいて各種機器を制御する第２副制御部５００と、によって構成されている。
＜主制御部＞
まず、スロットマシン１００の主制御部３００について説明する。主制御部３００は、主制御部３００の全体を制御する基本回路３０２を備えており、この基本回路３０２には、ＣＰＵ３０４と、制御プログラムデータ、入賞役の内部抽選時に用いる抽選データ、リールの停止位置等を記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２を搭載している。なお、ＲＯＭ３０６やＲＡＭ３０８については他の記憶装置を用いてもよく、この点は後述する第１副制御部４００や第２副制御部５００についても同様である。この基本回路３０２のＣＰＵ３０４は、水晶発振器３１４ｂが出力する所定周期のクロック信号をシステムクロックとして入力して動作する。さらには、ＣＰＵ３０４は、電源が投入されるとＲＯＭ３０６の所定エリアに格納された分周用のデータをカウンタタイマ３１２に送信し、カウンタタイマ３１２は受信した分周用のデータを基に割り込み時間を決定し、この割り込み時間ごとに割り込み要求をＣＰＵ３０４に送信する。ＣＰＵ３０４は、この割込み要求を契機に各センサ等の監視や駆動パルスの送信を実行する。例えば、水晶発振器３１４ｂが出力するクロック信号を８ＭＨｚ、カウンタタイマ３１２の分周値を１／２５６、ＲＯＭ３０６の分周用のデータを４７に設定した場合、割り込みの基準時間は、２５６×４７÷８ＭＨｚ＝１．５０４ｍｓとなる。
【００２６】
基本回路３０２は、０〜６５５３５の範囲で数値を変動させるハードウェア乱数カウンタとして使用している乱数発生回路３１６と、電源が投入されると起動信号（リセット信号）を出力する起動信号出力回路３３２を設けており、ＣＰＵ３０４は、この起動信号出力回路３３２から起動信号を入力した場合に、遊技制御を開始する（後述する主制御部メイン処理を開始する）。
【００２７】
また、基本回路３０２には、センサ回路３２０を設けており、ＣＰＵ３０４は、割り込み時間ごとに各種センサ３１８（メダル投入ボタン１３０センサ、メダル投入ボタン１３１センサ、メダル投入ボタン１３２センサ、メダル投入口１４１から投入されたメダルのメダル受付センサ、スタートレバー１３５センサ、ストップボタン１３７センサ、ストップボタン１３８センサ、ストップボタン１３９センサ、精算ボタン１３４センサ、メダル払出装置１８０から払い出されるメダルのメダル払出センサ、リール１１０のインデックスセンサ、リール１１１のインデックスセンサ、リール１１２のインデックスセンサ、等）の状態を監視している。
【００２８】
なお、センサ回路３２０がスタートレバーセンサのＨレベルを検出した場合には、この検出を示す信号を乱数発生回路３１６に出力する。この信号を受信した乱数発生回路３１６は、そのタイミングにおける値をラッチし、抽選に使用する乱数値を格納するレジスタに記憶する。
【００２９】
メダル受付センサは、メダル投入口１４１の内部通路に２個設置されており、メダルの通過有無を検出する。スタートレバー１３５センサは、スタートレバー１３５内部に２個設置されており、遊技者によるスタート操作を検出する。ストップボタン１３７センサ、ストップボタン１３８センサ、および、ストップボタン１３９センサは、各々のストップボタン１３７〜１３９に設置されており、遊技者によるストップボタンの操作を検出する。
【００３０】
メダル投入ボタン１３０センサ、メダル投入ボタン１３１センサ、およびメダル投入ボタン１３２センサは、メダル投入ボタン１３０〜１３２のそれぞれに設置されており、ＲＡＭ３０８に電子的に貯留されているメダルを遊技への投入メダルとして投入する場合の投入操作を検出する。精算ボタン１３４センサは、精算ボタン１３４に設けられている。精算ボタン１３４が一回押されると、電子的に貯留されているメダルを精算する。メダル払出センサは、メダル払出装置１８０が払い出すメダルを検出するためのセンサである。なお、以上の各センサは、非接触式のセンサであっても接点式のセンサであってもよい。
【００３１】
左リール１１０のインデックスセンサ、中リール１１１のインデックスセンサ、および右リール１１２のインデックスセンサは、各リール１１０〜１１２の取付台の所定位置に設置されており、リールフレームに設けた遮光片が通過するたびにＬレベルになる。ＣＰＵ３０４は、この信号を検出すると、リールが１回転したものと判断し、リールの回転位置情報をゼロにリセットし、リールの停止位置を算出可能になる。
【００３２】
主制御部３００は、リール１１０〜１１２に設けたステッピングモータを駆動する駆動回路３２２、投入されたメダルを選別するメダルセレクタ１７０に設けたソレノイドを駆動する駆動回路３２４、メダル払出装置１８０に設けたモータを駆動する駆動回路３２６、及び各種ランプ３３８（入賞ライン表示ランプ１２０、告知ランプ１２３、遊技メダル投入可能ランプ１２４、再遊技ランプ１２２、遊技メダル投入ランプ１２９、遊技開始ランプ１２１、貯留枚数表示器１２５、遊技情報表示器１２６、払出枚数表示器１２７）を駆動する駆動回路３２８をそれぞれ設けている。
【００３３】
また、基本回路３０２には、情報出力回路３３４が接続されており、主制御部３００は、この情報出力回路３３４を介して、外部のホールコンピュータ（図示省略）等が備える情報入力回路６５２にスロットマシン１００の遊技情報（例えば、遊技状態）を出力する。
【００３４】
また、主制御部３００は、第１副制御部４００にコマンドを送信するための出力インタフェースを備えており、第１副制御部４００との通信を可能としている。なお、主制御部３００と第１副制御部４００との情報通信は一方向の通信であり、主制御部３００は第１副制御部４００にコマンド等の信号を送信できるが、第１副制御部４００から主制御部３００にコマンド等の信号を送信できない。
＜副制御部＞
次に、スロットマシン１００の第１副制御部４００について説明する。第１副制御部４００は、主制御部３００が送信した制御コマンドを、入力インタフェースを介して受信し、この制御コマンドに基づいて第１副制御部４００の全体を制御する基本回路４０２を備えている。この基本回路４０２は、ＣＰＵ４０４と、一時的にデータを記憶するためのＲＡＭ４０８と、各種デバイスの入出力を制御するためのＩ／Ｏ４１０と、時間や回数等を計測するためのカウンタタイマ４１２を搭載している。基本回路４０２のＣＰＵ４０４は、水晶発振器４１４が出力する所定周期のクロック信号をシステムクロックとして入力して動作する。また、第１副制御部４００は、第１副制御部４００の全体を制御するための制御プログラム及びデータ、バックライトの点灯パターンや各種表示器を制御するためのデータ等が記憶されたＲＯＭ４０６を設けている。
【００３５】
ＣＰＵ４０４は、所定のタイミングでデータバスを介してＲＯＭ４０６の所定エリアに格納された分周用のデータをカウンタタイマ４１２に送信する。カウンタタイマ４１２は、受信した分周用のデータを基に割り込み時間を決定し、この割り込み時間ごとに割り込み要求をＣＰＵ４０４に送信する。ＣＰＵ４０４は、この割込み要求のタイミングをもとに、各ＩＣや各回路を制御する。
【００３６】
また、第１副制御部４００には、音源ＩＣ４１８が設けられ、音源ＩＣ４１８には出力インタフェースを介してスピーカ２７２、２７７が接続されている。音源ＩＣ４１８は、ＣＰＵ４０４からの命令に応じてアンプおよびスピーカ２７２、２７７から出力する音声の制御を行う。音源ＩＣ４１８には音声データが記憶されたＳ−ＲＯＭ（サウンドＲＯＭ）が接続されており、このＲＯＭから取得した音声データをアンプで増幅させてスピーカ２７２、２７７から出力する。
【００３７】
第１副制御部４００には、また、駆動回路４２２が設けられ、駆動回路４２２には入出力インタフェースを介して各種ランプ４２０（上部ランプ、下部ランプ、サイドランプ１４４、タイトルパネル１６２ランプ、等）が接続されている。
【００３８】
また、ＣＰＵ４０４は、出力インタフェースを介して第２副制御部５００へ信号の送受信を行う。スロットマシン１００の第２副制御部５００では、演出画像表示装置１５７やシャッタ１６３などの制御を行う。なお、第２副制御部５００は、例えば、演出画像表示装置１５７の制御を行う制御部、シャッタ１６３の制御を行う制御部とするなど、複数の制御部で構成するようにしてもよい。
【００３９】
次に、スロットマシン１００の第２副制御部５００について説明する。第２副制御部５００は、第１副制御部４００が送信した制御コマンドを、入力インタフェースを介して受信し、この制御コマンドに基づいて第２副制御部５００の全体を制御する基本回路５０２を備えており、この基本回路５０２は、ＣＰＵ５０４と、一時的にデータを記憶するためのＲＡＭ５０８と、各種デバイスの入出力を制御するためのＩ／Ｏ５１０と、時間や回数等を計測するためのカウンタタイマ５１２を搭載している。基本回路５０２のＣＰＵ５０４は、水晶発振器５１４が出力する所定周期のクロック信号をシステムクロックとして入力して動作する。また、第２副制御部５００は、第２副制御部５００の全体を制御するための制御プログラム及びデータ、画像表示用のデータ等が記憶されたＲＯＭ５０６を設けている。
【００４０】
ＣＰＵ５０４は、所定のタイミングでデータバスを介してＲＯＭ５０６の所定エリアに格納された分周用のデータをカウンタタイマ５１２に送信する。カウンタタイマ５１２は、受信した分周用のデータを基に割り込み時間を決定し、この割り込み時間ごとに割り込み要求をＣＰＵ５０４に送信する。ＣＰＵ５０４は、この割込み要求のタイミングをもとに、各ＩＣや各回路を制御する。
【００４１】
また、第２副制御部５００には、シャッタ１６３を駆動する駆動回路５３０が設けられ、駆動回路５３０には出力インタフェースを介してシャッタ１６３が接続されている。この駆動回路５３０は、ＣＰＵ５０４からの命令に応じてシャッタ１６３に設けたステッピングモータ（図示省略）に駆動信号を出力する。
【００４２】
また、第２副制御部５００には、センサ回路５３２が設けられ、センサ回路５３２には入力インタフェースを介してシャッタセンサ５３８が接続されている。ＣＰＵ５０４は、割り込み時間ごとにシャッタセンサ５３８の状態を監視している。
【００４３】
また、第２副制御部５００には、ＶＤＰ５３４（ビデオ・ディスプレイ・プロセッサー）が設けられ、このＶＤＰ５３４には、バスを介してＲＯＭ５０６、ＶＲＡＭ５３６が接続されている。ＶＤＰ５３４は、ＣＰＵ５０４からの信号に基づいてＲＯＭ５０６に記憶された画像データ等を読み出し、ＶＲＡＭ５３６のワークエリアを使用して表示画像を生成し、演出画像表示装置１５７に画像を表示する。
＜図柄配列＞
図４（ａ）を用いて、上述の各リール１１０〜１１２に施される図柄配列について説明する。なお、同図は、各リール（左リール１１０、中リール１１１、右リール１１２）に施される図柄の配列を平面的に展開して示した図である。
【００４４】
各リール１１０〜１１２には、複数種類（本実施形態では８種類）の図柄が所定コマ数（本実施形態では、図柄番号カウンタの番号が０〜２０の２１コマ。なお、図柄間隔カウンタ及び図柄番号カウンタに関しては、詳しくは後述する）だけ配置されている。また、同図の左に示した番号０〜２０は、各リール１１０〜１１２上の図柄の配置位置を示す番号である。例えば、本実施形態では、左リール１１０の番号０のコマにはＢＢ図柄、中リール１１１の番号１のコマにはリプレイ図柄、右リール１１２の番号２のコマにはベル図柄、がそれぞれ配置されている。
【００４５】
有効ライン上に停止表示された図柄組合せが予め定めた入賞役の図柄組合せとなった場合には、当該入賞役に入賞と判定される。本実施形態における入賞役には、所定数のメダルが払い出される小役のほか、作動役、つまり、ボーナス遊技に移行する役であるビッグボーナスや新たにメダルを投入することなく再遊技が可能となる役であるリプレイも含まれる。すなわち、本実施形態における「入賞」には、メダルの配当を伴わない（メダルの払い出しを伴わない）作動役の図柄組合せが有効ライン上に表示される場合も含まれ、例えば、ビッグボーナスやリプレイへの入賞が含まれる。以下、入賞役について詳述する。
＜入賞役の種類＞
図４（ｂ）は、入賞役（作動役を含む）の種類、各入賞役に対応する図柄組合せ、各入賞役の作動または払出を示す図である。
【００４６】
本実施形態における入賞役のうち、ビッグボーナス（ＢＢ）はボーナス遊技に移行する役として、また、再遊技（リプレイ、リプレイ２、リプレイ３）は新たにメダルを投入することなく再遊技が可能となる役として、それぞれ入賞役とは区別され「作動役」と呼ばれる場合があるが、本実施形態における「入賞役」には、作動役である、ビッグボーナスおよび再遊技が含まれる。また、本実施形態における「入賞」には、メダルの配当を伴わない（メダルの払い出しを伴わない）作動役の図柄組合せが有効ライン上に表示される場合も含まれ、例えば、ビッグボーナスへの入賞および再遊技への入賞が含まれる。
【００４７】
本実施形態の入賞役には、ビッグボーナス（ＢＢ）と、小役（チェリー、スイカ、ベル）と、再遊技（リプレイ、リプレイ２、リプレイ３）がある。なお、入賞役の種類は、これに限定されるものではなく、任意に採用することができる。例えば、ビッグボーナスとは別にレギュラーボーナスを設けてもよい。あるいはビッグボーナスもレギュラーボーナスも設けずに、ＡＴ（アシトタイム）やＡＲＴ（アシストリプレイタイム）を利用するようにしてもよい。
【００４８】
「ビッグボーナス（ＢＢ）」（以下、単に、「ＢＢ」と称する場合がある）は、入賞により特別遊技であるビッグボーナス遊技（ＢＢ遊技）が開始される特別役（作動役）である。対応する図柄組合せは、ＢＢが「７−７−７」である。また、ＢＢについてはフラグ持越しを行う。すなわち、ＢＢに内部当選すると、これを示すフラグが立つ（主制御部３００のＲＡＭ３０８の所定のエリア内に記憶される）が、その遊技においてＢＢに入賞しなかったとしても、入賞するまで内部当選を示すフラグが立った状態（ＢＢ内部当選状態）が維持され、次遊技以降でもＢＢに内部当選中となり、ＢＢに対応する図柄組み合わせ「７−７−７」が揃って、ＢＢに入賞する状態にある。
【００４９】
「小役（ベル、スイカ、チェリー）」（以下、単に、「ベル」、「スイカ」、「チェリー」と称する場合がある）は、入賞により所定数のメダルが払い出される入賞役で、対応する図柄組合せは、ベルが「ベル−ベル−ベル」、スイカが「スイカ−スイカ−スイカ」、チェリーが「チェリー−ＡＮＹ−ＡＮＹ」である。また、対応する払出枚数は図４（ｂ）に示す通りである。なお、「チェリー−ＡＮＹ−ＡＮＹ」の場合、左リール１１０の図柄が「チェリー」であればよく、中リール１１１と右リール１１２の図柄はどの図柄でもよい。
【００５０】
「再遊技（リプレイ）」は、入賞により次回の遊技でメダル（遊技媒体）の投入を行うことなく遊技を行うことができる入賞役（作動役）であり、メダルの払出は行われない。
【００５１】
なお、対応する図柄組合せは、再遊技役１（リプレイ）は「リプレイ−リプレイ−リプレイ（通常リプレイ）」、再遊技役２（リプレイ２）は「リプレイ−リプレイ−ベル（高確率再遊技突入リプレイ）」、再遊技役３（リプレイ３）は「リプレイ−ベル−リプレイ（高確率再遊技パンクリプレイ）」である。通常遊技状態でリプレイ２に入賞すれば、リプレイ（再遊技役）の内部当選確率が高確率な状態（再遊技高確率状態）に移行するが、再遊技高確率状態でリプレイ３に入賞してしまうと、通常遊技状態に戻ってしまう。
＜リール回転装置＞
次に、図５〜図７を用いて、スロットマシン１００のリール１１０〜１１２を回転させるリール回転装置１０について詳細に説明する。図５は、スロットマシン１００のリール回転装置１０を示す外観斜視図で、リール回転装置１０は、概略、リール駆動ユニット２０〜４０と、これらを収納するケース部材１２とで構成されている。リール駆動ユニット２０〜４０は、リール帯６１０（図６参照）に印刷される図柄の配列（図４（ａ）参照）が異なるだけで、構造的には、いずれも同一の部品で構成されている。各リール駆動ユニット２０〜４０（以下、同一構成のため、リール駆動ユニット２０について説明する）は、それぞれ個別にケース部材１２内に着脱可能に収納されている。
【００５２】
図６は、リール駆動ユニット２０の分解斜視図である。また、図７（ａ）はリール駆動ユニット２０を組み立てた状態を示す略示側面図であり、同図（ｂ）はその略示正面図である。なお、図７（ａ）および（ｂ）では、説明の都合上、一部の部材の図示を省略している。リール駆動ユニット２０は、図柄を移動表示させるための構成として、リール１１０と、このリール１１０を回転駆動する駆動装置６０４と、リール１１０の回転位置を検出する回転検出装置６０６と、リール１１０の内部から各リール１１０に施された図柄を照明するリール照明装置６０８と、を有している。
【００５３】
リール１１０は、薄肉円筒状のリール帯６１０と、このリール帯６１０の左側側面に取り付けられ、リール帯６１０の左側側面を支持する第１リール枠６１２と、リール帯６１０の右側側面に取り付けられ、リール帯６１０の右側側面を支持する第２リール枠６１４によって構成されている。
【００５４】
第１リール枠６１２は、円環状の枠部６１２Ａと、この枠部６１２Ａを基端として枠部６１２Ａの中心部に向けて延出形成された６本の支持部６１２Ｂと、この６本の支持部６１２Ｂの先端部を基端として駆動装置６０４に向けて突出形成された円筒形状の取付部６１２Ｃによって構成されている。
【００５５】
６本の支持部６１２Ｂのうちの１本には、板状の遮光片６１２Ｄが回転検出装置６０６に向けて突出形成されており、後述するインデックスセンサ６０６Ａの投光部と受光部の間を、この遮光片６１２Ｄが通過するように構成される。また、円筒形状の取付部６１２Ｃには、その円周方向４か所に略等間隔（この例では、約９０度間隔）で４つの係合凹部が形成されている。この４つの係合凹部は、可動体ギヤ６２０の４つの係合凸部にそれぞれ嵌合され、これにより、第１リール枠６１２が可動体ギヤ６２０に係合固定される。
【００５６】
第２リール枠６１４は、第１リール枠６１２の枠部６１２Ａと略同一径の円環状の部材からなり、リール帯６１０を挟んで第１リール枠６１２の反対側に配設される。
【００５７】
駆動装置６０４は、駆動モータ６１６と、この駆動モータ６１６のモータ軸６１６Ａに取り付けられる駆動ギヤ６１８と、この駆動ギヤ６１８と噛合する可動体ギヤ６２０と、この可動体ギヤ６２０を支持部材６２３およびワッシャ６２１を介して回転可能に支持する台座６２２によって構成されている。なお、駆動モータ６１６および台座６２２は、複数の取付ネジ６２４によって板状の金属枠体６２６に固定支持される。
【００５８】
駆動モータ６１６は、本実施形態では、１−２相励磁式のステッピングモータ７００によって構成されている（詳細は後述する）。可動体ギヤ６２０は、駆動ギヤ６１８よりも大径なギヤによって構成されており、可動体ギヤ６２０および駆動ギヤ６１８によってギヤセットが構成される。また、上述のように、可動体ギヤ６２０は、第１リール枠６１２の取付部６１２Ｃに係合された後、取付ネジ６２４やワッシャ６２１を用いて第１リール枠６１２に固定されるとともに、台座６２２に回転可能に支持され、第１リール枠６１２と共に回転可能な構造となっている。
【００５９】
回転検出装置６０６は、投光部と受光部からなる光学式のインデックスセンサ６０６Ａと、このインデックスセンサ６０６Ａが取り付けられる取付台座６０６Ｂによって構成されており、インデックスセンサ６０６Ａの投光部と受光部の間を、第１リール枠６１２に設けられた遮光片６１２Ｄが通過するように構成されている（図７（ｂ）参照）。なお、取付台座６０６Ｂは、取付ネジ６２４によって金属枠体６２６に固定される。スロットマシン１００は、この回転検出装置６０６の検出結果に基づいてリール１１０〜１１２上の図柄の回転方向の位置を判断し、目的とする図柄が入賞ライン１１４上に表示されるようにリール１１０〜１１２を停止させる。すなわち、主制御部３００は、回転するリール１１０の遮光片６１２Ｄがインデックスセンサ６０６Ａによって検知されたことで、リールの回転位置情報をゼロにリセットし、リールの停止位置を制御可能になる。
【００６０】
リール照明装置６０８は、一本の冷陰極管を中央部に配置した照明基板６０８Ｂと、この照明基板６０８Ｂを取り付けた状態で、冷陰極管から出射される光を所定の方向に導くための導光板を含んで構成された照明ケース６０８Ｃと、照明基板６０８Ｂの裏面を覆う裏面カバー６０８Ａとで構成されている。なお、照明ケース６０８Ｃは、照明基板６０８Ｂおよび裏面カバー６０８Ａが取り付けられた状態で、取付ネジ６２４によって金属枠体６２６に固定される。
＜ステッピングモータ＞
図８は、ステッピングモータ７００の分解斜視図である。ステッピングモータ７００は、図８に示すように、モータ軸７１０と、モータ軸７１０を支持するケース部材７２０と、ケース部材７２０に配設されてモータ軸７１０を支持する第１の軸受７２２および第２の軸受７２４と、ケース部材７２０の内部に配設され、固定された電磁石からなるステータ７３０と、モータ軸７１０に回転可能に取り付けられるロータ７４０と、から構成されている。本実施形態のステッピングモータ７００は、ＰＭ（Ｐｅｒｍａｎｅｎｔ  Ｍａｇｎｅｔ）型ステッピングモータであり、１−２相励磁式の９６ステップでモータが１回転するように構成されている。なお、本実施形態では、リールとモータのギア比は１：５．２５となっているので、５０４ステップ（＝５．２５×９６）でリールは１回転するようになっている。
【００６１】
モータ軸７１０は、図６や図７に示す駆動ギヤ６１８が取り付けられて動力を出力する軸である。以下、モータ軸７１０の駆動ギヤ６１８が取り付けられる方の端部を出力端７１０Ａ、この反対側の端部を後端７１０Ｂと呼ぶことにする。
【００６２】
ケース部材７２０は、一端が開口した略円筒状のベース部７２０Ａおよびベース部７２０Ａの開口部を塞ぐように配設される蓋部７２０Ｂからなる、有底の中空円筒体である。ケース部材７２０は、ステータ７３０およびロータ７４０を内部に収容すると共に、ベース部７２０Ａの底部から蓋部７２０Ｂまで貫通するモータ軸７１０を、第１の軸受７２２および第２の軸受７２４を介して支持している。また、ベース部７２０Ａには、図６に示す金属枠体６２６に固定支持するための取付ネジ６２４が挿通される孔を備えた固定部材７２０Ｃが設けられている。
【００６３】
第１の軸受７２２は、ケース部材７２０の蓋部７２０Ｂの略中央に配設され、モータ軸７１０を出力端７１０Ａ近傍において回転可能に支持する略円筒状の滑り軸受である。
【００６４】
第２の軸受７２４は、ケース部材７２０のベース部７２０Ａの底部の略中央に配設され、モータ軸７１０を後端７１０Ｂ近傍において回転可能に支持する略円筒状の滑り軸受である。
【００６５】
ステータ７３０は、ロータ７４０を取り囲むように配設され、上下２段に亘って駆動コイルが巻かれている（Ａ相、Ｂ相）。本実施形態では、図８に示すように、磁極歯は三角形を形成しており（上向きをＡ相及びＢ相、下向きをＡ−相、Ｂ−相と称する。Ａ相とＢ相は電気角９０度の位相関係、Ａ相とＡ−相及びＢ相とＢ−相は電気角１８０度の位相関係）、各磁極（Ａ相、Ａ−相、Ｂ相、Ｂ−相）は１周１２歯となっている。図９は、ステータ７３０の磁極の配置を示す図である。図９に示すように、各磁極は、右回りにＡ相、Ｂ相、Ａ−相、Ｂ−相の順序で円周状に配置されている。
【００６６】
ロータ７４０は、本実施形態の場合、永久磁石で構成されており、磁極数は２４である。
【００６７】
ここで、ステッピングモータ７００の動作原理について説明する。ステッピングモータ７００は、ステータ７３０に巻回されたコイルに電流を流してステータ７３０の各相を後述する励磁パターンに基づいて、順番に磁化させ、ロータ７４０を磁力で引き付けることによってロータ７４０を回転させるように構成されている。
【００６８】
１−２相励磁式では、上述したステータ７３０の４相を、例えば、Ａ相（１相励磁）→Ａ相及びＢ相（以下、ＡＢ相という。２相励磁）→Ｂ相（１相励磁）→Ａ−相及びＢ相（以下、Ａ−Ｂ相という。２相励磁）→Ａ−相（１相励磁）→Ａ−相及びＢ−相（以下、Ａ−Ｂ−相という。２相励磁）→Ｂ−相（１相励磁）→Ａ相及びＢ−相（以下、ＡＢ−相という。２相励磁）→Ａ相（１相励磁）→・・・の順序で励磁することにより、ロータ７４０を一定の方向に回転させるようになっている。
【００６９】
より詳しくは、主制御部３００のＣＰＵ３０４は、図３に示す駆動回路３２２を介して、ステッピングモータ７００のステータ７３０の励磁を行う相にオンレベルのパルス信号（例えば、ハイレベルの信号）を出力すると同時に、励磁を行わない相にオフレベルのパルス信号（例えば、ローレベルの信号）を出力することによって所定の相の励磁を行う。これにより、ステッピングモータ７００のロータ７４０は所定の角度（１ステップ）だけ回転される。例えば、主制御部３００のＣＰＵ３０４は、ステッピングモータ７００のステータ７３０のＡ相にオンレベルのパルス信号を出力すると同時に、Ｂ相、Ａ−相、Ｂ−相にオフレベルのパルス信号を出力することによって、Ａ相のみ励磁してロータを１パルス分（１ステップ）だけ回転させ、以後、上述の順序で励磁を切り替えることによってロータを所定のパルス分だけ回転させる。なお、Ａ相→ＡＢ相→Ｂ相→Ａ−Ｂ相→Ａ−相→Ａ−Ｂ−相→Ｂ−相→ＡＢ−相（またはＡ相→ＡＢ−相→Ｂ−相→Ａ−Ｂ−相→Ａ−相→Ａ−Ｂ相→Ｂ相→ＡＢ相）の８パルス分（８ステップ）の回転を、以下、１サイクルと称する。
【００７０】
本実施形態では、上述したようにリールを１回転（３６０度回転）させるのに必要なパルス数を５０４パルス（５０４パルス／８パルス＝６３サイクル）に設定している。したがって、１パルスあたりのロータ７４０の回転角度は、約０．７１４２８度（＝３６０／５０４）である。
【００７１】
また、リールを１回転（３６０度回転）させるのに必要なステップ数（パルス数）が５０４ステップであって、図４（ａ）を用いて説明したように一つのリールには２１コマの図柄が配置されていることから、１コマ分のステップ数は５０４／２１＝２４ステップになる。
＜励磁テーブル＞
ＣＰＵ３０４から駆動回路３２２に出力される駆動信号は、ＲＯＭ３０６上に励磁テーブルとして記憶されている。ＣＰＵ３０４はこの励磁テーブルを参照することにより、指示された駆動信号を出力するようになっている。図１０は、本実施形態の励磁テーブルの内容を示す表である。各励磁テーブルのデータ（リールの回転制御を行うためのデータなので、回転制御データともいう）は、６つのビットデータ（具体的には、Ａ−Ｉ０、Ａ−Ｉ１、Ａ−Ｐｈａｓｅ、Ｂ−Ｉ０、Ｂ−Ｉ１、Ｂ−Ｐｈａｓｅ）を組み合わせて、励磁する相及び励磁力を表わすように構成されている。具体的には、Ａ−Ｉ０とＡ−Ｉ１の組合せは、Ａ相またはＡ−相のコイルを励磁するための電流の大きさ（励磁力）を示しており、Ａ−Ｉ０が０、Ａ−Ｉ１が０の場合には０％、Ａ−Ｉ０が１、Ａ−Ｉ１が０の場合には２０％、Ａ−Ｉ０が０、Ａ−Ｉ１が１の場合には６０％、Ａ−Ｉ０が１、Ａ−Ｉ１が１の場合には１００％であることを示しており、Ａ−Ｐｈａｓｅが１の場合にはＡ相の励磁、０の場合にはＡ−相の励磁を示している。同様にして、Ｂ−Ｉ０とＢ−Ｉ１の組合せは、Ｂ相またはＢ−相のコイルを励磁するための電流の大きさ（励磁力）を示しており、Ｂ−Ｉ０が０、Ｂ−Ｉ１が０の場合には０％、Ｂ−Ｉ０が１、Ｂ−Ｉ１が０の場合には２０％、Ｂ−Ｉ０が０、Ｂ−Ｉ１が１の場合には６０％、Ｂ−Ｉ０が１、Ｂ−Ｉ１が１の場合には１００％であることを示しており、Ｂ−Ｐｈａｓｅが１の場合にはＢ相の励磁、０の場合にはＢ−相の励磁を示している。
【００７２】
例えば、テーブル番号が「Ｂ０」の励磁テーブル「５５Ｈ」は、Ａ−Ｉ０が１、Ａ−Ｉ１が０、Ａ−Ｐｈａｓｅが１、Ｂ−Ｉ０が１、Ｂ−Ｉ１が０、Ｂ−Ｐｈａｓｅが１となっているので、ＡＢ相を２０％で励磁することを示している。また、テーブル番号が「Ｃ２」の励磁テーブル「２６Ｈ」は、Ａ−Ｉ０が０、Ａ−Ｉ１が１、Ａ−Ｐｈａｓｅが１、Ｂ−Ｉ０が０、Ｂ−Ｉ１が０、Ｂ−Ｐｈａｓｅが０となっているので、Ａ相を６０％で励磁することを示している（Ｂ−相は０％のため励磁なし）。したがって、テーブル番号を「Ｃ０」→「Ｃ１」→「Ｃ２」→「Ｃ３」→「Ｃ４」→「Ｃ５」→「Ｃ６」→「Ｃ７」と切り替えていく場合には、ＡＢ相→Ａ相→ＡＢ−相→Ｂ−相→Ａ−Ｂ−相→Ａ−相→Ａ−Ｂ相→Ｂ相の順序で各相を６０％励磁して、ロータ７４０を１サイクル分の角度だけ回転させることができる。このように本実施形態では、６ビットで構成された励磁テーブルのデータ（回転制御データ）を駆動信号として駆動回路３２２に出力することにより、リールは回転制御されるようになっている。なお、本実施形態では、図１０に示すように、励磁力０％を励磁なし、励磁力２０％を弱励磁、励磁力６０％を中励磁、励磁力１００％を強励磁とも表記する。
＜回転制御テーブル＞
図１１は、本実施形態の回転制御テーブルの内容を示す表である。回転制御テーブルは、ＲＯＭ３０６上に記憶されており、リール制御ステータスごとの回転制御の内容（具体的には、汎用オフセットカウンタ値、励磁テーブル、保持パラメータで構成される）を記憶している。リール制御ステータスとは、各リール１１０〜１１２それぞれのリールごとに独立して記憶されるリールの制御状態に関する情報であり、リール１１０〜１１２それぞれのリールが停止状態であることを示す情報である「停止制御状態（停止制御中）」、リール１１０〜１１２それぞれのリールが加速状態であることを示す情報である「加速状態（加速制御中）」、リール１１０〜１１２それぞれのリールが定速状態であることを示す情報である「定速状態（定速制御中）」、リール１１０〜１１２それぞれのリールが引込み状態であることを示す情報である「引込み状態（引込み制御中）」，リール１１０〜１１２それぞれのリールがブレーキ状態であることを示す情報である「ブレーキ状態（ブレーキ制御中）」、リール１１０〜１１２それぞれのリールがリール演出（詳細は後述）中であることを示す情報である「リール演出制御中」のいずれかの情報が記憶される。なお、本実施形態では、定速状態は励磁力が異なる２つの状態にさらに分類され、加速状態の直後に設定される「定速１状態（定速１制御中）」と定速１状態（定速１制御中）の直後に設定される「定速２状態（定速２制御中）」とが存在する。定速１状態は、リール１１０〜１１２を安定して回転させるとともに、省電力を図るために設けられ、定速２状態は、より励磁力を弱くしてリール１１０〜１１２の発熱を抑制するために設けられている。本実施形態のスロットマシン１００は、リール制御ステータスを、停止制御中→加速制御中→定速１制御中→定速２制御中→引込み制御中→ブレーキ制御中→停止制御中と変化させて、各リールステータスに対応した励磁テーブル（回転制御データ）を選択することにより、リール１１０〜１１２の回転制御を行っている。
【００７３】
例えば、リール制御ステータスが「加速制御中」においては、図１１に示すように、まず、汎用オフセットカウンタ値「０」に対応する励磁テーブル「７７Ｈ」の回転制御データを「１２」保持時間、次いで、汎用オフセットカウンタ値「１」に対応する励磁テーブル「０７Ｈ」の回転制御データを「１２」保持時間、次いで、汎用オフセットカウンタ値「２」に対応する励磁テーブル「３７Ｈ」の回転制御データを「３」保持時間、次いで、汎用オフセットカウンタ値「３」に対応する励磁テーブル「３０Ｈ」の回転制御データを「３」保持時間・・・というように表の最上行から下行に向けて順次回転制御データを設定していく。そして、順次設定される回転制御データの保持時間を徐々に少なくしていくことにより、リール１１０〜１１２を加速させている。
【００７４】
なお、汎用オフセットカウンタ値とは、各リール制御ステータスにおいて、それぞれの回転制御データを実行する順序を示す番号となっており（０オリジン）、７の次は０に戻る循環値となっている。また、保持時間（保持パラメータ）とは、セットされた回転制御データを保持する時間を示しており、１保持時間は、１割込時間（例えば、１．４９ｍｓ）を示している。したがって、図１１に示すように、本実施形態の「加速制御中」は、１−２相１００％励磁（強励磁）が行われ、８９．４ｍｓ（＝１．４９×６０）の時間を要するように構成されている。
【００７５】
また、リール制御ステータスが「定速１制御中」においては、図１１に示すように、まず、汎用オフセットカウンタ値「０」に対応する励磁テーブル「７７Ｈ」の回転制御データを「１」保持時間、次いで、汎用オフセットカウンタ値「１」に対応する励磁テーブル「０７Ｈ」の回転制御データを「１」保持時間、次いで、汎用オフセットカウンタ値「２」に対応する励磁テーブル「３７Ｈ」の回転制御データを「１」保持時間、・・・というように表の最上行から下行に向けて順次回転制御データを設定し、表に記載された回転制御データを１セットとして１６回繰り返す。すなわち、順次設定されていく回転制御データを１保持時間で切り替えて１６セット実行することにより、リールを安定して定速に回転させている。この結果、本実施形態の「定速１制御中」は、１−２相１００％励磁（強励磁）で１９０．７２ｍｓ（＝１．４９×８×１６セット）の時間を要するように構成されている。以上説明した定速１制御中は、１セットの回転制御データといった制御パターンを予め定められた回数だけ必ず繰り返す制御になる。
【００７６】
また、リール制御ステータスが「定速２制御中」においては、図１１に示すように、まず、汎用オフセットカウンタ値「０」に対応する励磁テーブル「６６Ｈ」の回転制御データを「１」保持時間、次いで、汎用オフセットカウンタ値「１」に対応する励磁テーブル「０６Ｈ」の回転制御データを「１」保持時間、次いで、汎用オフセットカウンタ値「２」に対応する励磁テーブル「２６Ｈ」の回転制御データを「１」保持時間、・・・というように表の最上行から下行に向けて順次回転制御データを設定していく。すなわち、順次設定されていく回転制御データを１保持時間で切り替えていくことにより、リールを定速で回転させている。この結果、本実施形態の「定速２制御中」は、詳しくは後述する停止可能状態における停止操作があるまで、１−２相６０％励磁（中励磁）の状態が継続されるように構成されている。以上説明した定速２制御は、汎用オフセットカウンタ値が「０」〜「７」の回転制御データといった制御パターンを不定数回繰り返し、停止可能状態における停止操作が行われると、制御パターンの途中であっても定速２制御を終了する。
【００７７】
また、リール制御ステータスが「引込み制御中」においては、「定速２制御中」において使われた回転制御データが引き続き、順次設定されていく。例えば、「定速２制御中」において、汎用オフセットカウンタ値が「５」に対応する励磁テーブル「４２Ｈ」の回転制御データを「１」保持時間を設定した後に「引込み制御中」に移行する場合には、汎用オフセットカウンタ値「６」に対応する励磁テーブル「６２Ｈ」の回転制御データを「１」保持時間、次いで、汎用オフセットカウンタ値「７」に対応する励磁テーブル「６４Ｈ」の回転制御データを「１」保持時間設定した後に、引込みコマ数に相当するステップ数（引込みコマ数×２４）、汎用オフセットカウンタ値が０〜７に対応する各励磁テーブルの回転制御データを「１」保持時間ずつ順次繰り返し設定していく（本実施形態では、ＡＢ相で停止させるため）。
【００７８】
以下の説明では、第二定速制御処理（図２１）と引込み制御処理（図２４）に分けて処理が行われるが、「定速２制御中」と「引込み制御中」を合わせて図１１に示す「第二定速制御」の実行中になる。
【００７９】
また、リール制御ステータスが「ブレーキ制御中」においては、図１１に示すように、１−２相１００％励磁（強励磁）を７４．５ｍｓの間行うことで、回転するリールにブレーキがかけられ、リールが停止される。
【００８０】
さらに、リール制御ステータスが「リール停止制御中」においては、図１１に示すように、１−２相２０％励磁（弱励磁）を継続することで、停止状態を保持させる。
＜動作＞
次に、上述したステッピングモータ７００を備えるスロットマシン１００の動作について説明する。
＜主制御部メイン処理＞
まず、図１２を用いて、主制御部３００のメイン処理について説明する。なお、同図は、主制御部３００のメイン処理の流れを示すフローチャートである。
【００８１】
遊技の基本的制御は、主制御部３００のＣＰＵ３０４が中心になって行い、電源断等を検知しないかぎり、ＣＰＵ３０４が同図の主制御部メイン処理を繰り返し実行する。
【００８２】
電源投入が行われると、まず、ステップＳ１０１では、各種の初期設定を行う。この初期設定では、図３に示すＣＰＵ３０４のスタックポインタ（ＳＰ）へのスタック初期値の設定、割込禁止の設定、Ｉ／Ｏ３１０の初期設定、ＲＡＭ３０８に記憶する各種変数の初期設定、ＷＤＴ３１４への動作許可及び初期値の設定等を行う。
【００８３】
ステップＳ１０２では、メダル投入・スタート操作受付処理を実行する。ここではメダルの投入の有無をチェックし、メダルの投入に応じて図１に示す入賞ライン表示ランプ１２０を点灯させる。また、図３に示す第１副制御部４００に対してメダルが投入されたことを示すメダル投入コマンドを送信する準備を行う。なお、前回の遊技で再遊技に入賞した場合は、前回の遊技で投入されたメダル枚数と同じ数のメダルを投入する処理を行うので、遊技者によるメダルの投入が不要となる。また、スタートレバー１３５が操作されたか否かのチェックを行い、スタート操作されたと判断した場合は、投入されたメダル枚数を確定するとともに、有効な入賞ラインを確定し、乱数発生回路３１６で発生させた乱数（第１乱数値と第２乱数値）を取得する。また、このステップＳ１０２では、第１副制御部４００に対してスタートレバー１３５が操作されたことを示すスタートレバー受付コマンドを送信する準備を行う。
【００８４】
ステップＳ１０３では、入賞役内部抽選処理を行う。この入賞役内部抽選処理の詳細については後述する。
【００８５】
ステップＳ１０４では、リール停止準備処理を行う。リール停止準備処理では、ステップＳ１０３の入賞役内部抽選処理の結果等に基づき、各リール１１０〜１１２毎にリール停止データを選択する。
【００８６】
ステップＳ１０５では、スタート操作に基づいて、全リール１１０〜１１２の回転を開始させるリール回転開始処理を実行する。このリール回転開始処理の詳細についても後述する。
【００８７】
ステップＳ１０６及びステップＳ１０７は、一つのリールごとに行い、３つのリール１１０〜１１２について行うため、３回繰り返すことになる。ＲＡＭ３０８には、リールごとにストップボタン受付フラグが用意されている。各リールにはストップボタン１３７〜１３９が１対１の対応関係で設けられており、ストップボタン受付フラグは、ストップボタン１３７〜１３９にも１対１の関係で対応している。このストップボタン受付フラグは受付可と受付禁止のうちのいずれか一方に設定される。ステップＳ１０６では、リール回転開始処理（ステップＳ１０５）が開始されたことから、このストップボタン受付フラグを受付可に設定する。ストップボタン受付フラグは、後述する主制御部タイマ割込処理で実行されるリール回転制御処理におけるストップボタン受付処理の中で、対応するストップボタンが操作されると、受付禁止に設定される。ステップＳ１０７では、ステップＳ１０６で受付可に設定されたストップボタン受付フラグが受付禁止に戻ったか否かを判定する。このステップＳ１０７は、ストップボタン受付フラグが受付禁止に戻るまで繰り返し実行される。すなわち、ステップＳ１０７では、ストップボタン１３７〜１３９の操作が受け付けられることを待っている。３つのリール１１０〜１１２全てに関してステップＳステップＳ１０７の判定がＹｅｓになった時点で、３つのリール１１０〜１１２は全て停止していることになる。
【００８８】
続くステップＳ１０８では、ストップボタン１３７〜１３９が操作されることによって停止した図柄の入賞判定を行う。ここでは、有効化された入賞ライン上に、内部当選した入賞役又はフラグ持越し中の入賞役に対応する入賞図柄組合せが揃った（表示された）場合にその入賞役に入賞したと判定する。例えば、有効化された入賞ライン上に、「リプレイ−リプレイ−リプレイ」が揃っていたならばリプレイ入賞と判定する。また、このステップＳ１０８では、入賞判定の結果を示す表示判定コマンドを第１副制御部４００に送信する準備を行う。
【００８９】
ステップＳ１０９では、メダル払出処理を行う。このメダル払出処理では、払い出しのある何らかの入賞役に入賞していれば、その入賞役に対応する枚数のメダルを払い出す。
【００９０】
ステップＳ１１０では、遊技状態制御処理を行う。この遊技状態制御処理では、遊技状態を移行するための制御が行われ、例えば、ＢＢ（ビッグボーナス）入賞の場合に次回からＢＢ（ビッグボーナス）ゲームを開始できるよう準備し、それらの最終遊技では、次回から通常遊技が開始できるよう準備する。また、このステップＳ１１０では、遊技状態を示す遊技状態コマンドを第１副制御部４００に対して送信する準備を行う。
【００９１】
以上により１ゲームが終了する。以降ステップＳ１０２へ戻って上述した処理を繰り返すことにより遊技が進行することになる。なお、上記各ステップで準備された各種コマンドは、後述する主制御部タイマ割込処理のコマンド設定送信処理（図１５に示すステップＳ２０９）において送信される。
＜入賞役内部抽選処理＞
図１３は、図１２に示すステップＳ１０３の入賞役内部抽選処理の流れを詳しく示すフローチャートである。
【００９２】
ステップＳ１０３１では、ステップＳ１０２で取得した第１乱数値と、ＲＯＭ３０６に格納されている入賞役抽選テーブルを用いて、図４（ｂ）に示した入賞役の内部抽選を行う。この内部抽選の結果、いずれかの入賞役に内部当選した場合、その入賞役のフラグを内部的にオンにする。
【００９３】
続いて、ステップＳ１０３２では、リール演出実行可否抽選を行う。リール演出は、回転しているリールを演出として停止したように見せかける演出であり、リール演出では、厳密にはリールは停止しておらず、揺れている。本実施形態におけるリール演出には、遊技者の操作が不要な第１リール演出と、遊技者のストップボタン１３７〜１３９の操作が必要な第２リール演出がある。第１リール演出は、いわゆるリールアクションであり、第２リール演出は、いわゆる疑似遊技である。ここでの抽選は、ステップＳ１０２で取得した第２乱数値と、ＲＯＭ３０６に格納されているリール演出実行可否抽選テーブルを用いて、第１リール演出の実行、第２リール演出の実行、およびリール演出を実行しないといった抽選結果の中からいずれか一つの抽選結果が導出される。
【００９４】
ステップＳ１０３３では、第１リール演出（リールアクション）に当選したか否かを判定し、当選していれば、ＲＡＭ３０８に用意されたリール演出情報に第１リール演出有りを設定し（ステップＳ１０３４）、ステップＳ１０３５に進む。一方、当選していなければ、そのままステップＳ１０３５に進む。
【００９５】
ステップＳ１０３５では、第２リール演出（疑似遊技）に当選したか否かを判定し、当選していれば、ＲＡＭ３０８に用意されたリール演出情報に第２リール演出有りを設定し（ステップＳ１０３６）、ステップＳ１０３７に進む。一方、当選していなければ、そのままステップＳ１０３７に進む。
【００９６】
ステップＳ１０３７では、第１副制御部４００に対して、入賞役とリール演出それぞれの内部抽選の結果を示す内部抽選結果コマンドを送信する準備を行い、入賞役内部抽選処理は終了になる。
＜リール回転開始処理＞
図１４は、図１２に示すステップＳ１０５のリール回転開始処理の流れを詳しく示すフローチャートである。
【００９７】
ステップＳ１０５０では、遊技時間監視タイマ値を取得する。遊技時間監視タイマとは、主制御部３００のＲＡＭ３０８の特定の記憶領域に記憶されるタイマであり、１回の遊技に必要な時間を所定の時間（例えば、最少遊技時間の４．１秒）以上になるように制限し、単位時間における遊技媒体の獲得数または損失数を抑え、遊技の射幸性を制限する目的で設定されるタイマである。遊技時間監視タイマは、後述するステップＳ１０５２で所定のタイマ値（たとえば４．１秒に相当するタイマ値）が設定され、主制御部３００のタイマ割込処理（後述する）が実行されるごとにデクリメントされる。
【００９８】
ステップＳ１０５１では、取得した遊技時間監視タイマ値が４．１秒以上を経過しているか否かを判定する。すなわち、遊技時間監視タイマの値が０になっていれば、４．１秒以上を経過していることになるが、遊技時間監視タイマの値が０より大きければ４．１秒を経過していないことになる。遊技時間監視タイマ値が４．１秒以上を経過しているときは、今回の遊技を開始してもよいので、ステップＳ１０５２に進む。一方、遊技時間監視タイマ値が４．１秒を経過していないときは、ステップＳ１０５０に戻り処理を繰り返す。処理を繰り返している間に、遊技時間監視タイマのタイマ値が主制御部３００のタイマ割り込みごとにデクリメントされ、遊技時間監視タイマが０になった時点でステップＳ１０５２に進む。
【００９９】
ステップＳ１０５２では、遊技時間監視タイマ値を再設定する。具体的には、４．１秒に相当するタイマ値をＲＡＭ３０８の特定の領域に記憶する。なお、本実施形態では、遊技時間監視タイマ値を設定した時が１回の遊技の開始タイミングとなる。１回の遊技の終了タイミングは、次に遊技時間監視タイマ値を設定した時である。つまり、１回の遊技とは遊技時間監視タイマ値を設定してから次の遊技時間監視タイマ値を設定するまでのことである。また、遊技時間監視タイマ値は各リール１１０〜１１２の回転開始ごとに設定されるため、各リール１１０〜１１２が回転開始してから、次に各リール１１０〜１１２が回転開始するまでの間を１回の遊技とすることもできる。なお、１回の遊技の終了タイミングは、遊技時間監視タイマ値が０になり、かつ、図１２のＳ１１０の遊技状態制御処理が終了した時であってもよい。また、１回の遊技の開始タイミングを有効なスタートレバーの受付時とし、１回の遊技の終了タイミングを有効なベットボタン操作の受付可能時とし、ベットボタン操作の受付可能時から有効なスタートレバーの受付時までの期間は次の遊技開始の準備期間としてもよい。
【０１００】
ステップＳ１０５３では、第１副制御部４００に送信するリール回転開始コマンドの設定を行い、送信準備をする。リール回転開始コマンドとは、リール１１０〜１１２の回転開始を示すコマンドである。
【０１０１】
ステップＳ１０５４では、左リール１１０のステータスを「回転開始」に設定する。
【０１０２】
ステップＳ１０５５では、中リール１１１のステータスを「回転開始」に設定する。
【０１０３】
ステップＳ１０５６では、右リール１１２のステータスを「回転開始」に設定する。
【０１０４】
ステップＳ１０５７では、図１３に示すステップＳ１０３４やステップＳ１０３６において設定したリール演出情報に、第１リール演出有りあるいは第２リール演出有りが設定されているか否かを判定し、設定されている場合には、リール制御ステータスを「リール演出制御中」に設定し（ステップＳ１０５８）、このリール回転開始処理は終了になる。設定されていない場合には、リール制御ステータスを「加速状態（加速制御中）」に設定し（ステップＳ１０５８）、このリール回転開始処理は終了になる。なお、リール制御ステータスとは、上述したように、主制御部３００のＲＡＭ３０８の所定の記憶領域に各リール１１０〜１１２それぞれごとに独立して記憶されるリールの制御状態に関する情報であり、「停止制御状態（停止制御中）」、「加速状態（加速制御中）」、「定速１状態（定速１制御中）」、「定速２状態（定速２制御中）」、「引込み状態（引込み制御中）」、「ブレーキ状態（ブレーキ制御中）」、「リール演出制御中」のいずれかの情報が記憶される。また、ステップＳ１０５９では、加速開始要求フラグをＯＮにする。加速開始要求フラグは、主制御部３００のＲＡＭ３０８の所定の記憶領域に記憶されるフラグ情報であり、後述する加速制御処理において参照される。
＜主制御部タイマ割込処理＞
次に、図１５を用いて、主制御部３００のＣＰＵ３０４が実行する主制御部タイマ割込処理について説明する。なお、同図は主制御部タイマ割込処理の流れを示すフローチャートである。
【０１０５】
主制御部３００は、所定の周期（本実施形態では約１．５ｍｓに１回）でタイマ割込信号を発生するカウンタタイマ３１２を備えており、このタイマ割込信号を契機として主制御部タイマ割込処理を所定の周期で実行する。
【０１０６】
ステップＳ２０１では、タイマ割込開始処理を行う。このタイマ割込開始処理では、ＣＰＵ３０４の各レジスタの値をスタック領域に一時的に退避する処理などを行う。
【０１０７】
ステップＳ２０２では、ＷＤＴ３１４のカウント値が初期設定値（本実施形態では３２．８ｍｓ）を超えてＷＤＴ割込が発生しないように（処理の異常を検出しないように）、ＷＤＴを定期的に（本実施形態では、主制御部タイマ割込の周期である１．４９ｍｓに１回）リスタートを行う。
【０１０８】
ステップＳ２０３では、入力ポート状態更新処理を行う。この入力ポート状態更新処理では、図３に示すＩ／Ｏ３１０の入力ポートを介して、各種センサ３１８のセンサ回路３２０の検出信号を入力して検出信号の有無を監視し、ＲＡＭ３０８に各種センサ３１８ごとに区画して設けた信号状態記憶領域に記憶する。
【０１０９】
ステップＳ２０４では、各種遊技処理を行う。具体的には、割込みステータスを取得し（図３に示す各種センサ３１８からの信号に基づいて各種割込みステータスを取得する）、このステータスに従った処理を行う。例えば、割込みステータスがメダル投入処理中であれば、メダル投入受付処理を行い、また、割込みステータスが払出処理中であれば、メダル払出処理を行う。
【０１１０】
ステップＳ２０５では、タイマ更新処理を行う。各種タイマをそれぞれの時間単位により更新する。本実施形態では、具体的には、上述した遊技時間監視タイマの減算更新が行われる。
【０１１１】
ステップＳ２０６では、デバイス監視処理を行う。このデバイス監視処理では、まず、ステップＳ１００３において信号状態記憶領域に記憶した各種センサ３１８の信号状態を読み出して、メダル投入異常及びメダル払出異常等に関するエラーの有無を監視し、エラーを検出した場合にはエラー処理を実行する。さらに、現在の遊技状態に応じて、メダルセレクタ１７０（メダルセレクタ１７０内に設けたソレノイドが動作するメダルブロッカ）、各種ランプ３３８、各種の７セグメント（ＳＥＧ）表示器の設定を行う。
【０１１２】
ステップＳ２０７では、ストップボタン表示制御処理を行う。ストップボタン表示制御処理の詳細については後述する。
【０１１３】
ステップＳ２０８では、ＲＡＭ３０８に記憶されている各リールのステータスが「回転開始」になっている場合には、リール回転制御処理（詳しくは後述）を行う。このリール回転制御処理では、リールの回転を制御するとともに、主制御部メイン処理のステップＳ１０６で選択した複数のリール停止データの候補から、リール１１０〜１１２の停止順序や停止状況に応じて、実際にリール停止制御に用いるリール停止データを決定した後、決定したリール停止データに基づいて、押されたストップボタン１３７〜１３９に対応するリール１１０〜１１２の回転を停止させる。
【０１１４】
ステップＳ２０９では、コマンド設定送信処理を行い、各種のコマンドが第１副制御部４００に送信される。なお、第１副制御部４００に送信する出力予定情報は本実施形態では１６ビットで構成しており、ビット１５はストローブ情報（オンの場合、データをセットしていることを示す）、ビット１１〜１４はコマンド種別（本実施形態では、基本コマンド、スタートレバー受付コマンド、内部抽選コマンド、リール１１０〜１１２の回転を開始に伴う回転開始コマンド、ストップボタン１３７〜１３９の操作の受け付けに伴うストップボタン受付コマンド、リール１１０〜１１２の停止処理に伴う停止位置情報コマンド、メダル払出処理に伴う払出枚数コマンド及び払出終了コマンド等）、ビット０〜１０はコマンドデータ（コマンド種別に対応する所定の情報）で構成している。
【０１１５】
第１副制御部４００は、受信した出力予定情報に含まれるコマンド種別により、主制御部３００における遊技制御の変化に応じた演出制御の決定が可能になるとともに、出力予定情報に含まれているコマンドデータの情報に基づいて、演出制御内容を決定することが可能となる。
【０１１６】
ステップＳ２１０では、外部信号出力処理を行う。この外部信号出力処理では、ＲＡＭ３０８に記憶している遊技情報を、図３に示す情報出力回路３３４を介してスロットマシン１００とは別体の情報入力回路６５２に出力する。
【０１１７】
ステップＳ２１１では、低電圧信号がオンであるか否かを監視する。そして、低電圧信号がオンの場合（電源の遮断を検知した場合）にはステップＳ２１３に進み、低電圧信号がオフの場合（電源の遮断を検知していない場合）にはステップＳ２１２に進む。
【０１１８】
ステップＳ２１２では、タイマ割込処理を終了する各種処理（タイマ割込終了処理）を行う。このタイマ割込終了処理では、ステップＳ２０１で一時的に退避した各レジスタの値を元の各レジスタに設定等行う。その後、図１２に示す主制御部メイン処理に復帰する。
【０１１９】
一方、ステップＳ２１３では、復電時に電断時の状態に復帰するための特定の変数やスタックポインタを復帰データとしてＲＡＭ３０８の所定の領域に退避し、入出力ポートの初期化等の電断処理を行い、その後、図１２に示す主制御部メイン処理に復帰する。
＜ストップボタン表示制御処理＞
次に、図１６を用いて、ストップボタン表示制御処理について詳細に説明する。なお、図１６は、図１５に示すステップＳ２０７のストップボタン表示制御処理の流れを詳しく示すフローチャートである。
【０１２０】
ステップＳ２０７１では、３つのリール１１０〜１１２それぞれに対応した各ストップボタン受付フラグのうち、一つのフラグでも受付可に設定されているか否かを判定する。上述のごとく、ストップボタン受付フラグは、リールごと（ストップボタンごと）に、図１２に示す主制御部メイン処理におけるステップＳ１０６において受付可に設定される。全てのストップボタン受付フラグが受付禁止に設定されていれば、このストップボタン表示制御処理は終了になり、一つ以上のストップボタン受付フラグが受付可に設定されていれば、今度は、全てのリール１１０〜１１２が定速２状態に移行済みであるか否かを、各リールのリール制御ステータスを参照して判定する（ステップＳ２７０２）。このステップＳ２７０２では、各リールのリール制御ステータスが、「定速２状態」、「引込み状態」、および「ブレーキ状態」のいずれかであればＹｅｓの判定結果になり、ステップＳ２７０３に進む。一方、一つのリールでもリール制御ステータスが、「加速状態」あるいは「定速１状態」であった場合には、このストップボタン表示制御処理は終了になる。
【０１２１】
ステップＳ２７０３では、全てのリール１１０〜１１２についてインデックスセンサによって遮光片が検出されているか否かを判定する。ＲＡＭ３０８には、リールごとに、インデックスセンサが遮光片を検出済みか否かを示す検出情報を記憶しておくインデックスセンサ検出記憶領域が用意されており、ステップＳ２７０３では、全てのリールについてのインデックスセンサ検出記憶領域を参照し、判定を行う。一つのリールについてでも、未検出である検出情報が記憶されていると、このストップボタン表示制御処理は終了になる。一方、全てのリール１１０〜１１２について、検出済みである検出情報が記憶されていれば、ステップＳ２７０４に進む。
【０１２２】
ＲＡＭ３０８には、各ストップボタン１３７〜１３９の内部に設けられた発光体１３７ａ〜１３９ａの発光態様を記憶する発光態様記憶領域も用意されている。すなわち、リール（ストップボタン）ごとに発光態様記憶領域が用意されている。発光体１３７ａ〜１３９ａの初期発光態様は、例えば、非発光の態様（消灯した態様）であったり、第１色の発光態様である。以下、初期発光態様を第１発光態様という。発光態様記憶領域には、最初は、発光態様情報として第１発光態様が記憶されている。ステップＳ２７０４まで進んできた状況では、全リール１１０〜１１２は停止しておらず（少なくとも一つのリールは回転しており）、全リール１１０〜１１２は、定速２状態に移行済みであって、かつ遮光片が検出された状態である。この状態で、定速２状態で回転を続けているリールについてのストップボタンの内部に設けられた発光体の発光態様を、第１発光態様から第２発光態様に変化させる。第２発光態様は、例えば、点滅の態様であったり、第２色の発光態様である。また、第１発光態様が第１色の発光態様であった場合には、非発光の態様（消灯した態様）であってもよい。さらに、第２発光態様が第２色の発光態様であった場合には、第１発光態様が点滅の態様であってもよい。このように、第１発光態様と第２発光態様は、消灯態様、点滅態様も含めて互いに異なる態様であればよい。第２発光態様は、第２発光態様のストップボタンの操作が受け付けられる状態であることを報知する態様である。すなわち、第２発光態様のストップボタンに対応したリールが、そのストップボタンの操作によって停止可能状態にあることを報知する態様である。ステップＳ２７０４では、停止ボタン受付フラグが受付可に設定されているリールの発光態様記憶領域における発光体情報を、第２発光態様に更新し、このストップボタン表示制御処理は終了になる。このステップＳ２７０４が実行されることで、例えば、全リール１１０〜１１２が停止しておらず、それらの全リール１１０〜１１２は、定速２状態に移行済みであって、かつ遮光片が検出された状態である場合には、全ストップボタン１３７〜１３９の内部に設けられた発光体１３７ａ〜１３９ａの発光態様が、第２発光態様に揃って変化する。また、一部のリールは停止しており、残ったリールは、定速２状態に移行済みであって、かつ遮光片が検出された状態である場合には、残ったリール（回転しているリール）のストップボタンの内部に設けられた発光体の発光態様のみが第２発光態様に変化する。
＜リール回転制御処理＞
次に、図１７を用いて、リール回転制御処理について詳細に説明する。なお、図１７は、図１５に示すステップＳ２０８のリール回転制御処理の流れを詳しく示すフローチャートである。
【０１２３】
ステップＳ２０８ａ〜ステップＳ２０８ｃは、一つのリールごとに行い、３つのリール１１０〜１１２について行うため、少なくともステップＳ２０８ａは３回繰り返すことになる。このステップＳ２０８ａでは、ストップボタン受付フラグが受付可に設定されているか否かを判定する。すなわち、対象となるリールが回転中か否かを判定する。ストップボタン受付フラグが受付禁止に設定されていれば、残りのリールについてステップＳ２０８ａを実行するか、全てのリールについてステップＳ２０８ａを実行している場合にはステップＳ２０８ｄに進む。一方、ストップボタン受付フラグが受付可に設定されていれば、対象リールの遮光片がインデックスセンサによって検出されたか否かを判定する（ステップＳ２０８ｂ）。ここでの判定では、インデックスセンサからの検出信号を受信したか否かによって判定し、受信していなかった場合には、残りのリールについてステップＳ２０８ａを実行するか、全てのリールについてステップＳ２０８ａを実行している場合にはステップＳ２０８ｄに進む。一方、受信していた場合には、対象リールのインデックスセンサ検出記憶領域を、検出済みである検出情報に更新し（ステップＳ２０８ｃ）、ステップＳ２０８ｄに進む。このように、本実施形態では、リール回転制御処理を実行するたびに、ストップボタン受付フラグが受付可に設定されていれば、対象リールの遮光片がインデックスセンサによって検出されたか否かを判定することになり、リール制御ステータスが「加速状態」であっても、あるいは「定速１状態」であっても対象リールの遮光片を検出することができる。ただし、「或る状態」（例えば、「定速１状態」あるいは「定速２状態」等）に限って遮光片を検出する場合には、ステップＳ２０８ａとステップＳ２０８ｂの間にリール制御ステータスを参照して「或る状態」であるか否かを判定する処理を行い、Ｙｅｓの場合にステップＳ２０８ｂを実行し、Ｎｏの場合には残りのリールについてステップＳ２０８ａを実行するか、全てのリールについてステップＳ２０８ａを実行している場合にはステップＳ２０８ｄに進むようにすればよい。
【０１２４】
ステップＳ２０８ｄでは、ストップボタン受付処理が実行される。このストップボタン受付処理については後述する。
【０１２５】
ステップＳ２０８ｆ〜ステップＳ２０８ｋは、一つのリールごとに行い、３つのリール１１０〜１１２について行う。ステップＳ２０８ｆでは、リール制御情報を取得する。ここで、リール制御情報とは、リール１１０〜１１２の回転制御に関する情報全体を意味しており、ＲＡＭ３０８の所定領域に記憶されている。本実施形態では、上述したリール制御ステータス、汎用オフセットカウンタ、後述するリール制御ステータス移行カウンタ、保持カウンタなどの値がリール制御情報に含まれる。
【０１２６】
ステップＳ２０８ｇでは、取得したリール制御情報に基づいて、リール制御判定処理（詳しくは後述）を行う。
【０１２７】
ステップＳ２０８ｈでは、リール駆動信号切替要求フラグがＯＮであるか否かを判定する。リール駆動信号切替要求フラグとは、主制御部３００のＲＡＭ３０８の所定の記憶領域に記憶されるフラグ情報であり、現在設定されている回転制御データを切り替えるか否かを示す。リール駆動信号切替要求フラグがＯＮの場合には、現在設定されている回転制御データを切り替え、リール駆動信号切替要求フラグがＯＦＦの場合には、現在設定されている回転制御データを切り替えない。なお、リール駆動信号切替要求フラグは、加速制御処理において設定される。リール駆動信号切替要求フラグがＯＮである場合には、ステップＳ２０８ｉに進み、リール駆動信号切替要求フラグがＯＦＦである場合には、ステップＳ２０８ｋまで進む。
【０１２８】
ステップＳ２０８ｉでは、取得したリール制御情報に含まれている、リール制御ステータス及び汎用オフセットカウンタ値に基づいて、回転制御データを取得する。具体的には、図１１に示した表の中から、リール制御ステータス及び汎用オフセットカウンタ値に基づいて、該当する励磁テーブル（回転制御データ）を取得する。例えば、リール制御ステータスが「加速制御中」、汎用オフセットカウンタ値が「０」であれば、励磁テーブル「７７Ｈ」の回転制御データが取得される。
【０１２９】
ステップＳ２０８ｊでは、ステップＳ２０８ｉで取得した回転制御データを設定する。
【０１３０】
ステップＳ２０８ｋでは、上述した処理に応じてリール制御情報の内容が変更されているので、リール制御情報を更新する。
＜リール制御判定処理＞
図１８は、図１７に示すステップＳ２０８ｇのリール制御判定処理の流れを詳しく示すフローチャートである。リール制御判定処理は、上述したリール制御ステータスに応じて、リールの回転制御を順次切り替えていく処理である。具体的には、加速制御処理、リール演出制御処理、第一定速制御処理、第二定速制御処理、引込み制御処理、ブレーキ制御処理の順序で処理が実行される。
【０１３１】
ステップＳ３０１では、リール制御ステータスを取得する。
【０１３２】
ステップＳ３０２では、取得したリール制御ステータスが「停止制御中」であるか否かを判定し、取得したリール制御ステータスが「停止制御中」であるときは、リール制御判定処理は終了になる。一方、取得したリール制御状態が「停止制御中」でないときは、Ｓ３０３に進む。
【０１３３】
ステップＳ３０３では、取得したリール制御状態が「リール演出制御中」であるか否かを判定する。リール制御状態が「リール演出制御中」であるときは、ステップＳ３０４に進み、リール演出制御処理を行う。上述のごとく、リール演出には、遊技者操作が不要の第１リール演出（いわゆるリールアクション）と、遊技者に左、中、右のストップボタン１３７〜１３９を操作させるリール演出（いわゆる疑似遊技）とがある。第１リール演出の制御では、本遊技の加速制御、第一定速制御、第二定速制御、ブレーキ制御のうちの少なくともいずれかの制御処理を流用してもよいし、第１リール演出制御専用の各制御処理を用意してもよい。また、第１リール演出では、リールを加速させてから、定速状態を維持する前に減速（ブレーキ制御を実行）させてもよい。第２リール演出の制御では、本遊技の加速制御、第一定速制御、第二定速制御、ブレーキ制御、引込制御のうちの少なくともいずれかの制御処理を流用してもよいし、リール演出制御専用の各制御処理を用意してもよい。また、本遊技ではできない５コマ以上の滑りコマ数による引込制御を行ってもよい。リール演出終了後は、各リールの回転開始タイミングを遅延させ、複数のリールが同時に回転を開始しないようにするランダム遅延処理を行った後に、リール制御ステータスを加速制御中に設定する。一方、リール制御状態が「リール演出制御中」でないときは、ステップＳ３０５に進む。
【０１３４】
ステップＳ３０５では、取得したリール制御状態が「加速制御中」であるか否かを判定する。リール制御状態が「加速制御中」であるときは、ステップＳ３０６に進み、加速制御処理（リールの回転を加速するための制御処理；詳しくは後述する）を行う。一方、リール制御状態が「加速制御中」でないときは、ステップＳ３０７に進む。
【０１３５】
ステップＳ３０７では、取得したリール制御状態が「定速１制御中」であるか否かを判定する。リール制御状態が「定速１制御中」であるときは、ステップＳ３０８に進み、第一定速制御処理（リールの回転を定速に維持するための制御処理；詳しくは後述する）を行う。一方、リール制御状態が「定速１制御中」でないときは、ステップＳ３０９に進む。
【０１３６】
ステップＳ３０９では、取得したリール制御状態が「定速２制御中」であるか否かを判定する。リール制御状態が「定速２制御中」であるときは、ステップＳ３１０に進み、第二定速制御処理（リールの回転を定速に維持するための制御処理；詳しくは後述する）を行う。一方、リール制御状態が「定速２制御中」でないときは、ステップＳ３１１に進む。
【０１３７】
ステップＳ３１１では、取得したリール制御状態が「ブレーキ制御中」であるか否かを判定する。リール制御状態が「ブレーキ制御中」であるときは、ステップＳ３１２に進み、ブレーキ制御処理（リールの回転を停止させるための制御処理；詳しくは後述する）を行う。一方、リール制御状態が「ブレーキ制御中」でないときは、ステップＳ３１３に進む。
【０１３８】
ステップＳ３１３では、リール制御状態が「引込み制御中」であるので、引込み制御処理（リールを停止位置に引込み制御する処理；詳しくは後述する）を行う。
＜加速制御処理＞
図１９は、図１８に示すステップＳ３０６の加速制御処理の流れを詳しく示すフローチャートである。
【０１３９】
ステップＳ３０６ａでは、加速開始要求フラグに基づいて、加速開始要求があるか否かを判定する。なお、加速開始要求フラグは、図１４に示したリール回転開始処理のステップＳ１０５９においてＯＮに設定されるので、１回目のタイマ割込処理のステップＳ３０６ａでは、ＹＥＳと判定される。なお、後述するステップＳ３０６ｄにおいて、加速開始要求フラグはＯＦＦに設定されるので、２回目以降のタイマ割込処理のステップＳ３０６ａでは、ＮＯと判定される。加速開始要求がある場合には、ステップＳ３０６ｂに進み、加速開始要求がない場合には、ステップＳ３０６ｆに進む。
【０１４０】
ステップＳ３０６ｂでは、リール制御ステータス移行カウンタの値に初期値である０を設定する。ここで、リール制御ステータス移行カウンタとは、１サイクル８ステップの回転制御データの繰り返しセット数（サイクル数）を計測するカウンタであり、本実施形態では、図１１に示すように、３回繰り返されると加速制御処理を終了させる。
【０１４１】
ステップＳ３０６ｃでは、汎用オフセットカウンタの値に初期値である０を設定する。
【０１４２】
ステップＳ３０６ｄでは、リール駆動信号切替要求フラグをＯＮにする。また、加速開始要求フラグをＯＦＦに設定する。
【０１４３】
ステップＳ３０６ｅでは、図柄間隔カウンタ（詳しくは後述）の値にダミー値である０を設定する。なお、ステップＳ３０６ｅで設定された図柄間隔カウンタの値は、後述する第二定速制御処理にて使用される。ステップＳ３０６ｅの処理終了後は、ステップＳ３０６ｑに進む。
【０１４４】
ステップＳ３０６ｆでは、保持カウンタの値を１減算する。保持カウンタの値は、後述するステップＳ３０６ｑにおいて設定され、１回のタイマ割込処理で１減算される。なお、ステップＳ３０６ｑにおいて保持カウンタに設定される初期値は、設定された汎用オフセットカウンタ値に対応する保持パラメータの値であり、例えば、図１１に示すように、汎用オフセットカウンタ値が０の場合には、１２が初期値として保持カウンタに設定される。
【０１４５】
ステップＳ３０６ｇでは、リール駆動信号切替要求フラグをＯＦＦに設定する。
【０１４６】
ステップＳ３０６ｈでは、減算された保持カウンタの値が０であるか否かを判定する。保持カウンタの値が０の場合には、回転制御データの切替時なので、ステップＳ３０６ｉに進み、保持カウンタの値が０でない場合には、回転制御データの切替時ではないので、加速制御処理は終了になる。
【０１４７】
ステップＳ３０６ｉでは、回転制御データの切替時なので、リール駆動信号切替要求フラグをＯＮに設定する。
【０１４８】
ステップＳ３０６ｊでは、次の回転制御データを設定するため、汎用オフセットカウンタの値に１を加算する。
【０１４９】
ステップＳ３０６ｋでは、加算された汎用オフセットカウンタの値が８であるか否かを判定する。汎用オフセットカウンタの値が８である場合には、当該セット（サイクル）の回転制御は終了したので、ステップＳ３０６ｌに進み、汎用オフセットカウンタの値が８でない場合には、当該セット（サイクル）の回転制御は終了していないので、ステップＳ３０６ｑに進む。
【０１５０】
ステップＳ３０６ｌでは、次のセット（サイクル）の回転制御に移行するため、汎用オフセットカウンタ値に初期値である０を設定する。
【０１５１】
ステップＳ３０６ｍでは、リール制御ステータス移行カウンタの値に１を加算する。
【０１５２】
ステップＳ３０６ｎでは、加算されたリール制御ステータス移行カウンタの値が３であるか否かを判定する。リール制御ステータス移行カウンタの値が３である場合には、ステップＳ３０６ｏに進み、リール制御ステータス移行カウンタの値が３でない場合には、ステップＳ３０６ｑに進む。
【０１５３】
ステップＳ３０６ｏでは、加速制御中に設定されたすべての回転制御を行ったので、リール制御ステータスを「定速１制御中」に設定する。
【０１５４】
ステップＳ３０６ｐでは、リール制御ステータス移行カウンタの値に初期値である０を設定する。ステップＳ３０６ｐの処理終了後は、加速制御処理は終了になる。
【０１５５】
ステップＳ３０６ｑでは、図１１に示す回転制御テーブルを参照し、リール制御ステータスが「加速制御中」であって、設定されたリール制御ステータス移行カウンタ値及び汎用オフセットカウンタ値に対応する保持パラメータ値を取得し、取得した保持パラメータ値を保持カウンタの初期値として設定する。例えば、図１１に示すように、リール制御ステータス移行カウンタ値０、汎用オフセットカウンタ値０の場合には、１２が保持カウンタの初期値として設定され、リール制御ステータス移行カウンタ値１、汎用オフセットカウンタ値７の場合には、１が保持カウンタの初期値として設定される。ステップＳ３０６ｑの処理終了後は、加速制御処理は終了になる。
＜第一定速制御処理＞
図２０は、図１８に示すステップＳ３０８の第一定速制御処理を詳しく示すフローチャートである。
【０１５６】
ステップＳ３０８ａでは、汎用オフセットカウンタの値に１を加算する。すなわち、第一定速制御処理では、図１１に示すように、１割込時間ごとに回転制御データを切り替えていくので、汎用オフセットカウンタの値は、タイマ割込処理ごとにインクリメントされる。なお、リール駆動信号切替要求フラグは、加速制御処理のステップＳ１３０９でＯＮに設定された以降、切り替え処理は行われないので、リール駆動信号切替要求フラグは、第一定速制御処理及び後述する第二定速制御処理の間は、ＯＮのまま維持される。したがって、図１７のリール回転制御処理では、タイマ割込処理ごとに、加算された汎用オフセットカウンタ値に対応する回転制御データが設定される（図１７のステップＳ２０８ｊ参照）。
【０１５７】
ステップＳ３０８ｂでは、加算された汎用オフセットカウンタの値が８であるか否かを判定する。汎用オフセットカウンタの値が８である場合には、次のセット（サイクル）の回転制御に移行するため、ステップＳ３０８ｃに進み、汎用オフセットカウンタの値が８でない場合には、当該セット（サイクル）の回転制御は終了していないので、第一定速制御処理は終了になる。
【０１５８】
ステップＳ３０８ｃでは、次のセット（サイクル）の回転制御に移行するため、汎用オフセットカウンタの値に初期値である０を設定する。
【０１５９】
ステップＳ３０８ｄでは、リール制御ステータス移行カウンタの値に１を加算する。
【０１６０】
ステップＳ３０８ｅでは、加算されたリール制御ステータス移行カウンタの値が１６であるか否かを判定する。リール制御ステータス移行カウンタの値が１６である場合には、１６セットの回転制御が終了したので（図１１参照）、ステップＳ３０８ｆに進み、リール制御ステータス移行カウンタの値が１６でない場合には、第一定速制御処理は終了になる。
【０１６１】
ステップＳ３０８ｆでは、定速１制御中に設定されたすべての回転制御を行ったので、リール制御ステータスを「定速２制御中」に設定する。
＜第二定速制御処理＞
図２１は、図１８に示すステップＳ３１０の第二定速制御処理を詳しく示すフローチャートである。第二定速制御処理は、主にリールの図柄位置を追跡する処理を行っている。リールの図柄位置を主制御部３００が把握するために「図柄番号カウンタ」及び「図柄間隔カウンタ」という２つのカウンタを用いて図柄位置を監視している。ここで、「図柄番号カウンタ」及び「図柄間隔カウンタ」について説明する。
【０１６２】
図４は、図柄番号カウンタと図柄間隔カウンタの関係を示す図でもある。図柄番号カウンタは、基準位置である図柄表示窓１１３の中段に位置する図柄を記憶保持するためにＲＡＭ３０８に設けられたカウンタであり、例えば、左リール１１０に関しては、左リール１１０の図柄列の上端のＢＢ図柄が基準位置となっており、インデックスセンサ６０６Ａが遮光片６１２Ｄを通過した時を起点としてカウントを開始する。各図柄とカウント値とは予め対応付けられており、主制御部３００は、リール停止時の図柄番号カウンタ値から図柄表示窓１１３に停止表示されている図柄を特定し、入賞判定を行うことができる。図柄間隔カウンタも、ＲＡＭ３０８に設けられたカウンタであり、１図柄あたりの駆動パルス数（タイマ割込処理回数）をカウントする。主制御部３００は、１図柄あたりの駆動パルス数（ここでは２４）を図柄間隔カウンタに設定し、駆動パルスの出力ごとに減算し、図柄間隔カウンタの値が０になったときに図柄番号カウンタを１更新するようにしている。
【０１６３】
ステップＳ３１０ａでは、汎用オフセットカウンタの値に１を加算する。すなわち、第二定速制御処理では、図１１に示すように、１割込時間ごとに回転制御データを切り替えていくので、汎用オフセットカウンタの値は、タイマ割込処理ごとにインクリメントされる。また、リール駆動信号切替要求フラグも引き続きＯＮのままなので、図１７のリール回転制御処理では、タイマ割込処理ごとに、加算された汎用オフセットカウンタ値に対応する回転制御データが設定される（図１７のステップＳ２０８ｌ参照）。
【０１６４】
ステップＳ３１０ｂでは、加算された汎用オフセットカウンタの値が８であるか否かを判定する。汎用オフセットカウンタの値が８である場合には、次のセット（サイクル）の回転制御に移行するため、ステップＳ３１０ｃに進み、汎用オフセットカウンタの値が８でない場合には、当該セット（サイクル）の回転制御は終了していないので、ステップＳ３１０ｄに進む。
【０１６５】
ステップＳ３１０ｃでは、次のセット（サイクル）の回転制御に移行するため、汎用オフセットカウンタの値に初期値である０を設定する。
【０１６６】
ステップＳ３１０ｄでは、図柄間隔カウンタの値を１減算する。すなわち、図柄間隔カウンタの値は、１割込時間ごとにデクリメントされる。
【０１６７】
ステップＳ３１０ｅでは、減算された図柄間隔カウンタの値が０であるか否かを判定する。図柄間隔カウンタの値が０である場合には、ステップＳ３１０ｆに進み、図柄間隔カウンタの値が０でない場合には、ステップＳ３１０ｈに進む。
【０１６８】
ステップＳ３１０ｆでは、図柄間隔カウンタの値が０の場合には、次の図柄に代わるので、図柄間隔カウンタの値に初期値である２４を設定する。
【０１６９】
ステップＳ３１０ｇでは、次の図柄に更新すべく、図柄番号カウンタの値を１減算する。
【０１７０】
ステップＳ３１０ｈでは、ＲＡＭ３０８のインデックスセンサ検出記憶領域からインデックスセンサの検出情報を取得する。上述のごとく、この検出情報は、図１７に示すリール回転制御処理の中で更新されている（ステップＳ２０８ｃ）。なお、３つのリールそれぞれにおいて、遮光片は、図柄番号カウンタ値が０で図柄間隔カウンタ値が０の位置に設けられたものであり、その遮光片が、インデックスセンサの投光部と受光部の間を通過したときに、検出ありとされる。
【０１７１】
ステップＳ３１０ｉでは、取得したインデックスセンサの検出情報が検出済みである場合には、ステップＳ３１０ｊに進み、未検出である場合には、ステップＳ３１０ｎに進む。
【０１７２】
ステップＳ３１０ｊでは、リールの図柄位置がサーチできているので、ＲＡＭ３０８の所定領域にストップボタン有効情報を設定する。すなわち、図柄番号カウンタ値が０で図柄間隔カウンタ値が０の位置に設けられた遮光片が定速状態で検知されたことで、リールの停止位置を制御可能になり、当該リールは停止可能状態になる。ストップボタン有効情報が設定されると（停止可能状態になると）、当該ストップボタンの操作が受け付けられるようになる。なお、ストップボタン有効情報が設定されていないストップボタンを操作すると、操作自体は受け付けられても、その操作が無効化され、そのストップボタンに対応したリールは停止しない。あるいは、操作自体が受け付けられないようにしてもよい。
【０１７３】
本実施形態では、ストップボタン有効情報は、第二定速制御処理の中で設定されるが、ステップＳ３１０ｈ〜ステップＳ３１０ｊを第一定速制御処理の中で実行するようにして、ストップボタン有効情報が、第一定速制御処理の中で設定されるようにしてもよい。
【０１７４】
ステップＳ３１０ｋでは、図柄間隔カウンタの値に初期値である２４を設定する。
【０１７５】
ステップＳ３１０ｌでは、図柄番号カウンタの値に初期値である０を設定する。
【０１７６】
ステップＳ３１０ｍでは、ＲＡＭ３０８に設けたステップアウト検出用カウンタの値に初期値である０を設定する。ステップＳ３１０ｍの処理終了後は、第二定速制御処理は終了になる。
【０１７７】
ステップＳ３１０ｎでは、ステップアウト検出用カウンタの値に基づき、ステップアウト検出処理を行う。ステップアウト検出処理では、ステップアウト検出用カウンタの値を１割り込み事に１を加算して特定値（例えば、リールを１回転（３６０度回転）させるのに必要なパルス数の値、ここでは５０４）となった場合にステップアウト（いわゆる脱調）と判定し、操作されていない全リールを加速制御からやり直すが、ステップアウトしたリールのみ加速制御からやり直すようにしてもよい。なお、本実施形態では、ステップアウト検出処理は第二定速制御処理でのみ行われるため、第二定速制御処理よりも前の第一定速制御処理や加速制御処理の期間にステップアウトした場合には、ステップアウト検出処理が行われず、主制御部３００はステップアウトを検出することができないことになるが、該期間でもステップアウト検出処理を行うようにしてもよい。また、ステップアウトの他に、他の異常状態（例えば、共振、ミスステップ、モータ停止）を検出する処理を行ってもよい。ステップＳ３１０ｎの処理終了後は、第二定速制御処理は終了になる。
＜ストップボタン受付処理＞
図２２は、図１７に示すステップＳ２０８ｄのストップボタン受付処理を詳しく示すフローチャートである。尚、ストップボタン受付処理は、ストップボタン１３７〜１３９の操作が受付可能になった状態、即ち、図２１に示す第二定速制御処理のステップＳ３１０ｊにおいて、ストップボタン有効情報が設定された後に実行されるものである。ストップボタン受付処理は、ストップボタン１３７〜１３９の操作に基づいて対応するリールの停止位置を決定する処理である。
【０１７８】
ステップＳ２０８ｄ１では、停止受付情報を取得する。ここで、停止受付情報は、ストップボタン有効情報であったり、リール制御情報の一部であり、停止受付の判定に必要な情報すべてを意味している。
【０１７９】
ステップＳ２０８ｄ２では、取得した停止受付情報から、停止可能なリールを判定し、ＲＡＭ３０８の所定領域に停止可能リール情報を設定する（例えば、左リール１１０が停止可能なリールであると判断されたときは、左リール１１０を設定する）。
【０１８０】
ステップＳ２０８ｄ３では、設定された停止可能リール情報が表すリールに対応するストップボタンの操作が行われたか否かを判定する。すなわち、停止可能リールに対応するストップボタンの操作を受け付けたか否かを判定する。ストップボタンの操作（受付）があった場合には、ステップＳ２０８ｄ４に進み、ストップボタンの操作（受付）がなかった場合には、ステップＳ２０８ｄ８に進む。
【０１８１】
ステップＳ２０８ｄ４では、停止対象のリールに関するデータ（停止対象リールデータ）を取得する。
【０１８２】
ステップＳ２０８ｄ５では、引込みカウンタ設定処理（詳しくは、後述する）を行う。
【０１８３】
ステップＳ２０８ｄ６では、停止可能リールに対応するストップボタンが操作されたことにより、停止操作のあったリールのステータスを「停止」に更新する。
【０１８４】
ステップＳ２０８ｄ７では、これまで受付可に設定されていたストップボタン受付フラグを受付禁止に設定する。
【０１８５】
ステップＳ２０８ｄ８では、ＲＡＭ３０８にリールごとに用意された発光態様記憶領域に記憶されている発光態様情報を更新する。すなわち、停止対象のリールに対応したストップボタンに内蔵された発光体の発光態様を、第２発光態様（例えば、青色の発光態様）から第１発光態様（例えば、赤色の発光態様）に更新する。ステップＳ２０８ｄ８が終了すると、ストップボタン受付処理は終了になる。
＜引込みカウンタ設定処理＞
図２３は、図２２に示すステップＳ２０８ｄ５の引込みカウンタ設定処理を詳しく示すフローチャートである。
【０１８６】
ステップＳ８ｄ５１では、図柄番号カウンタの値を取得して、停止操作された位置を検出する。
【０１８７】
ステップＳ８ｄ５２では、選択したリール停止制御データから、停止操作された位置に基づいて、引込みコマ数を取得する。すなわち、図１３に示す入賞役内部抽選処理の結果（内部抽選結果）に基づき、リール停止制御データを選択する。リール停止制御データには、停止操作された時の図柄位置（中段基準）における図柄位置番号に対応した引込みコマ数が定められている。
【０１８８】
ステップＳ８ｄ５３では、励磁テーブルを参照して、割込み残数を取得する。具体的には、本実施形態ではＡＢ相に対応する位置で停止させるので、前回設定された回転制御データ（定速２制御中に設定された最後の回転制御データ）が示す励磁相の次の励磁相からＡＢ相の一つ前の励磁相までのステップ数を割込残数として取得する。例えば、定速２制御中において励磁テーブル２２Ｈを用いた制御中に停止操作が行われた場合には、割込残数は３ステップとなる。
【０１８９】
ステップＳ８ｄ５４では、取得した引込コマ数及び割込み残数から、引込カウンタ値を算出し、算出した引込カウンタ値を引込みカウンタに設定する。具体的には、ロータ７４０が停止保持される予定の停止保持位置（例えば、所定のＡＢ相に対応する位置）よりも手前の予め定めた事前位置（例えば、停止保持位置に対応するＡＢ相の１サイクル前のＡＢ相に対応する位置）までの値が、引込コマ数に応じたステップ数になり、この値に割込残数を加算した値が引込みカウンタに設定される。
【０１９０】
ステップＳ８ｄ５５では、リール制御ステータスを「引込み制御中」に設定する。
＜引込み制御処理＞
図２４は、図１８に示すステップＳ３１３の引込み制御処理を詳しく示すフローチャートである。ここで、引込み制御処理とは、内部抽選の結果に応じた停止制御を実現するため、リールを停止させる際に、ストップボタン１３７〜１３９の操作された図柄位置から、リールを所定のコマ数（本実施形態においては、０〜４コマ）滑らせて停止させる処理をいう。これにより、内部抽選で内部当選した入賞役か、又は、いわゆるフラグ持ち越し中の入賞役については、対応する図柄組合せが揃って表示されることが許容される一方、そうでない場合には各入賞役に対応する図柄組合せが揃って表示されないようになっている。
【０１９１】
ステップＳ３１３１では、汎用オフセットカウンタの値に１を加算する。すなわち、引込み制御処理では、１割込時間ごとに回転制御データを切り替えていくので、汎用オフセットカウンタの値は、タイマ割込処理ごとに更新される。また、リール駆動信号切替要求フラグも引き続きＯＮのままなので、図１７に示すリール回転制御処理では、タイマ割込処理ごとに、加算された汎用オフセットカウンタ値に対応する回転制御データが設定される（図１７のステップＳ２０８ｊ参照）。
【０１９２】
ステップＳ３１３２では、加算された汎用オフセットカウンタの値が８であるか否かを判定する。汎用オフセットカウンタの値が８である場合には、当該セット（サイクル）の残りの回転制御は終了したので、ステップＳ３１３３に進み、汎用オフセットカウンタの値が８でない場合には、当該セット（サイクル）の残りの回転制御は終了していないので、ステップＳ３１３４に進む。
【０１９３】
ステップＳ３１３３では、汎用オフセットカウンタの値に初期値である０を設定する。
【０１９４】
ステップＳ３１３４では、引込みカウンタの値を更新する。具体的には、引込みカウンタの値を１減算する。
【０１９５】
ステップＳ３１３５では、更新された引込みカウンタの値が０であるか否かを判定する。引込みカウンタの値が０である場合には、ステップＳ３１３６に進み、引込みカウンタの値が０でない場合には、引込み制御処理を終了する。
【０１９６】
ステップＳ３１３６では、引込みカウンタの値が０になり、停止位置に到達したので、リール制御ステータスを「ブレーキ制御中」に設定する。
【０１９７】
ステップＳ３１３７では、保持カウンタの値に初期値である５０を設定する。ここで、この設定された保持カウンタ値５０は、リール制御ステータスが「ブレーキ制御中」において、汎用オフセットカウンタ値が０のときの回転制御データの保持時間である（図１１参照）。なお、ステップＳ３１３７の処理終了後は、引込み制御処理を終了する。
＜ブレーキ制御処理＞
図２５は、図１８に示すステップＳ３１２のブレーキ制御処理を詳しく示すフローチャートである。
【０１９８】
ステップＳ３１２１では、保持カウンタの値から１を減算する。保持カウンタの値は、前述の図２４に示すステップＳ３１３７において初期設定され、１回のタイマ割込処理で１減算される。
【０１９９】
ステップＳ３１２２では、減算された保持カウンタの値が０であるか否かを判定する。保持カウンタの値が０である場合には、ステップＳ３１２３に進み、保持カウンタの値が０でない場合には、ブレーキ制御処理を終了する。
【０２００】
ステップＳ３１２３では、ブレーキ制御における回転制御は終了したので、リール制御ステータスを「リール停止制御中」に設定する。なお、リール制御ステータスが「リール停止制御中」では、停止保持位置（例えば、所定のＡＢ相）に弱励磁（２０％励磁）を継続する（図１１参照）。ステップＳ３１２３の処理終了後は、ブレーキ制御処理を終了する。
＜第１副制御部４００の処理＞
図２６を用いて、第１副制御部４００の処理について説明する。なお、同図（ａ）は、第１副制御部４００のＣＰＵ４０４が実行するメイン処理のフローチャートである。同図（ｂ）は、第１副制御部４００のコマンド入力処理のフローチャートであり、同図（ｃ）は、第１副制御部４００のコマンド受信割込処理のフローチャートであり、同図（ｄ）は、第１副制御部４００のタイマ割込処理のフローチャートである。
【０２０１】
電源投入が行われると、まずステップＳ２００１で初期化処理が実行される。この初期化処理では、入出力ポートの初期設定や、ＲＡＭ４０８内の記憶領域の初期化処理等を行う。
【０２０２】
ステップＳ２００２では、タイマ変数が１０以上か否かを判定し、タイマ変数が１０となるまでこの処理を繰り返し、タイマ変数が１０以上となったときには、ステップＳ２００３の処理に移行する。
【０２０３】
ステップＳ２００３では、タイマ変数に０を代入する。
【０２０４】
ステップＳ２００４では、第１副制御部コマンド入力処理（詳しくは後述）を行う。第１副制御部コマンド入力処理では、主制御部３００からコマンドを受信したか否かを判別する。
【０２０５】
ステップＳ２００５では、演出更新処理を行う。例えば、ステップＳ２００４で新たなコマンドがあった場合には、このコマンドに対応する各イベント処理（例えば、演出設定処理、遊技状態制御時処理等）の結果に基づいて、演出データをＲＯＭ４０６から読み出す等の処理を行い、演出データの更新が必要な場合には各演出デバイス（スピーカ、ランプ、液晶画像表示装置、シャッタなど）の演出データの更新処理を行う。
【０２０６】
ステップＳ２００６では、音制御処理を行う。音制御処理では、ステップＳ２００５で読み出した演出データの中に音源ＩＣ４１８への命令がある場合には、この命令を音源ＩＣ４１８に出力する。
【０２０７】
ステップＳ２００７では、ランプ制御処理を行う。ランプ制御処理では、ステップＳ２００５で読み出した演出データの中に各種ランプ４２０への命令がある場合には、この命令を駆動回路４２２に出力する。
【０２０８】
ステップＳ２００８では、情報出力処理を行う。情報出力処理では、ステップＳ２００５で読み出した演出データの中に第２副制御部５００に送信する制御コマンドがある場合には、この制御コマンドを出力する設定を行い、ステップＳ２００２へ戻る。この結果、設定された制御コマンドは、第２副制御部５００に送信される。
【０２０９】
次に、２６図（ｂ）を用いて、第１副制御部４００コマンド入力処理について説明する。この第１副制御部４００コマンド入力処理は、図２６（ａ）のステップＳ２００４の第１副制御部４００コマンド入力処理の流れを示すフローチャートである。
【０２１０】
ステップＳ２１０１では、ＲＡＭ４０８のコマンド記憶領域に未処理コマンドがあるか否かを判定する。未処理コマンドがある場合には、ステップＳ２１０２に進み、未処理コマンドがない場合には、第１副制御部４００コマンド入力処理を終了する。
【０２１１】
ステップＳ２１０２では、未処理コマンドに応じた処理にジャンプする。例えば、未処理コマンドがメダル投入コマンドの場合には、メダル投入時処理、スタートレバー受付時コマンドの場合には、スタートレバー受付時処理、内部抽選コマンドの場合には、内部抽選時処理、ストップボタン受付時コマンドの場合には、ストップボタン受付時処理、表示判定コマンドの場合には、表示判定時処理、遊技状態コマンドの場合には、遊技状態制御時処理にジャンプする。
【０２１２】
次に、図２６（ｃ）を用いて、第１副制御部４００のコマンド受信割込処理について説明する。このコマンド受信割込処理は、第１副制御部４００が、主制御部３００が出力するストローブ信号を検出した場合に実行する処理である。コマンド受信割込処理のステップＳ２２０１では、主制御部３００が出力したコマンドを未処理コマンドとしてＲＡＭ４０８に設けたコマンド記憶領域に記憶する。
【０２１３】
次に、図２６（ｄ）を用いて、第１副制御部４００のＣＰＵ４０４によって実行する第１副制御部タイマ割込処理について説明する。第１副制御部４００は、所定の周期（本実施例では２ｍｓに１回）でタイマ割込を発生するハードウェアタイマを備えており、このタイマ割込を契機として、タイマ割込処理を所定の周期で実行する。
【０２１４】
ステップＳ２３０１では、図２６（ａ）に示す第１副制御部メイン処理におけるステップＳ２００２において説明したＲＡＭ４０８のタイマ変数記憶領域の値に、１を加算して元のタイマ変数記憶領域に記憶する。従って、ステップＳ２００２において、タイマ変数の値が１０以上と判定されるのは２０ｍｓ毎（２ｍｓ×１０）となる。
【０２１５】
ステップＳ２３０２では、演出用乱数値の更新処理等を行う。
【０２１６】
続いて、各リール１１０〜１１２が停止状態から回転を開始した場合の具体的な例について説明する。
【０２１７】
まず、従来例について図２７を用いて説明する。
【０２１８】
図２７は、従来における、３つのリールの状態変化と、インデックスセンサにおける、各リールに設けられた遮光片の検出状態の変化と、各リールに対応したストップボタンの操作受付可能状態の変化と、各ストップボタンに内蔵された発光体の発光態様の変化を示すタイミングチャートである。
【０２１９】
図２７に示すタイミングチャートには、上から順に、スタートレバー操作、左リール、中リール、および右リールが示されている。タイミングチャートの一番上には、（ａ）〜（ｆ）のタイミングを示す符号が印されており、その下には、（あ）の矢印と、（い）の矢印と、（う）の矢印が示されている。（あ）の矢印は図１１に示す加速制御の実行中の期間を表す矢印である。（あ）の矢印で示す期間の前では、各リール１１０〜１１２は回転後に停止した状態であった。（い）の矢印は図１１に示す第一定速制御の実行中の期間を表す矢印であり、（う）の矢印は図１１に示す第二定速制御の実行中の期間を表す矢印である。
【０２２０】
（ａ）のタイミングでスタートレバーがオンされ、左リール、中リール、および右リールが一斉に回転を開始する。（あ）の矢印が示すように、全てのリールは加速制御の実行中の期間になる。（ｂ）のタイミングで加速制御が終了し、（い）の矢印が示すように、全てのリールは第一定速制御の実行中の期間になる。（ｃ）のタイミングで第一定速制御が終了し、（う）の矢印が示すように、全てのリールは第二定速制御の実行中の期間になる。この例では、加速制御の実行中の期間にも、第一定速制御の実行中の期間にも、いずれのリールの遮光片も検出されず、第二定速制御の実行中の期間における、（ｄ）のタイミングで左リール１１０の遮光片６１２Ｄが検出され、（ｅ）のタイミングで中リールの遮光片が検出され、（ｆ）のタイミングで右リールの遮光片が検出される。各リールの遮光片が検出されるタイミングはまちまちであり、回転を開始する前にどの位置でリールが停止していたのかによって検出タイミングは異なってくる。
【０２２１】
従来では、図１１に示す第二定速制御の実行中の期間において、全ての遮光片が検出されたタイミングで、各ストップボタンは一斉に操作受付可能状態になる。各ストップボタンは、それまでは、操作されてもその操作が受け付けられないが、（ｆ）のタイミング以降は、いずれのストップボタンであっても操作が受け付けられるようになる。図２７に示すタイミングチャートには、左ストップボタンの操作の受付可／不可、中ストップボタンの操作の受付可／不可、および右ストップボタンの操作の受付可／不可が示されている。なお、ストップボタンの操作は受付けられても、その操作が、制御的に無効に取り扱われる場合と有効に取り扱われる場合であってもよく、要するに、リールの停止でとらえれば、ストップボタンの操作の受付可／不可は、リール停止可能状態／停止不能状態を表していることになる。
【０２２２】
さらにその下には、各ストップボタンに内蔵された発光体（以下、「ストップボタンＬＥＤ」と称する。）の発光態様が示されている。各ストップボタンＬＥＤの第１発光態様は、例えば、赤色の発光態様であり、第２発光態様は、例えば、青色の発光態様である。いずれのストップボタンＬＥＤも、（ｆ）のタイミング以降は第２発光態様に変化している。すなわち、ストップボタンの操作受付不可状態（リール停止不能状態）では、いずれのストップボタンＬＥＤも第１発光態様であり、ストップボタンの操作受付可能状態（リール停止可能状態）に移行すると、いずれのストップボタンＬＥＤも第２発光態様に変化する。図１７に示す従来例においては、ストップボタンＬＥＤは、ストップボタンの操作受付不可状態（リール停止不能状態）であることを第１発光態様で報知し、ストップボタンの操作受付可能状態（リール停止可能状態）であることを第２発光態様で報知するものである。
【０２２３】
図２８は、本実施形態における、各リール１１０〜１１２の状態変化と、それぞれの遮光片の検出状態の変化と、各ストップボタン１３７〜１３９の操作受付可能状態の変化と、各ストップボタンＬＥＤ１３７ａ〜１３９ａの発光態様の変化を示すタイミングチャートである。以下、図２７に示すタイミングチャートの説明と重複する説明は省略し、図２７に示すタイミングチャートとの相違点を中心に説明する。
【０２２４】
図２８に示すタイミングチャートでは、３つのリール１１０〜１１２のうちのいずれかのリールの遮光片が検出された時点で、遮光片が検出された当該リールに対応するストップボタン１３７〜１３９が操作受付可能状態に移行する。すなわち、回転を開始した後、リールごとに、リール停止不能状態からリール停止可能状態に移行可能である。図２８に示すタイミングチャートでは、左リール１１０の遮光片６１２Ｄが一番最初に検出（（ｄ）のタイミングで検出）されたことによって、左ストップボタン１３７が一番最初（（ｄ）のタイミングで）に操作受付可能状態に移行し、次いで中リール１１１の遮光片が検出（（ｅ）のタイミングで検出）されたことによって、中ストップボタン１３８が（ｅ）のタイミングで操作受付可能状態に移行し、最後に右リール１１２の遮光片が検出（（ｆ）のタイミングで検出）されたことによって、右ストップボタン１３９が（ｆ）のタイミングで操作受付可能状態に移行している。しかしながら、いずれのストップボタンＬＥＤ１３７ａ〜１３９ａも、従来と同じように、全ての遮光片が検出されたタイミング（（ｆ）のタイミング）にならなければ、第１発光態様から第２発光態様に変化しない。すなわち、リールごとにリール停止不能状態からリール停止可能状態に移行可能であるが、ストップボタンＬＥＤは、最後のリールがリール停止可能状態に移行するタイミングで３つまとめて第２発光態様に変化する。したがって、本実施形態では、ストップボタンＬＥＤが第１発光態様であってもそれに対応したストップボタンが操作受付可能状態であることがある。図２８に示す（え）の矢印は、３つあるストップボタンのうちの一部のストップボタンのみが操作受付可能状態である期間を表す矢印である。一方、（お）の矢印は、３つあるストップボタン１３７〜１３９のすべてが操作受付可能状態である期間を表す矢印である。
【０２２５】
本実施形態のスロットマシン１００によれば、遮光片が検出されてリールの停止位置を制御することができるようになったリールから停止操作を受け付けることで、従来よりも早くストップボタンの操作が受け付けられるようになる。したがって、遊技者がストレスを感じることなく、テンポよく遊技が進行するようになる。また、遊技者の操作に即応答して、遊技の臨場感が高まる場合がある。
【０２２６】
図２９は、本実施形態におけるスロットマシン１００において回転する右リールにステップアウトが発生した場合のタイミングチャートである。以下、図２８に示すタイミングチャートの説明と重複する説明は省略し、図２８に示すタイミングチャートとの相違点を中心に説明する。
【０２２７】
図２９に示すタイミングチャートでは、いずれのリールの遮光片も検出されていない段階で、右リール１１２にステップアウトが発生する。すなわち、いずれのリール１１０〜１１２も第２定速制御が実行されている中、右リール１１２のみにステップアウトが生じる（（ｇ）のタイミング）。右リール１１２にステップアウトが発生した後、そのステップアウトが図２１に示すステップアウト検出処理（ステップＳ３１０ｎ）で検出される（（ａ’）のタイミング）前に、左リール１１０の遮光片６１２Ｄが検出され（（ｄ）のタイミング）、左ストップボタン１３７は操作受付可能状態になる（左リール１１０は停止可能状態になる）。また、中リール１１１の遮光片もステップアウト検出前に検出され（（ｅ）のタイミング）、中ストップボタン１３８もステップアウト検出前に操作受付可能状態になる（中リール１１１も停止可能状態になる）。一部のストップボタンが操作受付可能状態であっても（（え）の矢印の期間）、その一部のストップボタンは操作されず、やがて、（ａ’）のタイミングで右リール１１２のステップアウトが検出される。右リール１１２のステップアウトが検出された時点では、左リール１１０も中リール１１１も定速回転を続けているが、右リール１１２のステップアウトが検出されると、３つのリールとも加速制御からやり直しになる。すなわち、ステップアウトした右リール１１２のみならず、定速回転をしていた残りの２つのリール（１１０,１１１）も、再加速を行う。ステップアウトと再加速が行われたことで、それぞれのリールにおける遮光片の位置関係が変わり、再加速後の第二定速制御の実行中には、最初に右リール１１２の遮光片が検出され（（ｄ’）のタイミング）、次いで左リール１１０の遮光片６１２Ｄが検出され（（ｅ’）のタイミング）、最後に中リール１１１の遮光片が検出される（（ｆ’）のタイミング）。したがって、再加速後では、ストップボタンが操作受付可能状態になる順番（リールが停止可能状態になる順番）が、再加速前と異なっている。なお、ストップボタンＬＥＤ１３７ａ〜１３９ａは、再加速前では第１発光態様のままであるが、再加速後は（ｆ’）のタイミングで第２発光態様に変化する。
【０２２８】
図３０は、本実施形態におけるスロットマシン１００においてステップアウトが発生して再加速前にストップボタンが操作された場合のタイミングチャートである。以下、図２９に示すタイミングチャートの説明と重複する説明は省略し、図２９に示すタイミングチャートとの相違点を中心に説明する。図３０には、一番下に、左ストップボタン操作、中ストップボタン操作、および右ストップボタン操作が示されている。
【０２２９】
図３０に示すタイミングチャートでは、右リール１１２にステップアウトが生じて（（ｇ）のタイミング）から、左リール１１０の遮光片６１２Ｄが検出され（（ｄ）のタイミング）、左ストップボタン１３７が操作受付可能状態になる。右リール１１２に生じたステップアウトが検出される前の（ｈ）のタイミングで左ストップボタン１３７が操作され、左リール１１０はブレーキ制御が行われ、停止する。なお、図３０のタイミングチャートではリールの引込み制御については無視して左リール１１０の状態を示している（以降のタイミングチャートでも同じ）。なお、右リール１１２に生じたステップアウトが検出される前に、中リール１１１の遮光片も検出される（（ｅ）のタイミング）が、中ストップボタン１３８は操作されず、中リール１１１は定速回転を続ける。
【０２３０】
やがて、（ａ’）のタイミングで右リール１１２のステップアウトが検出される。（ａ’）のタイミングでは、左リール１１０は停止状態、中リール１１１は定速回転状態、右リール１１２はステップアウト状態である。右リール１１２のステップアウトが検出されると、停止したリールを除いて、すなわち回転しているリールのみが加速制御からやり直しになる。その結果、ステップアウトした右リール１１２と、中リール１１１が再加速を行い、先に停止した左リール１１０は停止状態を維持する。
【０２３１】
左リール１１０は、再加速した右リール１１２と中リール１１１が定速回転に移行しても停止状態を維持するため、左リール１１０の遮光片６１２Ｄが検知されることはなく、左ストップボタン１３７が操作受付可能状態になることもない。
【０２３２】
再加速した右リール１１２の遮光片が（ｄ’）のタイミングで検出され、再加速した中リール１１１の遮光片が（ｆ’）のタイミングで検出される。停止リールを除いて、回転していた全てのリールの遮光片が検出された時点で、回転していたリールに対応したストップボタンＬＥＤが第１発光態様から第２発光態様に変化する。図３０に示す例では、中リール１１１の遮光片が検出された（ｆ’）のタイミングで、右ストップボタンＬＥＤ１３９ａと中ストップボタンＬＥＤ１３８ａが第２発光態様に変化する。なお、左ストップボタンＬＥＤ１３７ａは第１発光態様のままである。
【０２３３】
図３１は、本実施形態におけるスロットマシン１００において第二定速制御の実行中に電断復電が発生した場合のタイミングチャートである。以下、図２８に示すタイミングチャートの説明と重複する説明は省略し、図２８に示すタイミングチャートとの相違点を中心に説明する。
【０２３４】
第二定速制御の実行中に、最初に左リール１１０の遮光片６１２Ｄが検出され（（ｄ）のタイミング）、次いで中リール１１１の遮光片が検出され（（ｅ）のタイミング）、最後に右リール１１２の遮光片が検出される（（ｆ）のタイミング）。（お）の矢印の期間では、３つのリール１１０〜１１２ともに停止可能状態である。しかしながら、いずれのストップボタン１３７〜１３９も操作されず、３つのリール１１０〜１１２は定速回転を続けているところで、電断が生じる。復電するまでの間に惰性で回転していた３つのリール１１０〜１１２はいずれも停止してしまう。やがて、（ａ’）のタイミングで復電し、３つのリール１１０〜１１２はいずれも加速制御を開始し、第一定速制御を経て第二定速制御の実行中になる。電断によって各リールが停止したことにより、それぞれのリールにおける遮光片の位置関係が変わり、復電後の第二定速制御の実行中には、最初に中リール１１１の遮光片が検出され（（ｄ’）のタイミング）、次いで右リール１１２の遮光片が検出され（（ｅ’）のタイミング）、最後に左リール１１０の遮光片６１２Ｄが検出される（（ｆ’）のタイミング）。したがって、復電後では、ストップボタンが操作受付可能状態になる順番（リールが停止可能状態になる順番）が、電断前と異なっている。
【０２３５】
以上説明した図３１の例は、電断してから復電するまでの間に、リールが停止してしまうほどの時間経過があった例であるが、第二定速制御の実行中に電断し、即座に復電した場合、すなわち、リールの回転速度は低下するものの停止する前に復電した場合には、復電後の図２１に示すステップアウト検出処理（ステップＳ３１０ｎ）で各リール１１０〜１１２のステップアウトが検出されることになり、図２９に示す例で説明した右リール１１２のように、各リール１１０〜１１２はステップアウトが検出されたことで再加速が行われる。
【０２３６】
図３１を用いて説明した電断復電の例は、図２８以降のタイミングチャートで示す例の終了後、それらの例の開始前、あるいはそれらの例の途中で生じることがある。
【０２３７】
図３２は、本実施形態におけるスロットマシン１００においてストップボタンＬＥＤが第２発光態様に変化する前にストップボタンの操作が受け付けられた場合のタイミングチャートである。以下、図２８に示すタイミングチャートの説明と重複する説明は省略し、図２８に示すタイミングチャートとの相違点を中心に説明する。図３２にも、一番下に、左ストップボタン操作、中ストップボタン操作、および右ストップボタン操作が示されている。
【０２３８】
第２定速制御の実行中に（ｄ）のタイミングで左リール１１０の遮光片６１２Ｄが検出され、左ストップボタン１３７は操作受付可能状態になる。なお、左ストップボタンＬＥＤ１３７ａは第１発光態様のままである。全てのリールの遮光片が検出される前の（ｈ）のタイミングで左ストップボタン１３７が操作され、左リール１１０はブレーキ制御が行われ、停止する。（ｅ）のタイミングで中リール１１１の遮光片が検出される。（ｆ）のタイミングで右リール１１２の遮光片が検出され、全てのリールの遮光片が検出されたことになる。（ｆ）のタイミングでも中リール１１１は定速回転を続けている。すなわち、中ストップボタン１３８は（ｅ）のタイミングで操作受付可能状態になっても操作されていない。この（ｆ）のタイミングでは、中ストップボタンＬＥＤ１３８ａと右ストップボタンＬＥＤ１３９ａが第２発光態様に変化するが、左ストップボタンＬＥＤ１３７ａは第１発光態様のままである。このように、第２発光態様に変化する前に停止したリールのストップボタンＬＥＤは、第１発光態様のままである。なお、（ｅ）のタイミングから（ｆ）のタイミングになるまでの間に中ストップボタン１３８が操作された場合は、（ｆ）のタイミングになっても中ストップボタンＬＥＤ１３８ａは第１発光態様のままであり、第２発光態様に変化するのは右ストップボタンＬＥＤ１３９ａのみになる。
【０２３９】
図３３は、本実施形態におけるスロットマシン１００において遮光片を検出してから最短コマ数で停止させた場合のタイミングチャートである。以下、図２８に示すタイミングチャートの説明と重複する説明は省略し、図２８に示すタイミングチャートとの相違点を中心に説明する。図３３にも、一番下に、左ストップボタン１３７、中ストップボタン１３８、および右ストップボタン１３９それぞれが示されている。
【０２４０】
図１１における保持パラメータの値が示すように、加速制御には、６０割り込みが必要であり、第一定速制御には、１２８割り込みが必要である。また、この例では、遮光片が検出されても第二定速制御の状態に移行しないと、ストップボタンは操作受付可能状態に移行することができない。図３３に示すタイミングチャートでは、第一定速制御が開始されるタイミング（（ｂ）のタイミング）で左リール１１０の遮光片６１２Ｄが検出される。なお、加速制御中（（あ）の矢印で示す期間）に左リール１１０の遮光片６１２Ｄが検出される場合もあり得る。ただし、加速制御中は遮光片を検出せず、定速状態（第一定速制御中または第二定速制御中）に限って遮光片を検出するようにしてもよい。
【０２４１】
図３４は、各タイミングにおける左リールの状態を示す図である。図３４には、図３４（ｂ）、同図（ｂ’）、同図（ｃ’）、同図（ｃ’’−１）、同図（ｃ’’−２）が示されているが、いずれの図においても、左側に左リール１１０が示され、右側に右リール１１２が示され、中央に中リール１１１が示されている。
【０２４２】
図３４（ｂ）では、左リール１１０も中リール１１１も右リール１１２も全て回転をしているが、左リール１１０に限っては、図柄が見えるように示している（図３４（ｂ’）および同図（ｃ’）においても同じ）。図３４（ｂ）には、図３３の（ｂ）のタイミングにおける左リール１１０が示されている。すなわち、第一定速制御が開始された時点（左リール１１０の遮光片６１２Ｄが検出された時点）の左リール１１０では、図柄表示窓１１３の中段に、図４に示す図柄番号カウンタの値が０のＢＢ図柄が位置している。
【０２４３】
１図柄の移動には２４駆動パルスの出力が必要であり、左リール１１０では、図柄表示窓１１３の中段を、図柄番号カウンタの値が２０の図柄（チェリー図柄）、１９の図柄（ＢＢ図柄）、１８の図柄（リプレイ図柄）、１７の図柄（ベル図柄）が順に通過していく。図柄表示窓１１３の中段に、図柄番号カウンタの値が１７の図柄（ベル図柄）が通過し終えた時点（図３３に示す（ｂ’）のタイミング）で、（ｂ）のタイミングから１２０駆動パルス（２４駆動パルス×５図柄分）が出力されている。図３４（ｂ’）には、この（ｂ’）のタイミングにおける左リール１１０が示されており、図柄表示窓１１３の中段には、図柄番号カウンタの値が１６の図柄であるスイカ図柄が位置している。
【０２４４】
さらに、８駆動パルスが出力されると、第二定速制御に切り替わる。図３３に示すタイムチャートでは、この８駆動パルスが出力されたタイミングが（ｃ）のタイミングとして示されている。（ｃ）のタイミングでは、第二定速制御が開始されたことにより左ストップボタン１３７が操作受付可能状態に移行する。すなわち、この例では、たとえ先に遮光片が検出されていても、第二定速制御に移行しないと、ストップボタンは操作受付可能状態にならない。ただし、ストップボタンの操作受付可能状態への移行条件として、遮光片が検出されるという条件は同じであるが、制御状態としては第一定速制御になっていれば、ストップボタンは操作受付可能状態に移行するようにしてもよい。
【０２４５】
また、図３３に示すタイムチャートでは、第二定速制御が開始されて最初の１駆動パルスが出力されたタイミングが（ｃ’）のタイミングとして示されている。この（ｃ’）のタイミングで左ストップボタン１３７が操作され、左リール１１０はブレーキ制御が行われ、停止する。
【０２４６】
図３４（ｃ’）には、（ｃ’）のタイミングにおける左リール１１０が示されており、図柄表示窓１１３の中段には、図柄番号カウンタの値が１５の図柄であるバー図柄が、９／２４コマ分位置している。バー図柄はいわゆるＤＤＴ図柄であり、このバー図柄を中段に停止させることを狙ってストップボタンを操作すれば、小役を取りこぼすことがない。なお、バー図柄を特定図柄や或る図柄と称してもよい。
【０２４７】
図３４（ｃ’’−１）および同図（ｃ’’−２）は、（ｃ’）のタイミングで停止操作された左リール１１０の停止図柄態様を示す図である。図４（ｂ）に示すスイカの小役が内部当選していた場合には、図３４（ｃ’’−１）に示すように、バー図柄が図柄表示窓１１３の中段に停止し、スイカ図柄が下段に停止する。一方、図４（ｂ）に示すチェリーの小役が内部当選していた場合には、図３４（ｃ’’−２）に示すように、バー図柄は図柄表示窓１１３の中段には停止せず、引き込み制御が行われ、２コマすべってチェリー図柄が上段に停止する。
【０２４８】
図３５は、本実施形態におけるスロットマシン１００において演出装置でリールに関する演出を行った場合のタイミングチャートである。以下、図２８に示すタイミングチャートの説明と重複する説明は省略し、図２８に示すタイミングチャートとの相違点を中心に説明する。図３５には、一番下に、演出装置が示されている。この演出装置は、例えば、演出画像表示装置１５７（液晶表示装置）である。
【０２４９】
演出装置における第１演出は、スタートレバー１３５が操作されると開始される。あるいは、全リール１１０〜１１２が回転を開始すると開始される。もしくは全リール１１０〜１１２の加速制御が開始されると開始される。後述するように、リールは、回転開始タイミングをリールごとに遅延させるランダム遅延処理が行われる場合があり、全リール１１０〜１１２が揃って、回転を開始したり、あるいは加速制御中になるとは限らない。図３５に示すタイミングチャートでは、スタートレバー１３５の操作タイミングと、全リール１１０〜１１２の回転開始タイミングと、全リール１１０〜１１２についての加速制御の開始タイミングは一致しており、（ａ）のタイミングである。演出装置における第１演出は、（ａ）のタイミングから開始されている。
【０２５０】
図３６は、演出装置における第１演出の例を示す図である。
【０２５１】
図３６の各図には、一番上に、演出装置の一例である演出画像表示装置１５７が示され、その下に、左リール１１０、中リール、１１１、および右リール１１２が示されている。さらに各リールの下には、それぞれのリールに対応したストップボタン１３７〜１３９が示されている。各ストップボタン１３７〜１３９には、ストップボタンＬＥＤ１３７ａ〜１３９ａが内蔵されている。
【０２５２】
左側に示した図３６（Ａ）は、演出画像表示装置１５７における第１演出として小役示唆演出が実行されている例を示す図である。一方、右側に示した図３６（Ｂ）は、演出画像表示装置１５７における第１演出としてナビ演出が実行されている例を示す図である。
【０２５３】
まず、小役示唆演出について説明する。図３６（Ａ）における（ａ１）には、図３５に示す（ａ）のタイミング（第１演出の開始タイミング）における演出画像表示装置１５７等が示されている。この（ａ１）に示す演出画像表示装置１５７では、スイカ図柄が表示されており、図４（ｂ）に示すスイカの小役が内部当選していることを示唆している。また、（ａ１）に示す３つのリール１１０〜１１２はいずれも回転を開始している。さらに、各ストップボタン１３７〜１３９越しに、ストップボタンＬＥＤ１３７ａ〜１３９ａが第１発光態様で発光していることが示されている。
【０２５４】
図３６（Ａ）における（ｄ１）には、図３５に示す（ｄ）のタイミング（左リール１１０の遮光片６１２Ｄが検出されたタイミングであり、左ストップボタン１３７が操作受付可能状態になったタイミング）における演出画像表示装置１５７等が示されている。この（ｄ１）に示す演出画像表示装置１５７でも、小役示唆演出が継続しており、スイカ図柄が表示されている。また、（ｄ１）に示す３つのリール１１０〜１１２はいずれも第二定速制御による回転を継続している。さらに、各ストップボタン１３７〜１３９越しに、ストップボタンＬＥＤ１３７ａ〜１３９ａが第１発光態様で発光していることが示されている。すなわち、操作受付可能状態になった左ストップボタン１３７に内蔵されたストップボタンＬＥＤ１３７ａも他のストップボタンＬＥＤ１３８ａ，１３９ａと同じく第１発光態様で発光していることが示されている。
【０２５５】
図３６（Ａ）における（ｆ１）には、図３５に示す（ｆ）のタイミング（右リール１１２の遮光片が検出されたタイミングであって全てのリールの遮光片が検出されたタイミング）における演出画像表示装置１５７等が示されている。この（ｆ１）に示す演出画像表示装置１５７でも、小役示唆演出が継続しており、スイカ図柄が表示されている。また、（ｆ１）に示す３つのリール１１０〜１１２はいずれも第二定速制御による回転を継続している。さらに、各ストップボタン１３７〜１３９越しに、ストップボタンＬＥＤ１３７ａ〜１３９ａが第２発光態様に変化して発光していることが示されている。
【０２５６】
なお、小役示唆演出では、スイカ図柄が継続して表示されていてもよいし、スイカ図柄の表示と非表示が繰り返されてもよい。
【０２５７】
次に、ナビ演出について説明する。ナビ演出は、或る入賞役に入賞するためのストップボタンの停止操作の順番を指示する演出である。図３６（Ｂ）における（ａ２）には、図３５に示す（ａ）のタイミング（第１演出の開始タイミング）における演出画像表示装置１５７等が示されている。この（ａ２）に示す演出画像表示装置１５７では、各リール１１０〜１１２の真上に位置する箇所に、停止操作の順番を表す数字が表示されている。すなわち、左リール１１０の上には３が表示され、中リール１１１の上には２が表示され、右リール１１２の上には１が表示されている。また、（ａ２）に示す３つのリール１１０〜１１２はいずれも回転を開始している。さらに、各ストップボタン１３７〜１３９越しに、ストップボタンＬＥＤ１３７ａ〜１３９ａが第１発光態様で発光していることが示されている。
【０２５８】
図３６（Ｂ）における（ｄ２）には、図３５に示す（ｄ）のタイミング（左リール１１０の遮光片６１２Ｄが検出されたタイミングであり、左ストップボタン１３７が操作受付可能状態になったタイミング）における演出画像表示装置１５７等が示されている。この（ｄ２）に示す演出画像表示装置１５７でも、ナビ演出が継続しており、停止操作の順番を表す数字が表示されている。また、（ｄ２）に示す３つのリール１１０〜１１２はいずれも第二定速制御による回転を継続している。さらに、各ストップボタン１３７〜１３９越しに、ストップボタンＬＥＤ１３７ａ〜１３９ａが第１発光態様で発光していることが示されている。すなわち、操作受付可能状態になった左ストップボタン１３７に内蔵されたストップボタンＬＥＤ１３７ａも他のストップボタンＬＥＤ１３８ａ，１３９ａと同じく第１発光態様で発光していることが示されている。
【０２５９】
図３６（Ｂ）における（ｆ２）には、図３５に示す（ｆ）のタイミング（右リール１１２の遮光片が検出されたタイミングであって全てのリールの遮光片が検出されたタイミング）における演出画像表示装置１５７等が示されている。この（ｆ２）に示す演出画像表示装置１５７でも、ナビ演出が継続しており、停止操作の順番を表す数字が表示されている。また、（ｆ２）に示す３つのリール１１０〜１１２はいずれも第二定速制御による回転を継続している。さらに、各ストップボタン１３７〜１３９越しに、ストップボタンＬＥＤ１３７ａ〜１３９ａが第２発光態様に変化して発光していることが示されている。
【０２６０】
以上説明した図３６（Ｂ）におけるナビ演出では、リールの遮光片が検出される順番とは異なる停止操作の順番が表示されていたことになる。ただし、リールの遮光片が検出される順番と、ナビ演出で指示される停止操作の順番がたまたま一致する場合もある。
【０２６１】
なお、ナビ演出でも、停止操作の順番を表す数字が継続して表示されていてもよいし、その数字の表示と非表示が繰り返されてもよい。
【０２６２】
図３７は、本実施形態におけるスロットマシン１００において、３つのストップボタン１３７〜１３９に対してスライドプッシュの操作を行ったが一部の操作しか受け付けられなかった場合のタイミングチャートである。以下、図２８に示すタイミングチャートの説明と重複する説明は省略し、図２８に示すタイミングチャートとの相違点を中心に説明する。図３７には、一番下に、左ストップボタン操作、中ストップボタン操作、および右ストップボタン操作が示されている。
【０２６３】
スライドプッシュの操作とは、短時間に複数のストップボタン１３７〜１３９を操作することである。図３７における例では、第二定速制御の実行中に左リール１１０の遮光片６１２Ｄが検出され（（ｄ）のタイミング）、左ストップボタン１３７が操作受付可能状態になった後、（ｈ１）のタイミングから、３つのストップボタン１３７〜１３９に対してスライドプッシュの操作が行われる。すなわち、最初に左ストップボタン１３７を操作し、次いで、中ストップボタン１３８、右ストップボタン１３９と短時間になぞるように連続して操作（順押し）が行われる。スライドプッシュが行われた時点では、中リール１１１の遮光片も右リール１１２の遮光片も検出されておらず、中ストップボタン１３８も右ストップボタン１３９も操作受付不可状態のままである。このため、スライドプッシュの操作における左ストップボタン１３７の操作のみが受け付けられ、残りの中ストップボタン１３８および右ストップボタン１３９の操作は受け付けられない。したがって、左リール１１０は、ブレーキ制御が実行されて停止するが、中リール１１１と右リール１１２は定速回転を継続する。やがて、中リール１１１の遮光片が検出され（（ｅ）のタイミング）、最後に、右リール１１２の遮光片も検出される（（ｆ）のタイミング）が、スライドプッシュの操作における中ストップボタン１３８の操作および右ストップボタン１３９の操作は無効化されたままであり、中リール１１１と右リール１１２を停止させるには、改めて、中ストップボタン１３８の操作および右ストップボタン１３９の操作が必要になる。なお、上述のごとく、（え）の矢印は、３つあるストップボタンのうちの一部のストップボタンのみが操作受付可能状態である期間を表す矢印である。また、（ｆ）のタイミングでは、中ストップボタンＬＥＤ１３８ａおよび右ストップボタンＬＥＤ１３９ａは第２発光態様に変化するが、既にリール停止があった左ストップボタンＬＥＤ１３７ａは第１発光態様のままである。
【０２６４】
中ストップボタンＬＥＤ１３８ａおよび右ストップボタンＬＥＤ１３９ａが第２発光態様で発光している状態（（え）の矢印で示す期間）で、中ストップボタン１３８と右ストップボタン１３９の２つのストップボタンに対するスライドプッシュの操作を行う。すなわち、（ｈ２）のタイミングで中ストップボタン１３８の操作を行い、（ｈ３）のタイミングで右ストップボタン１３９の操作を行う。中リール１１１も右リール１１２もブレーキ制御が実行されて停止する。
【０２６５】
３つのリール１１０〜１１２それぞれが、ブレーキ制御が実行されて停止した後、再び、スタートレバー１３５が操作されて、３つのリール１１０〜１１２それぞれは回転を開始する（（ａ’）のタイング）。すなわち、次遊技が開始される。この次遊技でも、第一定速制御が実行されてから第二定速制御に移行する（（ｃ’）のタイミング）。第二定速制御の実行中に左リール１１０の遮光片６１２Ｄが検出され（（ｄ’）のタイミング）、左ストップボタン１３７が操作受付可能状態になる。次いで、中リール１１１の遮光片も検出され（（ｅ’）のタイミング）、中ストップボタン１３８も操作受付可能状態になる。最後に、右リール１１２の遮光片も検出され（（ｆ’）のタイミング）、右ストップボタン１３９も操作受付可能状態になる。また、いずれのストップボタン１３７〜１３９も操作されていない状態で３つのリール１１０〜１１２全ての遮光片が検出されたことによって、各ストップボタンに内蔵されたストップボタンＬＥＤ１３７ａ〜１３９ａが第２発光態様に変化する。第１ストップボタンＬＥＤ１３７ａは、前回遊技では第１発光態様のままであったが、今回の遊技では、第２発光態様に変化する。
【０２６６】
図３８は、本実施形態におけるスロットマシン１００において、３つのストップボタン１３７〜１３９に対して行ったスライドプッシュの操作が全て受け付けられた場合のタイミングチャートである。以下、図３７に示すタイミングチャートの説明と重複する説明は省略し、図３７に示すタイミングチャートとの相違点を中心に説明する。
【０２６７】
図３８に示すタイミングチャートでは、３つのリール１１０〜１１２の遮光片全てが検出された後に、スライドプッシュの操作が行われている。したがって、３つのストップボタン１３７〜１３９が全て操作受付可能状態であって、３つのストップボタンＬＥＤ１３７ａ〜１３９ａが全て第２発光態様で発光している状態（（お）の矢印で表す期間）で、スライドプッシュの操作が開始される。ここでも、左ストップボタン１３７から順押しの順に短時間になぞるように連続して操作が行われ、各ストップボタン１３７〜１３９の操作タイミング（（ｈ）,（ｈ’），（ｈ’’）のタイミング）に応じて、対応するリールに対してブレーキ制御が実行され対応するリールは停止し、内蔵されたストップボタンＬＥＤは第１発光態様に戻る。各リールに対するブレーキ制御の実行期間は重なる場合がある。
【０２６８】
図３９は、本実施形態におけるスロットマシン１００において、疑似遊技が行われてから本遊技が行われた場合のタイミングチャートである。以下、図２８に示すタイミングチャートの説明と重複する説明は省略し、図２８に示すタイミングチャートとの相違点を中心に説明する。図３９にも、一番下に、左ストップボタン操作、中ストップボタン操作、および右ストップボタン操作が示されている。
【０２６９】
疑似遊技は、リール演出の一種（上述の第２リール演出）であり、本遊技と同様にストップボタンの操作によって、操作されたストップボタンに対応するリールを、停止させたように見せかける演出である。本遊技では、リールが完全に停止した後、導出された停止態様に応じたメダルの付与が実行されるが、疑似遊技では、導出された停止態様に応じたメダルの付与は行われない。
【０２７０】
疑似遊技でも、スタートレバー１３５の操作により、各リール１１０〜１１２は回転を開始し、加速制御、第一定速制御、および第二定速制御が実行される。また、各リール１１０〜１１２の遮光片は、左リール１１０の遮光片６１２Ｄ、中リール１１１の遮光片、右リール１１２の遮光片の順に検出され、遮光片が検出されたリールに対応したストップボタン１３７〜１３９が操作受付可能状態になる。そして、全てのリール１１０〜１１２の遮光片が検出されると初めて、３つのストップボタンランプ１３７ａ〜１３９ａは第２発光態様に変化する。したがって、疑似遊技が開始されても本遊技と何ら変わることはなく、遊技者は疑似遊技と本遊技の区別がつかない。図３９に示すタイミングチャートでは、３つのストップボタンランプ１３７ａ〜１３９ａが第２発光態様に変化した後、左ストップボタン１３７からスライドプッシュが行われ、各ストップボタン１３７〜１３９の操作タイミング（（ｈ）,（ｈ’），（ｈ’’）のタイミング）で、対応するリールがブレーキ制御を開始し、内蔵されたストップボタンＬＥＤは第１発光態様に戻る。疑似遊技では、停止制御が実行されず、代わりに、リールをわずかに振動させる振動制御が行われる。振動制御は、図柄を遊技者にしっかりと見せるため数秒程度は行われる。疑似遊技では、最大引き込み図柄数を超えた引き込みを行うことも可能である。例えば、ＢＢ内部当選状態であれば、ＢＢ図柄揃い（「７−７−７」）を振動表示（揺れ表示）させる。また、小役が内部当選している状態であれば、バー図柄揃いを振動表示させる。遊技者は、振動表示によって、これまでの遊技は疑似遊技であったことに気が付く。
【０２７１】
振動表示が数秒程度行われると、疑似遊技は終了になり、本遊技が開始される。本遊技は、スタートレバー１３５の操作無しで開始される。疑似遊技においてＢＢ図柄揃い（「７−７−７」）を振動表示した場合には、そのままリール１１０〜１１２が同時に回転を開始すると、ＢＢ図柄が横並びとなる位置関係を保ったまま、リール１１０〜１１２が回転することになる。このような位置関係では、全てのリール１１０〜１１２のＢＢ図柄が同じタイミングで図柄表示窓１１３に出現するため、図柄を狙うことに長けている熟練者にとってはＢＢ図柄を狙いやすくなる。このため、図柄を狙うことに長けていない初心者との間で、遊技の公平性を担保することができなくなる。また、図柄を狙うことが容易になってしまうことで、図柄を狙って停止操作をすることを楽しみにしている遊技者にとっては、遊技の興趣が減退することになる。そこで、リールの回転開始時期をリール間でランダムに遅延させるランダム遅延制御を行い、ＢＢ図柄が横並びとなる位置関係を崩すことが行われる。（ｉ）のタイミングで本遊技が開始されたが、いずれのリール１１０〜１１２も回転を開始せず、まずは、本遊技開始からｎ１回（ｎ１≧０）の割り込みがあった後（第１時間経過後）、右リール１１２が回転を開始する。次いで、本遊技開始からｎ２回（ｎ２＞ｎ１）の割り込みがあった後（第２時間経過後）、中リール１１１が回転を開始する。最後に、本遊技開始からｎ３回（ｎ３＞ｎ２）の割り込みがあった後（第３時間経過後）、左リール１１０が回転を開始する。各リール１１０〜１１２は、回転を開始すると加速制御が６０割込分実行されるが、実行期間はズレている。本遊技において示した（あ）の矢印は、一番最初の右リール１１２における加速制御か開始されてから一番最後の左リール１１０における加速制御か終了するまでの期間を表すものである。次いで、各リールでは、加速制御が終了すると、第一定速制御が開始される。本遊技において示した（い）の矢印は、一番最初の右リール１１２における第一定速制御か開始されてから一番最後の左リール１１０における第一定速制御か終了するまでの期間を表すものである。続いて、各リールでは、第１定速制御が終了すると、第二定速制御が開始される。本遊技において各リール１１０〜１１２で第二定速制御が行われている期間は、（う）の矢印によって表されている。一番最後の左リール１１０が第一定速制御を終える前に、一番最初の右リール１１２は第二定速制御を開始している。疑似遊技とランダム遅延処理が行われたことで、それぞれのリールにおける遮光片の位置関係が変わり、本遊技における第二定速制御の実行中には、最初に右リール１１２の遮光片が検出され（（ｆ’）のタイミング）、次いで中リール１１１の遮光片が検出され（（ｅ’）のタイミング）、最後に左リール１１０の遮光片６１２Ｄが検出される（（ｄ’）のタイミング）。したがって、本遊技と疑似遊技とでは、ストップボタンが操作受付可能状態になる順番（リールが停止可能状態になる順番）が異なっている。なお、本遊技でも、全てのリール１１０〜１１２の遮光片が検出されると初めて、３つのストップボタンランプ１３７ａ〜１３９ａは第２発光態様に変化する（（ｄ’）のタイミング）。
【０２７２】
図４０は、本実施形態におけるスロットマシン１００において、リールアクションが行われてから本遊技が行われた場合のタイミングチャートである。以下、図４０に示すタイミングチャートの説明と重複する説明は省略し、図４０に示すタイミングチャートとの相違点を中心に説明する。
【０２７３】
リールアクションは、リール演出の一種（上述の第１リール演出）であり、本遊技とは異なり、ストップボタンの操作無しにリールが停止したように見せかける演出である。なお、リールアクションも、疑似遊技と同じく、メダルの付与は行われない。
【０２７４】
リールアクションでも、スタートレバー１３５の操作により、各リール１１０〜１１２は回転を開始し、加速制御、第一定速制御、および第二定速制御が実行される。また、各リール１１０〜１１２の遮光片は、左リール１１０の遮光片６１２Ｄ、中リール１１１の遮光片、右リール１１２の遮光片の順に検出される。ただし、遮光片が検出されても、ストップボタン１３７〜１３９は操作受付可能状態にならずに操作受付不可状態のままである。また、全てのリール１１０〜１１２の遮光片が検出されても、３つのストップボタンランプ１３７ａ〜１３９ａは第１発光態様のままである。やがて、ストップボタン１３７〜１３９の操作無しに、各リール１１０〜１１２が勝手にブレーキ制御を開始する。このリールアクションでも、停止制御が実行されず、代わりに、リールをわずかに振動させる振動制御が行われる。振動制御は、図柄を遊技者にしっかりと見せるため数秒程度は行われる。例えば、ＢＢ内部当選状態であれば、ＢＢ図柄揃い（「７−７−７」）を振動表示（揺れ表示）させる。また、小役が内部当選している状態であれば、バー図柄揃いを振動表示させる。
【０２７５】
振動表示が数秒程度行われると、リールアクションは終了になり、本遊技が開始される。本遊技は、図３９で説明した本遊技と同じであり、ランダム遅延制御が行われて、加速制御、第一定速制御、第二定速制御が実行される。リールアクションとランダム遅延処理が行われたことで、それぞれのリールにおける遮光片の位置関係が変わり、本遊技における第二定速制御の実行中には、最初に右リール１１２の遮光片が検出され（（ｆ’）のタイミング）、次いで中リール１１１の遮光片が検出され（（ｅ’）のタイミング）、最後に左リール１１０の遮光片６１２Ｄが検出される（（ｄ’）のタイミング）。したがって、本遊技とリールアクションとでは、遮光片が検出されるリールの順番が異なる場合がある。しかしながら、リールアクションでは、ストップボタンを操作する必要がないため、この順番が異なっても遊技者に与える影響は小さい。
【０２７６】
続いて、同時押しについて説明する。ここにいう同時押しとは、全てのストップボタン１３７〜１３９を同時又はほぼ同時に操作したことをいう。例えば、最初のストップボタンの操作から、最後のストップボタンの操作までに要した時間が所定時間（例えば、１００ｍｓ）以内であった場合に「同時押し」と判断する。上記所定時間については、全てのストップボタン１３７〜１３９の連続操作に要する平均的な時間を考慮して設定したものであり、相対的に素早い停止操作と判断される時間範囲内で任意に変更可能である。
【０２７７】
同時押しを行った場合に、特定の図柄組合せが入賞するためには、特定の図柄組合せを構成する各リールの図柄が各リール間で、最大４図柄の範囲内で近接していないと入賞することができない。
【０２７８】
図４１は、特定の図柄組合せを構成する図柄の相対的位置関係を図柄表示窓１１３を基準に表した図である。
【０２７９】
図４１（ａ）は、ＢＢ内部当選状態において、リプレイに内部当選し、入賞ラインＬ１上に「リプレイ−リプレイ−リプレイ」の図柄組合せが停止表示された場合の例を示す図である。図４１（ａ）では、入賞ラインＬ１上に停止表示されたリプレイ図柄は、左リール１１０における図柄番号カウンタの値が２のリプレイ図柄と、中リール１１１における図柄番号カウンタの値が１のリプレイ図柄と、右リール１１２における図柄番号カウンタの値が１４のリプレイ図柄である。この停止図柄態様の場合、ＢＢ図柄は、左リール１１０ではリプレイ図柄から２コマ目に位置しており、中リール１１１でもリプレイ図柄から２コマ目に位置しており、右リール１１２ではリプレイ図柄から１コマ目に位置している。したがって、図４１（ａ）に示すリプレイ図柄揃いの状態は、各リール間で特定の図柄組合せを構成する図柄（ここではＢＢ図柄）を近接させた状態であり、以下、この状態のことを準備目状態という。準備目状態で遊技を終了し、次遊技において、同時押しを行うことで、特定の図柄組合せを入賞させることを容易にすることが可能である。すなわち、準備目状態とは、特定の図柄組合せを構成する各リールの図柄が一定範囲内にある状態のことをいう。図４１（ａ）では、次遊技において同時押しを行えば、入賞ラインＬ１でも、図２に示すその他の入賞ラインＬ２〜５のいずれの入賞ラインにも、ＢＢ図柄揃いを停止表示させることが可能である。
【０２８０】
図４１（ｂ）は、ＢＢ内部当選状態において、ベルに内部当選し、入賞ラインＬ１上に「ベル−ベル−ベル」の図柄組合せが停止表示された場合の例を示す図である。図４１（ｂ）では、入賞ラインＬ１上に停止表示されたベル図柄は、左リール１１０における図柄番号カウンタの値が１のベル図柄と、中リール１１１における図柄番号カウンタの値が１９のベル図柄と、右リール１１２における図柄番号カウンタの値が１５のベル図柄である。この停止図柄態様の場合、左リール１１０のＢＢ図柄は中リール１１１のＢＢ図柄から２コマ目と４コマ目に位置しており、右リール１１２のＢＢ図柄は中リール１１１のＢＢ図柄から３コマ目に位置している。したがって、図４１（ｂ）に示すベル図柄揃いの状態も準備目状態であり、この準備目状態で遊技を終了し、次遊技において、同時押しを行うことで、ＢＢ図柄揃いを停止表示させることが可能である。
【０２８１】
この例では、準備目状態になる構成を、図柄番号カウンタの特定の値のリプレイ図柄の構成と、図柄番号カウンタの特定の値のベル図柄の構成にしているが、図柄番号カウンタの特定の値のスイカ図柄の構成であってもよいし、図柄番号カウンタの特定の値のチェリー図柄の構成であってもよいし、図柄番号カウンタの特定の値のハズレ図柄の構成であってもよい。
【０２８２】
また、準備目状態になる構成の図柄組合せは、図柄表示窓１１３内に表示される必要はなく、特定の図柄組合せを構成する図柄（ＢＢ図柄）の相対的位置関係が、図４１（ａ）や同図（ｂ）で示した相対的位置関係にあればよい。
【０２８３】
なお、ＢＢ内部当選状態において準備目状態となった場合に、演出画像表示装置１５７やスピーカ２７２、２７７等で準備目状態であることを報知してもよい。
【０２８４】
図４２は、本実施形態におけるスロットマシン１００において、３つのストップボタン１３７〜１３９に対して同時押しの操作を行ったが一部の操作しか受け付けられなかった場合のタイミングチャートである。以下、図２８に示すタイミングチャートの説明と重複する説明は省略し、図２８に示すタイミングチャートとの相違点を中心に説明する。図４２には、一番下に、左ストップボタン操作、中ストップボタン操作、および右ストップボタン操作が示されている。
【０２８５】
図４２における例では、第二定速制御の実行中に左リール１１０の遮光片６１２Ｄが検出され（（ｄ）のタイミング）、左ストップボタン１３７が操作受付可能状態になった後、（ｈ）のタイミングから、３つのストップボタン１３７〜１３９に対して同時押しの操作が行われる。同時押しが行われた時点では、中リール１１１の遮光片も右リール１１２の遮光片も検出されておらず、中ストップボタン１３８も右ストップボタン１３９も操作受付不可状態のままである。このため、同時押しの操作における左ストップボタン１３７の操作のみが受け付けられ、残りの中ストップボタン１３８および右ストップボタン１３９の操作は受け付けられない。したがって、左リール１１０は、（ｈ）のタイミングで停止するが、中リール１１１と右リール１１２は定速回転を継続する。やがて、中リール１１１の遮光片が検出され（（ｅ）のタイミング）、最後に、右リール１１２の遮光片も検出される（（ｆ）のタイミング）が、同時押しの操作における中ストップボタン１３８の操作および右ストップボタン１３９の操作は無効化されたままであり、中リール１１１と右リール１１２を停止させるには、改めて、中ストップボタン１３８の操作および右ストップボタン１３９の操作が必要になる。なお、（ｆ）のタイミングでは、中ストップボタンＬＥＤ１３８ａおよび右ストップボタンＬＥＤ１３９ａは第２発光態様に変化するが、既にリール停止があった左ストップボタンＬＥＤ１３７ａは第１発光態様のままである。
【０２８６】
図４３は、本実施形態におけるスロットマシン１００において、３つのストップボタン１３７〜１３９に対して行った同時押しの操作が全て受け付けられた場合のタイミングチャートである。以下、図４２に示すタイミングチャートの説明と重複する説明は省略し、図４２に示すタイミングチャートとの相違点を中心に説明する。
【０２８７】
図４３に示すタイミングチャートでは、３つのリール１１０〜１１２の遮光片全てが検出された後に、同時押しの操作が行われている。したがって、３つのストップボタン１３７〜１３９が全て操作受付可能状態であって、３つのストップボタンＬＥＤ１３７ａ〜１３９ａが全て第２発光態様で発光している状態（（お）の矢印で表す期間）で、同時押しの操作が行われる（（ｈ）のタイミング）。同時押しの操作を受けて、３つのリール１１０〜１１２それぞれではブレーキ制御が行われ、３つのリール１１０〜１１２は同時に停止する。すなわち、各リール１１０〜１１２ごとのブレーキ制御が行われる期間の少なくとも一部の期間どうしが重なる。なお、全部の期間どうしが重なる場合があってもよい。また、３つのストップボタン１３７〜１３９それぞれに内蔵されたストップボタンＬＥＤ１３７ａ〜１３９ａは第１発光態様に同時に戻る。なお、同時に停止する。とは厳密には、同時に停止したように見える。であり、同時に戻る。とは減見るには、同時に戻ったように見える。である。
【０２８８】
図４４は、本実施形態におけるスロットマシン１００において、疑似遊技中に同時押しが行われた場合のタイミングチャートである。以下、図３９に示すタイミングチャートの説明と重複する説明は省略し、図３９に示すタイミングチャートとの相違点を中心に説明する。
【０２８９】
図４４に示すタイミングチャートでは、３つのストップボタンランプ１３７ａ〜１３９ａが第２発光態様に変化した後、３つのストップボタン１３７〜１３９に対して同時押しの操作が行われ、３つのリール１１０〜１１２は、タイミング的には同時のように、また状態的には停止したかのように見せかける。すなわち、振動表示がほほ同時に開始される。例えば、ＢＢ内部当選状態であれば、ＢＢ図柄揃い（「７−７−７」）が振動表示（揺れ表示）される。すなわちここでは、同時押しの操作により、３つの回転するリール１１０〜１１２を演出として同時に停止したように見せかける疑似遊技（リール同時演出）が行われる。
【０２９０】
振動表示が数秒程度行われると、疑似遊技は終了になり、本遊技が開始される。本遊技では、ランダム遅延制御が行われて、加速制御、第一定速制御、第二定速制御が実行される。本遊技でも、３つのストップボタン１３７〜１３９に対して同時押しの操作を行っても、ランダム遅延処理が行われたことで、ＢＢ図柄揃い（「７−７−７」）を停止表示させることができる可能性は極めて低くなる。なお、本遊技における第二定速制御の実行中には、最初に右リール１１２の遮光片が検出され（（ｆ’）のタイミング）、次いで中リール１１１の遮光片が検出され（（ｅ’）のタイミング）、最後に左リール１１０の遮光片６１２Ｄが検出され（（ｄ’）のタイミング）、疑似遊技と本遊技とでは、遮光片が検出されるリールの順番が異なっている。
【０２９１】
また、本実施形態においては、スロットマシン１００の遊技に関連した実施形態であったが、本発明はスロットマシンに限定されるものではなく、パチンコなど他の遊技台にも適用可能である。
【０２９２】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールを構成するリールごとに［例えば、図１７に示すリール回転制御処理におけるステップＳ２０８ｃはリールごとに実行されている］、停止不能状態から前記停止可能状態に移行可能である［例えば、図２８に示す、（ｄ）のタイミングにおける左ストップボタン１３７受付可能状態への移行、（ｅ）のタイミングにおける中ストップボタン１３８受付可能状態への移行、（ｆ）のタイミングにおける右ストップボタン１３９受付可能状態への移行］、
ことを特徴とする遊技台。』
についても説明した。
【０２９３】
この遊技台によれば、準備できたリールから停止操作を受け付けることで、従来よりも早く停止操作手段の操作が受け付けられるようになる。したがって、遊技者がストレスを感じることなく、テンポよく遊技が進行するようになる。また、遊技者の操作に即応答して、遊技の臨場感が高まる場合がある。これらの効果は、以下に記す遊技台についても共通の効果であり、以下、第一の共通の効果と称する場合がある。
【０２９４】
なお、前記停止不能状態とは、リールに対応して設けられた停止操作手段の操作が受け付けられない状態のことであってもよいし、該操作は受け付けられるものの該操作が有効な操作として取り扱われない状態のことであってもよい（以下においても同じ。）。一方、前記停止可能状態とは、リールに対応して設けられた停止操作手段の操作が受け付けられ、該操作が有効な操作として取り扱われる状態のことをいう（以下においても同じ。）。
【０２９５】
また、リールの停止位置を制御可能な状態になると、回転する該リールが前記停止不能状態から前記停止可能状態に移行する（以下においても同じ。）。
【０２９６】
また、前記リール制御手段は、前記定速制御の実行中に、リールの停止位置を制御可能な状態に移行可能な手段であってもよいし、前記加速制御の実行中に、リールの停止位置を制御可能な状態に移行可能な手段であってもよい（以下においても同じ。）。
【０２９７】
さらに、以上の記載では、
『  複数のリール［例えば、左リール１１０、中リール１１１、および右リール１１２の
うちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに１対１の対応関係で設けられ、回転している対応リールが前記停止可能状態であることの報知［例えば、第２発光態様（青色の発光態様）による報知］を実行可能な報知手段［例えば、左ストップボタンＬＥＤ１３７ａ、中ストップボタンＬＥＤ１３８ａ、右ストップボタンＬＥＤ１３９ａ］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールを構成するリールごとに［例えば、図１７に示すリール回転制御処理におけるステップＳ２０８ｃはリールごとに実行されている］、停止不能状態から前記停止可能状態に移行可能であり［例えば、図２８に示す、（ｄ）のタイミングにおける左ストップボタン１３７受付可能状態への移行、（ｅ）のタイミングにおける中ストップボタン１３８受付可能状態への移行、（ｆ）のタイミングにおける右ストップボタン１３９受付可能状態への移行］、
前記報知手段は、前記複数のリール全てが前記停止不能状態から前記停止可能状態に移行しなければ前記報知を実行しないものであり［例えば、図１６に示すステップＳ２７０３］、
前記報知手段は、前記複数のリール全てが前記停止不能状態から前記停止可能状態に移行すると、回転する該複数のリール全てについて前記報知を実行するものである［例えば、図２８に示す、（ｆ）のタイミングで全てのリールの遮光片をインデックスセンサが検出すると、各ストップボタンＬＥＤ１３７ａ，１３８ａ，１３９ａが一斉に点灯を開始している］、
ことを特徴とする遊技台。』
についても説明した。
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０２９８】
また、
『  前記複数のリールを構成する一のリールは、第一のリール［例えば、左リール１１０］であり、
前記複数のリールを構成する一のリールは、第二のリール［例えば、中リール１１１］であり、
第一の場合［例えば、図２８に示す例の場合］に、前記第一のリールが、前記第二のリールよりも先に、前記停止不能状態から前記停止可能状態に移行する［例えば、図２８に示す（ｄ）のタイミング］、
ことを特徴とする遊技台。』
についても説明した。
【０２９９】
なお、或る場合には、前記第二のリールが、前記第一のリールよりも先に、前記停止不能状態から前記停止可能状態に移行してもよい［例えば、図３１に示す、（ｄ’）のタイミング］（以下においても同じ。）。
【０３００】
また、前記停止操作手段は、第一の停止操作手段［例えば、左ストップボタン１３７］と第二の停止操作手段［例えば、中ストップボタン１３８］を含んだ手段であり、前記第一の停止操作手段［例えば、左ストップボタン１３７］は、前記第一のリール［例えば、左リール１１０］が停止可能状態で操作されることで、回転している該第一のリールが停止する手段であり、前記第二の停止操作手段［例えば、中ストップボタン１３８］は、前記第二のリール［例えば、中リール１１１］が停止可能状態で操作されることで、回転している該第二のリールが停止する手段であってもよい（以下においても同じ。）。
【０３０１】
また、
『  前記第一の場合とは、前記リール制御手段が、前記第二のリールの停止位置を制御可能な状態に移行するよりも先に、前記第一のリールの停止位置を制御可能な状態に移行した場合のことである［例えば、図２８に示す（ｄ）のタイミング］、
ことを特徴とする遊技台。』
についても説明した。
【０３０２】
また、
『  前記第一のリール［例えば、左リール１１０］は、回転方向に沿って複数種類の図柄［例えば、図４（ａ）に示す「左」の図柄の配列］が施されたリールであり、
前記第二のリール［例えば、中リール１１１］も、回転方向に沿って複数種類の図柄［例えば、図４（ａ）に示す「中」の図柄の配列］が施されたリールであり、
前記第一のリールの停止位置を制御可能な状態とは、前記リール制御手段が、該第一のリールに施された前記複数種類の図柄の停止表示の位置を識別するための第一の検出信号［例えば、インデックスセンサから送信されてくる、左リール１１０の遮光片の検出信号］を受信した状態のことであり、
前記第二のリールの停止位置を制御可能な状態とは、前記リール制御手段が、該第二のリールに施された前記複数種類の図柄の停止表示の位置を識別するための第二の検出信号［例えば、インデックスセンサから送信されてくる、右リール１１２の遮光片の検出信号］を受信した状態のことである、
ことを特徴とする遊技台。』
についても説明した。
【０３０３】
また、
『  前記リール制御手段が前記複数のリール全てについて前記定速制御を実行している状態［例えば、図２８に示す（う）の矢印で示された期間］で前記第一の検出信号を受信した場合に、前記第一のリールが前記停止不能状態から前記停止可能状態に移行する、
ことを特徴とする遊技台。』
についても説明した。
【０３０４】
また、
『  前記第一の場合の後に、前記第一のリール［例えば、左リール１１０］の前記ブレーキ制御が開始されず前記第二のリール［例えば、中リール１１１］の該ブレーキ制御も開始されていない状態で電断復電［例えば、図３１に示す電断復電］が生じた場合に、該第二のリールが、該第一のリールよりも先に、前記停止不能状態から前記停止可能状態に移行する場合がある［例えば、図３１（ｄ’）のタイミング］、
ことを特徴とする遊技台。』
についても説明した。
【０３０５】
また、
「  複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第二のリールの前記複数種類の図柄の表示位置を識別するための検知信号を出力する第二の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
を備えた遊技台であって、
第一の場合に、前記第一の停止操作手段における前記停止操作の受付開始時期が、前記第二の停止操作手段における前記停止操作の受付開始時期よりも早い、
ことを特徴とする遊技台。」
についても説明した。
【０３０６】
この遊技台によれば、準備できたリールから停止操作を受け付けることで従来よりも早く停止ボタンを操作できる。
【０３０７】
また、
「  前記第一の場合とは、前記第一の図柄位置検知手段の検知信号の出力が前記第二の図柄位置検知手段の検知信号の出力よりも早い場合のことである、
ことを特徴とする遊技台。」
についても説明した。
【０３０８】
この遊技台によれば、図柄位置が検知できたリールから停止操作を受付開始できる。
【０３０９】
また、
「  前記複数のリールの前記定速制御が実行されるとともに前記第一の図柄位置検知手段の検知信号の出力された場合に、前記第一の停止操作手段における前記停止操作の受付が開始される、
ことを特徴とする遊技台。」
についても説明した。
【０３１０】
この遊技台によれば、従来よりも早くリールの停止操作を受付開始できる。
【０３１１】
また、
「  前記第一の場合の後に前記第一の停止操作手段と前記第二の停止操作手段が操作されていない状態で電断復電があった場合、前記第二の停止操作手段における前記停止操作の受付開始時期が、前記第一の停止操作手段における前記停止操作の受付開始時期よりも早い場合がある、
ことを特徴とする遊技台。」
についても説明した。
【０３１２】
この遊技台によれば、電断復電の前後で操作受付順が異なることで遊技にメリハリを与えることができる。
【０３１３】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールを構成するリールごとに［例えば、図１７に示すリール回転制御処理におけるステップＳ２０８ｃはリールごとに実行されている］、停止不能状態から前記停止可能状態に移行可能であり［例えば、図２８に示す、（ｄ）のタイミングにおける左ストップボタン１３７受付可能状態への移行、（ｅ）のタイミングにおける中ストップボタン１３８受付可能状態への移行、（ｆ）のタイミングにおける右ストップボタン１３９受付可能状態への移行］、
前記複数のリールのうちの一のリール［例えば、左リール１１０］に対して前記定速制御が実行されている状態で、該複数のリールのうちの該一のリールとは別のリール［例えば、右リール１１２］が第一の異常状態になった場合［例えば、図２９に示す（ｇ）のタイミング］であっても、該一のリールは前記停止不能状態から前記停止可能状態に移行する場合がある［例えば、図２９に示す（ｄ）のタイミング］、
ことを特徴とする遊技台。』
についても説明した。
【０３１４】
この遊技台によれば、上記第一の共通の効果に加えて、一部のリールが第一の異常状態となった場合であっても、残ったリールで遊技を継続することができる。また、第一の異常状態となることがなかったリールの回転を無駄にせず、遊技者を遊技に集中させることができる場合がある。
【０３１５】
なお、リールの停止位置を制御不能な状態であれば、前記一のリールは前記停止不能状態から前記停止可能状態に移行することはない。
【０３１６】
また、
『  前記リールが前記第一の異常状態になったことを検出する第一の異常状態検出手段［例えば、図２１に示すステップアウト検出処理を実行する主制御部３００］を備え、
前記複数のリールのうちの一のリールに対して前記定速制御が実行されている状態で、該複数のリールのうちの該一のリールとは別のリールが前記第一の異常状態になった［例えば、図２９に示す（ｇ）のタイミング］としても前記第一の異常状態検出手段が該別のリールの該第一の異常状態を検出するまで［例えば、図２９に示す（ａ’）のタイミングまで］の間は、該一のリールは前記停止不能状態から前記停止可能状態に移行可能である［例えば、図２９に示す（ｄ）のタイミング］、
ことを特徴とする遊技台。』
についても説明した。
【０３１７】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０３１８】
また、
『  前記複数のリールを構成する一のリールは、第一のリール［例えば、左リール１１０］であり、
前記複数のリールを構成する一のリールは、第二のリール［例えば、中リール１１１］であり、
第一の場合［例えば、図２８に示す例の場合］に、前記第一のリールが、前記第二のリールよりも先に、前記停止不能状態から前記停止可能状態に移行する［例えば、図２８に示す（ｄ）のタイミング］、
ことを特徴とする遊技台。』
についても説明した。
【０３１９】
また、
『  前記第一の場合とは、前記リール制御手段が、前記第二のリールの停止位置を制御可能な状態に移行するよりも先に、前記第一のリールの停止位置を制御可能な状態に移行した場合のことである［例えば、図２８に示す（ｄ）のタイミング］、
ことを特徴とする遊技台。』
についても説明した。
【０３２０】
また、
『  前記第一のリール［例えば、左リール１１０］は、回転方向に沿って複数種類の図柄［例えば、図４（ａ）に示す「左」の図柄の配列］が施されたリールであり、
前記第二のリール［例えば、中リール１１１］も、回転方向に沿って複数種類の図柄［例えば、図４（ａ）に示す「中」の図柄の配列］が施されたリールであり、
前記第一のリールの停止位置を制御可能な状態とは、前記リール制御手段が、該第一のリールに施された前記複数種類の図柄の停止表示の位置を識別するための第一の検出信号［例えば、インデックスセンサから送信されてくる、左リール１１０の遮光片の検出信号］を受信した状態のことであり、
前記第二のリールの停止位置を制御可能な状態とは、前記リール制御手段が、該第二のリールに施された前記複数種類の図柄の停止表示の位置を識別するための第二の検出信号［例えば、インデックスセンサから送信されてくる、右リール１１２の遮光片の検出信号］を受信した状態のことである、
ことを特徴とする遊技台。』
についても説明した。
【０３２１】
また、
『  前記リール制御手段が前記複数のリール全てについて前記定速制御を実行している状態［例えば、図２８に示す（う）の矢印で示された期間］で前記第一の検出信号を受信した場合に、前記第一のリールが前記停止不能状態から前記停止可能状態に移行する、
ことを特徴とする遊技台。』
についても説明した。
【０３２２】
また、
『  前記第一の場合の後に、前記第一のリール［例えば、左リール１１０］の前記ブレーキ制御が開始されず前記第二のリール［例えば、中リール１１１］の該ブレーキ制御も開始されていない状態で電断復電［例えば、図３１に示す電断復電］が生じた場合に、該第二のリールが、該第一のリールよりも先に、前記停止不能状態から前記停止可能状態に移行する場合がある［例えば、図３１（ｄ’）のタイミング］、
ことを特徴とする遊技台。』
についても説明した。
【０３２３】
また、
「複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第二のリールの前記複数種類の図柄の表示位置を識別するための検知信号を出力する第二の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
を備えた遊技台であって、
第一の場合に、前記第一の停止操作手段における前記停止操作の受付開始時期が、前記第二の停止操作手段における前記停止操作の受付開始時期よりも早く、
前記リール制御手段が前記第二のリールに対して前記定速制御を実行する期間に前記第二のリール回転駆動手段がステップアウトする場合であっても、前記第一の停止操作手段における前記停止操作の受付が開始される、
ことを特徴とする遊技台。」
についても説明した。
【０３２４】
この遊技台によれば、準備できたリールから停止操作を受け付けることで従来よりも早く停止ボタンを操作でき、加えて、複数あるリールのうちの一部のリールでも遊技者が遊技できる。
【０３２５】
また、
「前記第一の場合とは、前記第一の図柄位置検知手段の検知信号の出力が前記第二の図柄位置検知手段の検知信号の出力よりも早い場合のことである、
ことを特徴とする遊技台。」
についても説明した。
【０３２６】
この遊技台によれば、図柄位置が検知できたリールから停止操作を受付開始できる。
【０３２７】
また、
「前記複数のリールの前記定速制御が実行されるとともに前記第一の図柄位置検知手段の検知信号の出力された場合に、前記第一の停止操作手段における前記停止操作の受付が開始される、
ことを特徴とする遊技台。」
についても説明した。
【０３２８】
この遊技台によれば、従来よりも早くリールの停止操作を受付開始できる。
【０３２９】
また、
「前記第一の場合の後に前記第一の停止操作手段と前記第二の停止操作手段が操作されていない状態で電断復電があった場合、前記第二の停止操作手段における前記停止操作の受付開始時期が、前記第一の停止操作手段における前記停止操作の受付開始時期よりも早い場合がある、
ことを特徴とする遊技台。」
についても説明した。
【０３３０】
この遊技台によれば、電断復電の前後で操作受付順が異なることで遊技にメリハリを与えることができる。
【０３３１】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに対して実行される回転制御について、停止状態から定速状態に向けてリールの回転速度を上げていく加速制御［例えば、図１１に示す加速制御］、該定速状態を維持する第二の定速制御［例えば、図１１に示す第二定速制御］、および該定速状態から該停止状態へ移行させるブレーキ制御［例えば、図１１に示すブレーキ制御］を少なくとも実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールを構成するリールごとに［例えば、図１７に示すリール回転制御処理におけるステップＳ２０８ｃはリールごとに実行されている］、停止不能状態から前記停止可能状態に移行可能であり［例えば、図３３に示す、（ｃ）のタイミングにおける左ストップボタン１３７受付可能状態への移行、（ｅ）のタイミングにおける中ストップボタン１３８受付可能状態への移行、（ｆ）のタイミングにおける右ストップボタン１３９受付可能状態への移行］、
前記リール制御手段は、前記第二の定速制御が開始される前に、リールの停止位置を制御可能な状態に移行する場合がある手段である［例えば、図３３に示す（ｂ）のタイミング］、
ことを特徴とする遊技台。』
についても説明した。
【０３３２】
この遊技台によれば、リールの停止位置を制御可能な状態に移行することを、前記第二の定速制御が開始されるまで待つ必要がなく、より早いタイミングで停止操作手段の操作が受け付けられるようになる。したがって、上記第一の共通の効果がより一層高まる。
【０３３３】
なお、前記リール制御手段は、前記第二の定速制御の実行中に、リールの停止位置を制御可能な状態に移行可能な手段であってもよいし、前記加速制御の実行中に、リールの停止位置を制御可能な状態に移行可能な手段であってもよい。
【０３３４】
また、前記第二の定速制御は、繰り返し実行されることで前記定速状態を維持する制御であってもよい。
【０３３５】
また、
『  前記リール制御手段は、リールの回転速度が前記定速状態における定速に到達すると、前記加速制御を終了した後に第一の定速制御［例えば、図１１に示す第一定速制御］を実行し、その後、前記第二の定速制御を実行するものであり、
前記第二の定速制御は、繰り返し実行される制御である、
ことを特徴とする遊技台。』
についても説明した。
【０３３６】
なお、前記第一の定速制御は、前記第二の定速制御で用いる電流値（例えば、中励磁）よりも高い電流値（強励磁）を用いる制御であってもよい（以下においても同じ。）。
【０３３７】
また、前記第一の定速制御は、第一の制御パターン［例えば、図１１に示す第一定速制御における汎用オフセットカウンタ値が０から７までの制御パターン］が第一の回数［例えば、１６回］繰り返し実行された後、必ず第二の定速制御に移行するが、前記第二の定速制御は、第二の制御パターン［例えば、図１１に示す第二定速制御における汎用オフセットカウンタ値が０から７までの制御パターン］が不定回数繰り返し実行［例えば、遮光片が検出されストップボタンが操作されるまで］された後、ブレーキ制御に移行する。
【０３３８】
また、前記リール制御手段は、前記第一の定速制御の実行中［例えば、図３３に示す（ｂ）のタイミング］に、リールの停止位置を制御可能な状態に移行可能な手段であってもよい。
【０３３９】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０３４０】
また、
『  前記複数のリールを構成する一のリールは、第一のリール［例えば、左リール１１０］であり、
前記複数のリールを構成する一のリールは、第二のリール［例えば、中リール１１１］であり、
第一の場合［例えば、図２８に示す例の場合］に、前記第一のリールが、前記第二のリールよりも先に、前記停止不能状態から前記停止可能状態に移行する［例えば、図３３に示す（ｃ）のタイミング］、
ことを特徴とする遊技台。』
についても説明した。
【０３４１】
また、
『  前記第一の場合とは、前記リール制御手段が、前記第二のリールの停止位置を制御可能な状態に移行するよりも先に、前記第一のリールの停止位置を制御可能な状態に移行した場合のことである［例えば、図３３に示す（ｃ）のタイミング］、
ことを特徴とする遊技台。』
についても説明した。
【０３４２】
また、
『  前記第一のリール［例えば、左リール１１０］は、回転方向に沿って複数種類の図柄［例えば、図４（ａ）に示す「左」の図柄の配列］が施されたリールであり、
前記第二のリール［例えば、中リール１１１］も、回転方向に沿って複数種類の図柄［例えば、図４（ａ）に示す「中」の図柄の配列］が施されたリールであり、
前記第一のリールの停止位置を制御可能な状態とは、前記リール制御手段が、該第一のリールに施された前記複数種類の図柄の停止表示の位置を識別するための第一の検出信号［例えば、インデックスセンサから送信されてくる、左リール１１０の遮光片の検出信号］を受信した状態のことであり、
前記第二のリールの停止位置を制御可能な状態とは、前記リール制御手段が、該第二のリールに施された前記複数種類の図柄の停止表示の位置を識別するための第二の検出信号［例えば、インデックスセンサから送信されてくる、右リール１１２の遮光片の検出信号］を受信した状態のことである、
ことを特徴とする遊技台。』
についても説明した。
【０３４３】
また、
『  前記リール制御手段が前記複数のリール全てについて前記第二の定速制御を実行している状態［例えば、図３３に示す（う）の矢印で示された期間］で前記第一の検出信号を受信した場合に、前記第一のリールが前記停止不能状態から前記停止可能状態に移行する、
ことを特徴とする遊技台。』
についても説明した。
【０３４４】
また、
『  前記第一の場合の後に、前記第一のリール［例えば、左リール１１０］の前記ブレーキ制御が開始されず前記第二のリール［例えば、中リール１１１］の該ブレーキ制御も開始されていない状態で電断復電［例えば、図３１に示す電断復電］が生じた場合に、該第二のリールが、該第一のリールよりも先に、前記停止不能状態から前記停止可能状態に移行する場合がある［例えば、図３１（ｄ’）のタイミング］、
ことを特徴とする遊技台。』
についても説明した。
【０３４５】
また、
「複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第二のリールの前記複数種類の図柄の表示位置を識別するための検知信号を出力する第二の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
を備えた遊技台であって、
第一の場合に、前記第一の停止操作手段における前記停止操作の受付開始時期が、前記第二の停止操作手段における前記停止操作の受付開始時期よりも早く、
前記第一の停止操作手段における前記停止操作の受付は、前記第一のリールに対する前記加速制御が開始されてから所定時間が経過するまでの間に前記第一の図柄位置検知手段の検知信号が出力された場合に、該所定時間の経過後に開始される場合がある、
ことを特徴とする遊技台。」
についても説明した。
【０３４６】
この遊技台によれば、定速フラグがオンになる前のリールインデックス検出が可能になり、定速フラグがオンになってからリールインデックス検出を行うよりも早くリールの停止操作を受付開始できる。
【０３４７】
また、
「前記第一の場合とは、前記第一の図柄位置検知手段の検知信号の出力が前記第二の図柄位置検知手段の検知信号の出力よりも早い場合のことである、
ことを特徴とする遊技台。」
についても説明した。
【０３４８】
この遊技台によれば、図柄位置が検知できたリールから停止操作を受付開始できる。
【０３４９】
また、
「前記複数のリールの前記定速制御が実行されるとともに前記第一の図柄位置検知手段の検知信号の出力された場合に、前記第一の停止操作手段における前記停止操作の受付が開始される、
ことを特徴とする遊技台。」
についても説明した。
【０３５０】
この遊技台によれば、従来よりも早くリールの停止操作を受付開始できる。
【０３５１】
また、
「前記第一の場合の後に前記第一の停止操作手段と前記第二の停止操作手段が操作されていない状態で電断復電があった場合、前記第二の停止操作手段における前記停止操作の受付開始時期が、前記第一の停止操作手段における前記停止操作の受付開始時期よりも早い場合がある、
ことを特徴とする遊技台。」
についても説明した。
【０３５２】
この遊技台によれば、電断復電の前後で操作受付順が異なることで遊技にメリハリを与えることができる。
【０３５３】
また、
「前記リール制御手段は、前記定速制御として、第一の定速制御と第二の定速制御を実行可能なものであり、
前記リール制御手段は、前記所定時間の経過までの少なくとも一部の期間に前記第一のリールに対して前記第一の定速制御を実行し、該所定時間の経過後に前記第二の定速制御を該第一のリールに対して実行する、
ことを特徴とする遊技台。」
についても説明した。
【０３５４】
この遊技台によれば、第一の定速制御中のリールインデックス検出が有効となる。
【０３５５】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールを構成するリールごとに［例えば、図１７に示すリール回転制御処理におけるステップＳ２０８ｃはリールごとに実行されている］、停止不能状態から前記停止可能状態に移行可能であり［例えば、図２８に示す、（ｄ）のタイミングにおける左ストップボタン１３７受付可能状態への移行、（ｅ）のタイミングにおける中ストップボタン１３８受付可能状態への移行、（ｆ）のタイミングにおける右ストップボタン１３９受付可能状態への移行］、
前記複数のリールのそれぞれに対応する複数の停止操作手段が連続して操作された場合［例えば、スライドプッシュが行われた場合］に、操作された全ての該停止操作手段に対応するリールが前記停止可能状態の場合［例えば、図３８に示す例］もあれば、操作された全ての該停止操作手段のうちの一部の停止操作手段［例えば、左ストップボタン１３７］に対応するリールだけが該停止可能状態の場合［例えば、図３７に示す例］もある、
ことを特徴とする遊技台。』
についても説明した。
【０３５６】
この遊技台によれば、スライドプッシュという操作が行われても、上記第一の共通の効果を得ることができる。
【０３５７】
なお、前記複数のリールを構成するうちの複数のリールそれぞれに対応する複数の停止操作手段が連続して操作された場合であってもよく、この場合の「前記複数のリールを構成するうちの複数のリール」とは、３つあるリールのうちの２つのリールであってもよいし、３つあるリールのうちの３つのリールであってもよい。
【０３５８】
また、前記複数のリールを構成するうちの複数のリールそれぞれに対応する複数の停止操作手段が連続して操作された場合に、操作された全ての該停止操作手段に対応したリールの全てに対して前記ブレーキ制御が実行される場合もあれば、操作された全ての該停止操作手段に対応したリールのうちの一部のリールだけに対して該ブレーキ制御が実行される場合もある。
【０３５９】
また、前記複数のリールを構成するうちの複数のリールそれぞれに対応する複数の停止操作手段が連続して操作された場合に、最初に操作された停止操作手段に対応したリールに対して前記ブレーキ制御が実行されている状態であっても、次に操作された停止操作手段に対応したリールに対しても該ブレーキ制御が実行される場合がある。
【０３６０】
また、前記複数のリールを構成するうちの複数のリールそれぞれに対応する複数の停止操作手段が連続して操作される場合に、最初に操作された停止操作手段に対応したリールに対して前記ブレーキ制御が実行されている状態であっても、次に操作される停止操作手段が前記停止不能状態である場合もある。
【０３６１】
また、前記複数のリールを構成するうちの複数のリールそれぞれに対応する複数の停止操作手段が連続して操作される場合に、最初に操作された停止操作手段に対応したリールに対して前記ブレーキ制御が実行されている状態であっても、次に操作される停止操作手段も前記停止可能状態である場合もある。
【０３６２】
また、
『  上記「複数の停止操作手段が連続して操作された場合」とは、複数の停止操作手段をなぞるようにして連続して操作する操作が行われた場合のことである、
ことを特徴とする遊技台。』
についても説明した。
【０３６３】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０３６４】
また、
『  前記複数のリールを構成する一のリールは、第一のリール［例えば、左リール１１０］であり、
前記複数のリールを構成する一のリールは、第二のリール［例えば、中リール１１１］であり、
第一の場合［例えば、図２８に示す例の場合］に、前記第一のリールが、前記第二のリールよりも先に、前記停止不能状態から前記停止可能状態に移行する［例えば、図２８に示す（ｄ）のタイミング］、
ことを特徴とする遊技台。』
についても説明した。
【０３６５】
また、
『  前記第一の場合とは、前記リール制御手段が、前記第二のリールの停止位置を制御可能な状態に移行するよりも先に、前記第一のリールの停止位置を制御可能な状態に移行した場合のことである［例えば、図２８に示す（ｄ）のタイミング］、
ことを特徴とする遊技台。』
についても説明した。
【０３６６】
また、
『  前記第一のリール［例えば、左リール１１０］は、回転方向に沿って複数種類の図柄［例えば、図４（ａ）に示す「左」の図柄の配列］が施されたリールであり、
前記第二のリール［例えば、中リール１１１］も、回転方向に沿って複数種類の図柄［例えば、図４（ａ）に示す「中」の図柄の配列］が施されたリールであり、
前記第一のリールの停止位置を制御可能な状態とは、前記リール制御手段が、該第一のリールに施された前記複数種類の図柄の停止表示の位置を識別するための第一の検出信号［例えば、インデックスセンサから送信されてくる、左リール１１０の遮光片の検出信号］を受信した状態のことであり、
前記第二のリールの停止位置を制御可能な状態とは、前記リール制御手段が、該第二のリールに施された前記複数種類の図柄の停止表示の位置を識別するための第二の検出信号［例えば、インデックスセンサから送信されてくる、右リール１１２の遮光片の検出信号］を受信した状態のことである、
ことを特徴とする遊技台。』
についても説明した。
【０３６７】
また、
『  前記リール制御手段が前記複数のリール全てについて前記定速制御を実行している状態［例えば、図２８に示す（う）の矢印で示された期間］で前記第一の検出信号を受信した場合に、前記第一のリールが前記停止不能状態から前記停止可能状態に移行する、
ことを特徴とする遊技台。』
についても説明した。
【０３６８】
また、
『  前記第一の場合の後に、前記第一のリール［例えば、左リール１１０］の前記ブレーキ制御が開始されず前記第二のリール［例えば、中リール１１１］の該ブレーキ制御も開始されていない状態で電断復電［例えば、図３１に示す電断復電］が生じた場合に、該第二のリールが、該第一のリールよりも先に、前記停止不能状態から前記停止可能状態に移行する場合がある［例えば、図３１（ｄ’）のタイミング］、
ことを特徴とする遊技台。』
についても説明した。
【０３６９】
また、
「複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第二のリールの前記複数種類の図柄の表示位置を識別するための検知信号を出力する第二の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
を備えた遊技台であって、
第一の場合に、前記第一の停止操作手段における前記停止操作の受付開始時期が、前記第二の停止操作手段における前記停止操作の受付開始時期よりも早く、
前記第一の場合おける第一の期間に、前記第一の停止操作手段への操作と前記第二の停止操作手段への操作が行われると、該第二の停止操作手段への操作は無効となり、
前記第一の場合おける前記第一の期間の後の第二の期間に、前記第一の停止操作手段への操作と前記第二の停止操作手段への操作が行われると、該第二の停止操作手段への操作は有効となる、
ことを特徴とする遊技台。」
についても説明した。
【０３７０】
この遊技台によれば、短時間に複数のボタンを操作（スライドプッシュ）しても一部が停止しない状況を作って遊技に熱中する遊技者を冷静にさせることができる。
【０３７１】
また、
「前記第一の場合とは、前記第一の図柄位置検知手段の検知信号の出力が前記第二の図柄位置検知手段の検知信号の出力よりも早い場合のことである、
ことを特徴とする遊技台。」
についても説明した。
【０３７２】
この遊技台によれば、図柄位置が検知できたリールから停止操作を受付開始できる。
【０３７３】
また、
「前記複数のリールの前記定速制御が実行されるとともに前記第一の図柄位置検知手段の検知信号の出力された場合に、前記第一の停止操作手段における前記停止操作の受付が開始される、
ことを特徴とする遊技台。」
についても説明した。
【０３７４】
この遊技台によれば、従来よりも早くリールの停止操作を受付開始できる。
【０３７５】
また、
「前記第一の場合の後に前記第一の停止操作手段と前記第二の停止操作手段が操作されていない状態で電断復電があった場合、前記第二の停止操作手段における前記停止操作の受付開始時期が、前記第一の停止操作手段における前記停止操作の受付開始時期よりも早い場合がある、
ことを特徴とする遊技台。」
についても説明した。
【０３７６】
この遊技台によれば、電断復電の前後で操作受付順が異なることで遊技にメリハリを与えることができる。
【０３７７】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに対して実行される回転制御について、停止状態から定速状態に向けてリールの回転速度を上げていく加速制御［例えば、図１１に示す加速制御］、繰り返し実行されることで該定速状態を維持する第二の定速制御［例えば、図１１に示す第二定速制御］、および該定速状態から該停止状態へ移行させるブレーキ制御［例えば、図１１に示すブレーキ制御］を少なくとも実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールを構成するリールごとに［例えば、図１７に示すリール回転制御処理におけるステップＳ２０８ｃはリールごとに実行されている］、停止不能状態から前記停止可能状態に移行可能であり［例えば、図２８に示す、（ｄ）のタイミングにおける左ストップボタン１３７受付可能状態への移行、（ｅ）のタイミングにおける中ストップボタン１３８受付可能状態への移行、（ｆ）のタイミングにおける右ストップボタン１３９受付可能状態への移行］、
前記リール制御手段は、リールの回転速度が前記定速状態における定速に到達すると、前記加速制御を終了した後に第一の定速制御［例えば、図１１に示す第一定速制御］を実行し、その後、前記第二の定速制御を実行するものであり、
前記複数のリールのうちの一のリール（以下、「第一のリール」という。）［例えば、左リール１１０］は、回転方向に沿って複数種類の図柄［例えば、図４（ａ）に示す「左」の図柄の配列］が施されたものであり、
前記複数種類の図柄のうちの一つの図柄は、第一の図柄［例えば、図３４（ｃ’’−１）に示すスイカ図柄、あるいは図３４（ｃ’’−２）に示すチェリー図柄］であり、
前記第一の図柄は、停止表示すると遊技者にとって有利になる図柄［例えば、小役が入賞する図柄］であり、
前記リールは、前記停止操作手段が操作されても、前記第一の定速制御が実行されている場合には、停止不能なものであり［例えば、図２１に示す第二定速制御処理でのみストップボタン有効情報が設定される］、
前記リール制御手段は、前記第一の定速制御の実行中に、前記第一のリールの停止位置を制御可能な状態（以下、「第一の状態」という。）に移行する場合［例えば、図３３に示す（ｂ）のタイミング］があるものであり、
前記第一の定速制御の実行中に前記第一の状態に移行した場合［例えば、図３３に示す（ｂ）のタイミング］に、前記第二の定速制御が開始され前記停止操作手段が操作されると［例えば、図３３に示す（ｃ’）のタイミング］前記第一の図柄が停止表示される場合［例えば、図３４（ｃ’’−１）あるいは図３４（ｃ’’−２）］がある、
ことを特徴とする遊技台。』
についても説明した。
【０３７８】
この遊技台によれば、いわゆるＤＤＴ図柄が設けられたリールでも、上記第一の共通の効果を得ることができ、さらには、リールの速度変化を見極めることができる玄人であれば、最速のタイミングで入賞を獲得することができるようになる。
【０３７９】
なお、例えば、前記第一の定速制御が開始された時点で前記第一の状態に移行した場合に、前記第二の定速制御の開始タイミングを狙って前記停止操作手段が操作されると前記第一の図柄が停止表示される場合がある。
【０３８０】
また、
『  前記第一のリール［例えば、左リール１１０］は、第一の検出片［例えば、遮光片６１２Ｄ］を有するものであり、
前記第一の検出片は、前記第一の定速制御の実行中に検出可能なものであり［例えば、図３３に示す（ｂ）のタイミング］、
前記リール制御手段は、前記第一の検出片が検出されることで、前記第一の状態に移行するものである、
ことを特徴とする遊技台。』
についても説明した。
【０３８１】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０３８２】
また、
『  前記複数のリールのうちの、前記第一のリールと［例えば、左リール１１０］は異なる一のリールは、第二のリール［例えば、中リール１１１］であり、
第三の場合［例えば、図３３に示す例の場合］に、前記第一のリールが、前記第二のリールよりも先に、前記停止不能状態から前記停止可能状態に移行する［例えば、図３３に示す（ｃ）のタイミング］、
ことを特徴とする遊技台。』
についても説明した。
【０３８３】
また、
『  前記第三の場合とは、前記リール制御手段が、前記第二のリールの停止位置を制御可能な状態に移行するよりも先に、前記第一のリールの停止位置を制御可能な状態に移行した場合のことである［例えば、図３３に示す（ｃ）のタイミング］、
ことを特徴とする遊技台。』
についても説明した。
【０３８４】
また、
『  前記第一のリール［例えば、左リール１１０］は、回転方向に沿って複数種類の図柄［例えば、図４（ａ）に示す「左」の図柄の配列］が施されたリールであり、
前記第二のリール［例えば、中リール１１１］も、回転方向に沿って複数種類の図柄［例えば、図４（ａ）に示す「中」の図柄の配列］が施されたリールであり、
前記第一のリールの停止位置を制御可能な状態とは、前記リール制御手段が、該第一のリールに施された前記複数種類の図柄の停止表示の位置を識別するための第一の検出信号［例えば、インデックスセンサから送信されてくる、左リール１１０の遮光片の検出信号］を受信した状態のことであり、
前記第二のリールの停止位置を制御可能な状態とは、前記リール制御手段が、該第二のリールに施された前記複数種類の図柄の停止表示の位置を識別するための第二の検出信号［例えば、インデックスセンサから送信されてくる、右リール１１２の遮光片の検出信号］を受信した状態のことである、
ことを特徴とする遊技台。』
についても説明した。
【０３８５】
また、
『  前記リール制御手段が前記複数のリール全てについて前記第二の定速制御を実行している状態［例えば、図３３に示す（う）の矢印で示された期間］で前記第一の検出信号を受信した場合に、前記第一のリールが前記停止不能状態から前記停止可能状態に移行する、
ことを特徴とする遊技台。』
についても説明した。
【０３８６】
また、
『  前記第三の場合の後に、前記第一のリール［例えば、左リール１１０］の前記ブレーキ制御が開始されず前記第二のリール［例えば、中リール１１１］の該ブレーキ制御も開始されていない状態で電断復電［例えば、図３１に示す電断復電］が生じた場合に、該第二のリールが、該第一のリールよりも先に、前記停止不能状態から前記停止可能状態に移行する場合がある［例えば、図３１（ｄ’）のタイミング］、
ことを特徴とする遊技台。』
についても説明した。
【０３８７】
また、
『  上記「前記第一の定速制御の実行中に前記第一の状態に移行した場合に、前記第二の定速制御が開始され前記停止操作手段が操作される」とは、前記第一のリールの回転開始後において前記第一の図柄が最初に停止表示可能な時期に前記停止操作手段が操作されることである、
ことを特徴とする遊技台。』
についても説明した。
【０３８８】
また、
「複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第二のリールの前記複数種類の図柄の表示位置を識別するための検知信号を出力する第二の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
を備えた遊技台であって、
第一の場合に、前記第一の停止操作手段における前記停止操作の受付開始時期が、前記第二の停止操作手段における前記停止操作の受付開始時期よりも早く、
前記第一のリールに設けられた第一の検知片と、
前記第二のリールに設けられた第二の検知片と、
を備え、
第一の図柄位置検知手段は、前記第一の検知片を検知した場合に前記検知信号を出力するものであり、
第二の図柄位置検知手段は、前記第二の検知片を検知した場合に前記検知信号を出力するものであり、
前記複数種類の図柄のうちの一つは、第一の図柄であり、
前記第一の図柄の位置は、前記第一の検知片の位置から前記リール制御手段が前記定速制御を開始してから所定時間経過するまで回転した回転方向後方側に少なくとも離れた位置である、
ことを特徴とする遊技台。」
についても説明した。
【０３８９】
この遊技台によれば、操作受付となってから最速で第一の図柄を目押しできる。
【０３９０】
また、
「前記第一の場合とは、前記第一の図柄位置検知手段の検知信号の出力が前記第二の図柄位置検知手段の検知信号の出力よりも早い場合のことである、
ことを特徴とする遊技台。」
についても説明した。
【０３９１】
この遊技台によれば、図柄位置が検知できたリールから停止操作を受付開始できる。
【０３９２】
また、
「前記複数のリールの前記定速制御が実行されるとともに前記第一の図柄位置検知手段の検知信号の出力された場合に、前記第一の停止操作手段における前記停止操作の受付が開始される、
ことを特徴とする遊技台。」
についても説明した。
【０３９３】
この遊技台によれば、従来よりも早くリールの停止操作を受付開始できる。
【０３９４】
また、
「前記第一の場合の後に前記第一の停止操作手段と前記第二の停止操作手段が操作されていない状態で電断復電があった場合、前記第二の停止操作手段における前記停止操作の受付開始時期が、前記第一の停止操作手段における前記停止操作の受付開始時期よりも早い場合がある、
ことを特徴とする遊技台。」
についても説明した。
【０３９５】
この遊技台によれば、電断復電の前後で操作受付順が異なることで遊技にメリハリを与えることができる。
【０３９６】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記ブレーキ制御が実行されて停止した後、回転を開始した前記複数のリールを構成するリールごとに［例えば、図１７に示すリール回転制御処理におけるステップＳ２０８ｃはリールごとに実行されている］、停止不能状態から前記停止可能状態に移行可能であり［例えば、図３７に示す、（ｄ’）のタイミングにおける左ストップボタン１３７受付可能状態への移行、（ｅ’）のタイミングにおける中ストップボタン１３８受付可能状態への移行、（ｆ’）のタイミングにおける右ストップボタン１３９受付可能状態への移行］、
前記リール制御手段は、リール演出［例えば、リールアクション（第１リール演出）あるいは疑似遊技（第２リール演出）］を実行可能な手段であり、
前記リール制御手段は、前記複数のリールを構成するリールごとに、前記リール演出の実行後の回転開始をランダムに遅延させるランダム遅延制御を実行可能な手段であり、
前記ランダム遅延制御が行われ回転を開始したリールごとに、前記停止不能状態から前記停止可能状態に移行可能である［例えば、図３９又は図４０に示す、（ｆ’）のタイミング、（ｅ’）のタイミング、（ｄ’）のタイミング］、
ことを特徴とする遊技台。』
について説明した。
【０３９７】
この遊技台によれば、ランダム遅延制御を搭載した遊技台であっても、上記第一の共通の効果を奏することができ、さらには、ランダム遅延制御を挟んで、リールの状況が変化し、遊技にメリハリを与えることができる。
【０３９８】
なお、前記リール演出は、回転するリールを演出として停止したように見せかける演出であってもよい。
【０３９９】
また、
『  前記リール演出は、前記停止操作手段の操作［例えば、図３９（ｈ）のタイミング、（ｈ’）のタイミング、（ｈ’’）のタイミング］に応じて停止したように見せかける疑似遊技の演出である、
ことを特徴とする遊技台。』
についても説明した。
【０４００】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０４０１】
また、
『  前記複数のリールを構成する一のリールは、第一のリール［例えば、左リール１１０］であり、
前記複数のリールを構成する一のリールは、第二のリール［例えば、中リール１１１］であり、
前記複数のリールが前記ブレーキ制御が実行されて停止した後に回転を開始した場合のうちの第一の場合［例えば、図２８に示す例の場合あるいは図３７に示す例の場合］に、前記第一のリールが、前記第二のリールよりも先に、前記停止不能状態から前記停止可能状態に移行し［例えば、図２８に示す（ｄ）のタイミングあるいは図３７に示す（ｄ’）のタイミング］、
前記複数のリールが前記リール演出が実行された後に前記ランダム遅延制御が行われて回転を開始した場合のうちの第二の場合［例えば、図３９に示す例の場合又は図４０に示す例の場合］に、前記第二のリールが、前記第一のリールよりも先に、前記停止不能状態から前記停止可能状態に移行する［例えば、図３９又は図４０に示す（ｅ’）のタイミング］、
ことを特徴とする遊技台。』
についても説明した。
【０４０２】
また、
『  前記第一の場合とは、前記リール制御手段が、前記第二のリールの停止位置を制御可能な状態に移行するよりも先に、前記第一のリールの停止位置を制御可能な状態に移行した場合のことであり［例えば、図２８に示す（ｄ）のタイミングあるいは図３７に示す（ｄ’）のタイミング］、
前記第二の場合とは、前記リール制御手段が、前記第一のリールの停止位置を制御可能な状態に移行するよりも先に、前記第二のリールの停止位置を制御可能な状態に移行した場合のことである［例えば、図３９又は図４０に示す（ｅ’）のタイミング］、
ことを特徴とする遊技台。』
についても説明した。
【０４０３】
また、
『  前記第一のリール［例えば、左リール１１０］は、回転方向に沿って複数種類の図柄［例えば、図４（ａ）に示す「左」の図柄の配列］が施されたリールであり、
前記第二のリール［例えば、中リール１１１］も、回転方向に沿って複数種類の図柄［例えば、図４（ａ）に示す「中」の図柄の配列］が施されたリールであり、
前記第一のリールの停止位置を制御可能な状態とは、前記リール制御手段が、該第一のリールに施された前記複数種類の図柄の停止表示の位置を識別するための第一の検出信号［例えば、インデックスセンサから送信されてくる、左リール１１０の遮光片の検出信号］を受信した状態のことであり、
前記第二のリールの停止位置を制御可能な状態とは、前記リール制御手段が、該第二のリールに施された前記複数種類の図柄の停止表示の位置を識別するための第二の検出信号［例えば、インデックスセンサから送信されてくる、右リール１１２の遮光片の検出信号］を受信した状態のことである、
ことを特徴とする遊技台。』
についても説明した。
【０４０４】
また、
『  前記リール制御手段が前記複数のリール全てについて前記定速制御を実行している状態［例えば、図２８に示す（う）の矢印で示された期間］で前記第一の検出信号を受信した場合に、前記第一のリールが前記停止不能状態から前記停止可能状態に移行する、
ことを特徴とする遊技台。』
についても説明した。
【０４０５】
また、
『  前記第一の場合の後に、前記第一のリール［例えば、左リール１１０］の前記ブレーキ制御が開始されず前記第二のリール［例えば、中リール１１１］の該ブレーキ制御も開始されていない状態で電断復電［例えば、図３１に示す電断復電］が生じた場合に、該第二のリールが、該第一のリールよりも先に、前記停止不能状態から前記停止可能状態に移行する場合がある［例えば、図３１（ｄ’）のタイミング］、
ことを特徴とする遊技台。』
についても説明した。
【０４０６】
また、
「複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第二のリールの前記複数種類の図柄の表示位置を識別するための検知信号を出力する第二の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
を備えた遊技台であって、
第一の場合に、前記第一の停止操作手段における前記停止操作の受付開始時期が、前記第二の停止操作手段における前記停止操作の受付開始時期よりも早く、
前記リール制御手段は、前記複数のリールの回転開始時期を各リール別にランダムに遅延させるランダム遅延制御を実行可能な手段であり、
前記第一の場合となった第一の遊技の後に前記ランダム遅延制御が実行されると、該第一の遊技の後の第二の遊技において、前記第二の停止操作手段における前記停止操作の受付開始時期が、前記第一の停止操作手段における前記停止操作の受付開始時期よりも早くなる場合がある、
ことを特徴とする遊技台。」
についても説明した。
【０４０７】
この遊技台によれば、第一の遊技と第二の遊技の各停止操作手段の受付開始時期を異ならせて遊技にメリハリを与えることができる。
【０４０８】
また、
「前記第一の場合とは、前記第一の図柄位置検知手段の検知信号の出力が前記第二の図柄位置検知手段の検知信号の出力よりも早い場合のことである、
ことを特徴とする遊技台。」
についても説明した。
【０４０９】
この遊技台によれば、図柄位置が検知できたリールから停止操作を受付開始できる。
【０４１０】
また、
「前記複数のリールの前記定速制御が実行されるとともに前記第一の図柄位置検知手段の検知信号の出力された場合に、前記第一の停止操作手段における前記停止操作の受付が開始される、
ことを特徴とする遊技台。」
についても説明した。
【０４１１】
この遊技台によれば、従来よりも早くリールの停止操作を受付開始できる。
【０４１２】
また、
「前記第一の場合の後に前記第一の停止操作手段と前記第二の停止操作手段が操作されていない状態で電断復電があった場合、前記第二の停止操作手段における前記停止操作の受付開始時期が、前記第一の停止操作手段における前記停止操作の受付開始時期よりも早い場合がある、
ことを特徴とする遊技台。」
についても説明した。
【０４１３】
この遊技台によれば、電断復電の前後で操作受付順が異なることで遊技にメリハリを与えることができる。
【０４１４】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに１対１の対応関係で設けられ、回転している対応リールが前記停止可能状態であることの報知［例えば、第２発光態様（青色の発光態様）による報知］を実行可能な報知手段［例えば、左ストップボタンＬＥＤ１３７ａ、中ストップボタンＬＥＤ１３８ａ、右ストップボタンＬＥＤ１３９ａ］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールのうち、前記報知手段によって前記報知が開始される或るリール［例えば、左リール１１０または中リール１１１］は、該報知が開始される［例えば、図３７に示す（ｆ）のタイミング］よりも前に、停止不能状態から前記停止可能状態に移行する場合がある［例えば、図３７に示す、（ｄ）のタイミングまたは（ｅ）のタイミング］、
ことを特徴とする遊技台。』
について説明した。
【０４１５】
この遊技台によれば、前記報知手段による前記報知を待つことなく、停止操作手段を操作すれば、リールが停止する場合があり、遊技者の操作が優先され、遊技の臨場感が高まる場合がある。また、遊技者がストレスを感じることなく、テンポよく遊技が進行するようになる。これらの効果は、以下に記す遊技台についても共通の効果であり、以下、第二の共通の効果と称する場合がある。
【０４１６】
なお、前記或るリールは、前記報知が開始されるよりも前に、前記停止不能状態から前記停止可能状態に必ず移行するものであってもよい（以下においても同じ。）。
【０４１７】
また、前記報知手段は、前記複数のリールの全てが前記停止可能状態に移行した時点で各リールが該停止可能状態であることの報知を開始するものであってもよく、前記複数のリールの全ての停止位置を制御可能な状態に移行した時点で各リールが該停止可能状態であることの報知を開始するものであってもよい（以下においても同じ。）。
【０４１８】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０４１９】
また、
『  前記複数のリールを構成する一のリールは、第一のリール［例えば、左リール１１０］であり、
前記報知手段は、第一の報知手段［例えば、左ストップボタンＬＥＤ１３７ａ］を含んだ手段であり、
前記第一の報知手段は、前記第一のリールが前記停止可能状態であることを表す第一の報知［例えば、第２発光態様（青色の発光態様）による報知］を実行可能な手段であり、
第四の場合［例えば、図３７に示す例の場合］に、前記第一のリールが、前記第一の報知手段によって前記第一の報知が開始されるよりも前に、前記停止不能状態から前記停止可能状態に移行する［例えば、図３７に示す（ｄ）のタイミング］、
ことを特徴とする遊技台。』
についても説明した。
【０４２０】
なお、前記複数のリールを構成する一のリールは、第三のリール［例えば、中リール１１１］であり、前記報知手段は、第三の報知手段［例えば、中ストップボタンＬＥＤ１３８ａ］も含んだ手段であり、前記第三の報知手段は、前記第三のリールが前記停止可能状態であることを表す第三の報知［例えば、第２発光態様（青色の発光態様）による報知］を実行可能な手段であり、或る場合には、前記第三のリールが、前記第三の報知手段によって前記第三の報知が開始されるよりも前に、前記停止不能状態から前記停止可能状態に移行［例えば、図３７に示す（ｅ）のタイミング］してもよい（以下においても同じ。）。
【０４２１】
また、
『  前記複数のリールを構成する一のリールは、第二のリール［例えば、右リール１１２］であり、
前記報知手段は、第二の報知手段［例えば、右ストップボタンＬＥＤ１３９ａ］も含んだ手段であり、
前記第二の報知手段は、前記第二のリールが前記停止可能状態であることを表す第二の報知［例えば、第２発光態様（青色の発光態様）による報知］を実行可能な手段であり、
前記第四の場合に、前記第二の報知手段によって前記第二の報知が開始されるとともに前記第二のリールが前記停止不能状態から前記停止可能状態に移行することがある［例えば、図３７に示す（ｆ）のタイミング］、
ことを特徴とする遊技台。』
についても説明した。
【０４２２】
なお、前記第四の場合に、前記第二のリールが、前記第二の報知手段によって前記第二の報知が開始されるのと同時に、前記停止不能状態から前記停止可能状態に移行することがあってもよい。
【０４２３】
また、
『  前記第二のリールは、リールの停止位置を制御可能な状態に、前記複数のリールの中で最も遅いタイミング［例えば、図３７に示す（ｆ）のタイミング］で移行したリールである、
ことを特徴とする遊技台。』
についても説明した。
【０４２４】
また、
『  前記第一の報知手段によって前記第一の報知が開始されるタイミング［例えば、図３７に示す（ｆ）のタイミング］において、前記第二の報知手段による前記第二の報知も開始される、
ことを特徴とする遊技台。』
についても説明した。
【０４２５】
なお、前記第一の報知手段によって前記第一の報知が開始されるタイミングと、前記第二の報知手段によって前記第二の報知が開始されるタイミングは同時であってもよい（以下、同じ）。
【０４２６】
また、
『  前記第四の場合の後に、前記第二のリール［例えば、右リール１１２］の前記ブレーキ制御が開始されていない状態で電断復電［例えば、図３１に示す電断復電］が生じた場合に、該第二のリールが、前記第二の報知手段によって前記第二の報知が開始されるよりも前に、前記停止不能状態から前記停止可能状態に移行する場合がある［例えば、図３１（ｅ’）のタイミング］、
ことを特徴とする遊技台。』
についても説明した。
【０４２７】
なお、前記複数のリールのうち、前記報知手段によって前記報知が開始される、前記或るリール［例えば、左リール１１０または中リール１１１］とは別のリール［例えば、右リール１１２］は、該報知の開始とともに前記停止不能状態から前記停止可能状態に移行する場合があってもよい（以下においても同じ。）。すなわち、前記複数のリールのうち、前記報知手段によって前記報知が開始される、前記或るリールとは別のリールは、該報知が開始されるのと同時に、前記停止不能状態から前記停止可能状態に移行する場合があってもよい（以下においても同じ。）。
【０４２８】
さらに、前記別のリールは、リールの停止位置を制御可能な状態に、前記複数のリールの中で、最後に移行したリールであってもよい（以下においても同じ。）。
【０４２９】
また、前記或るリールについて前記報知が開始されるタイミングにおいて、前記別のリールについての該報知も開始されてもよい（以下においても同じ。）すなわち、前記報知手段における、前記或るリールについての前記報知の開始タイミングと、該報知手段における、前記別のリールについての該報知の開始タイミングは同じタイミングであってもよい（以下においても同じ。）。
【０４３０】
また、
「複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第一のリールの前記複数種類の図柄の表示位置を識別するための検知信号を出力する第一の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
前記第一の停止操作手段が操作受付可能であることを示す第一の表示を表示可能な第一の操作受付表示手段と、
前記第二の停止操作手段が操作受付可能であることを示す前記第一の表示を表示可能な第一の操作受付表示手段と、
を備えた遊技台であって、
第二の場合に、前記第一の停止操作手段における前記停止操作の受付開始時期が、前記第一の操作受付表示手段による前記第一の表示の表示開始時期よりも早い、
ことを特徴とする遊技台。」
についても説明した。
【０４３１】
この遊技台によれば、従来の遊技台よりも早く停止でき、ウエイトとウエイトの間の時間を短くできる。
【０４３２】
また、
「前記第二の場合に、前記第二の停止操作手段における前記停止操作の受付開始時期が、前記第二の操作受付表示手段による前記第一の表示の表示開始時期と同じである、
ことを特徴とする遊技台。」
についても説明した。
【０４３３】
この遊技台によれば、第二の停止操作手段と比べて第一の停止操作手段の操作開始時期を遊技者が早く感じる。
【０４３４】
また、
「前記第一の操作受付表示手段による前記第一の表示の表示開始時期は、前記第二の操作受付表示手段による前記第一の表示の表示開始時期と同じである、
ことを特徴とする遊技台。」
についても説明した。
【０４３５】
この遊技台によれば、第二の停止操作手段と比べて第一の停止操作手段の操作開始時期を遊技者が早く感じる。
【０４３６】
また、
「前記第二の場合の後に電断復電があった場合、前記第二の停止操作手段における前記停止操作の受付開始時期が、前記第二の操作受付表示手段による前記第一の表示の表示開始時期よりも早い場合がある、
ことを特徴とする遊技台。」
についても説明した。
【０４３７】
この遊技台によれば、電断復電の前後で第一の表示よりも早く操作できる操作手段が異なることで遊技にメリハリを与えることができる。
【０４３８】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに１対１の対応関係で設けられ、回転している対応リールが前記停止可能状態であることの報知［例えば、第２発光態様（青色の発光態様）による報知］を実行可能な報知手段［例えば、左ストップボタンＬＥＤ１３７ａ、中ストップボタンＬＥＤ１３８ａ、右ストップボタンＬＥＤ１３９ａ］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールのうち、前記報知手段によって前記報知が開始される或るリール［例えば、左リール１１０または中リール１１１］は、該報知が開始される［例えば、図３７に示す（ｆ）のタイミング］よりも前に、停止不能状態から前記停止可能状態に移行する場合があり［例えば、図３７に示す、（ｄ）のタイミングまたは（ｅ）のタイミング］、
前記或るリールについての前記報知（以下、「或る報知」という。）が実行される前に、該或るリールの前記ブレーキ制御が開始される（図３７に示す（ｈ１）のタイミング）と、該或るリールとは別のリール［例えば、右リール１１２］についての前記報知が実行される時期（図３７に示す（ｆ）〜（ｈ３））に該或る報知は実行されない、
ことを特徴とする遊技台。』
について説明した。
【０４３９】
この遊技台によれば、上記第二の共通の効果に加えて、早い段階で操作してしまった停止操作手段に対応したリールついての前記報知を行わないようにして、遊技者に誤解を与えないよう配慮がなされている。
【０４４０】
また、前記或るリール［例えば、左リール１１０または中リール１１１］についての前記報知［例えば、左ストップボタンＬＥＤ１３７ａまたは中ストップボタンＬＥＤ１３８ａにおける第２発光態様（青色の発光態様）による報知］が実行される前に、該或るリールの前記ブレーキ制御が開始される［例えば、図３７に示す（ｈ１）のタイミング］と、該或るリールの前記定速制御が開始された後でなければ該報知は実行されない［例えば、図３７（ｆ’）のタイミング］。
【０４４１】
すなわち、前記停止可能状態に移行した前記或るリールが該停止可能状態であることの報知が前記報知手段によって実行される前に、該或るリールの前記ブレーキ制御が開始される［例えば、図３７に示す（ｈ１）のタイミング］と、該或るリールの前記定速制御が開始された後でなければ該報知は実行されない［例えば、図３７（ｆ’）のタイミング］。
【０４４２】
なお、前記停止可能状態に移行した前記或るリールが該停止可能状態であることの報知が前記報知手段によって実行される前に、該或るリールの前記ブレーキ制御が開始されると、該或るリールを含む前記複数のリール全ての前記定速制御が開始された後でなければ該報知は実行されない。あるいは、前記停止可能状態に移行した前記或るリールが該停止可能状態であることの報知が前記報知手段によって実行される前に、該或るリールの前記ブレーキ制御が開始されると、該或るリールを含む前記複数のリール全ての停止位置を制御可能な状態に移行しなければ該報知は実行されない。もしくは、前記停止可能状態に移行した前記或るリールが該停止可能状態であることの報知が前記報知手段によって実行される前に、該或るリールの前記ブレーキ制御が開始されると、該或るリールを含む前記複数のリール全てが前記停止不能状態から前記停止可能状態に移行しなければ該報知は実行されない。
【０４４３】
また、前記停止可能状態に移行した前記或るリールが該停止可能状態であることの報知が前記報知手段によって実行される前に、該或るリールの前記ブレーキ制御が開始されると、前記複数のリールのうちの該或るリール以外のリール全ての該ブレーキ制御が完了した後でなければ該報知は実行されない。
【０４４４】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０４４５】
また、
『  前記複数のリールを構成する一のリールは、第一のリール［例えば、左リール１１０］であり、
前記報知手段は、第一の報知手段［例えば、左ストップボタンＬＥＤ１３７ａ］を含んだ手段であり、
前記第一の報知手段は、前記第一のリールが前記停止可能状態であることを表す第一の報知［例えば、第２発光態様（青色の発光態様）による報知］を実行可能な手段であり、
第四の場合［例えば、図３７に示す例の場合］における或る遊技［例えば、図３７に示す（ａ）のタイミングからリールが回転開始する遊技］では、前記第一のリールが、前記第一の報知手段によって前記第一の報知が開始されるよりも前に、前記停止不能状態から前記停止可能状態に移行し［例えば、図３７に示す（ｄ）のタイミング］、
前記或る遊技において、前記第一の報知手段によって前記第一の報知が開始されるよりも前に前記第一のリールの前記ブレーキ制御が開始される［例えば、図３７に示す（ｄ）のタイミング］と、該或る遊技では該第一の報知手段による該第一の報知が実行されない、
ことを特徴とする遊技台。』
についても説明した。
【０４４６】
また、
『  前記複数のリールを構成する一のリールは、第二のリール［例えば、右リール１１２］であり、
前記報知手段は、第二の報知手段［例えば、右ストップボタンＬＥＤ１３９ａ］も含んだ手段であり、
前記第二の報知手段は、前記第二のリールが前記停止可能状態であることを表す第二の報知［例えば、第２発光態様（青色の発光態様）による報知］を実行可能な手段であり、
前記第四の場合に、前記第二の報知手段によって前記第二の報知が開始されるとともに前記第二のリールが前記停止不能状態から前記停止可能状態に移行することがある［例えば、図３７に示す（ｆ）のタイミング］、
ことを特徴とする遊技台。』
についても説明した。
【０４４７】
また、
『  前記第二のリールは、リールの停止位置を制御可能な状態に、前記複数のリールの中で最も遅いタイミング［例えば、図３７に示す（ｆ）のタイミング］で移行したリールである、
ことを特徴とする遊技台。』
についても説明した。
【０４４８】
また、
『  前記第一の報知手段によって前記第一の報知が開始されるタイミング［例えば、図３７に示す（ｆ）のタイミング］において、前記第二の報知手段による前記第二の報知も開始される、
ことを特徴とする遊技台。』
についても説明した。
【０４４９】
また、
『  前記第四の場合の後に、前記第二のリール［例えば、右リール１１２］の前記ブレーキ制御が開始されていない状態で電断復電［例えば、図３１に示す電断復電］が生じた場合に、該第二のリールが、前記第二の報知手段によって前記第二の報知が開始されるよりも前に、前記停止不能状態から前記停止可能状態に移行する場合がある［例えば、図３１（ｅ’）のタイミング］、
ことを特徴とする遊技台。』
についても説明した。
【０４５０】
また、
「複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第一のリールの前記複数種類の図柄の表示位置を識別するための検知信号を出力する第一の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
前記第一の停止操作手段が操作受付可能であることを示す第一の表示を表示可能な第一の操作受付表示手段と、
前記第二の停止操作手段が操作受付可能であることを示す前記第一の表示を表示可能な第一の操作受付表示手段と、
を備えた遊技台であって、
第二の場合に、前記第一の停止操作手段における前記停止操作の受付開始時期が、前記第一の操作受付表示手段による前記第一の表示の表示開始時期よりも早く、
前記第二の場合において、前記第一の操作受付表示手段による前記第一の表示の表示開始時期よりも前に前記第一の停止操作手段が操作されると、該第二の場合における遊技において該第一の操作受付表示手段による該第一の表示が表示されない、
ことを特徴とする遊技台。」
についても説明した。
【０４５１】
この遊技台によれば、遊技者に誤解を与えない。
【０４５２】
また、
「前記第二の場合に、前記第二の停止操作手段における前記停止操作の受付開始時期が、前記第二の操作受付表示手段による前記第一の表示の表示開始時期と同じである、
ことを特徴とする遊技台。」
についても説明した。
【０４５３】
この遊技台によれば、第二の停止操作手段と比べて第一の停止操作手段の操作開始時期を遊技者が早く感じる。
【０４５４】
また、
「前記第一の操作受付表示手段による前記第一の表示の表示開始時期は、前記第二の操作受付表示手段による前記第一の表示の表示開始時期と同じである、
ことを特徴とする遊技台。」
についても説明した。
【０４５５】
この遊技台によれば、第二の停止操作手段と比べて第一の停止操作手段の操作開始時期を遊技者が早く感じる。
【０４５６】
また、
「前記第二の場合の後に電断復電があった場合、前記第二の停止操作手段における前記停止操作の受付開始時期が、前記第二の操作受付表示手段による前記第一の表示の表示開始時期よりも早い場合がある、
ことを特徴とする遊技台。」
についても説明した。
【０４５７】
この遊技台によれば、電断復電の前後で第一の表示よりも早く操作できる操作手段が異なることで遊技にメリハリを与えることができる。
【０４５８】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに１対１の対応関係で設けられ、回転している対応リールが前記停止可能状態であることの報知［例えば、第２発光態様（青色の発光態様）による報知］を実行可能な報知手段［例えば、左ストップボタンＬＥＤ１３７ａ、中ストップボタンＬＥＤ１３８ａ、右ストップボタンＬＥＤ１３９ａ］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールのうち、前記報知手段によって前記報知が開始される或るリール［例えば、左リール１１０または中リール１１１］は、該報知が開始される［例えば、図３７に示す（ｆ）のタイミング］よりも前に、停止不能状態から前記停止可能状態に移行する場合があり［例えば、図３７に示す、（ｄ）のタイミングまたは（ｅ）のタイミング］、
前記複数のリールのうちの、前記或るリールとは別のリール［例えば、右リール１１２］についての前記報知［例えば、第２発光態様（青色の発光態様）による報知］が開始される［例えば、図３７に示す（ｆ）のタイミング］前では、該別のリールは前記停止不能状態の場合があり、該報知［例えば、第２発光態様（青色の発光態様）による報知］の実行中［例えば、図３７に示す（ｆ）のタイミングで開始された期間中］は該別のリールは前記停止可能状態である、
ことを特徴とする遊技台。』
について説明した。
【０４５９】
すなわち、前記複数のリールのうちの、前記或るリールとは別のリール［例えば、右リール１１２］が前記停止可能状態であることの報知［例えば、第２発光態様（青色の発光態様）による報知］が前記報知手段［例えば、右ストップボタンＬＥＤ１３９ａ］によって開始される［例えば、図３７に示す（ｆ）のタイミング］前では、該別のリールは前記停止不能状態の場合があり、該別のリールが該停止可能状態であることの報知［例えば、第２発光態様（青色の発光態様）による報知］が該報知手段［例えば、右ストップボタンＬＥＤ１３９ａ］によって実行されている間［例えば、図３７に示す（ｆ）のタイミングで開始された期間中］は該別のリールは前記停止可能状態である。
【０４６０】
また、前記別のリールが前記停止可能状態であることの報知が前記報知手段によって開始される前では、該別のリールは必ず前記停止不能状態であってもよい。
【０４６１】
この遊技台によれば、上記第二の共通の効果を奏する一方で、前記報知を待って停止操作手段を操作することもでき、初心者は、落ち着いて遊技を行うことができるとともに、前記報知によって安心して遊技を行うこともできる。
【０４６２】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０４６３】
また、
『  前記複数のリールを構成する一のリールは、第一のリール［例えば、左リール１１０］であり、
前記複数のリールを構成する一のリールは、第二のリール［例えば、中リール１１１］であり、
前記報知手段は、第一の報知手段［例えば、左ストップボタンＬＥＤ１３７ａ］と第二の報知手段［例えば、中ストップボタンＬＥＤ１３７ｂ］を含んだ手段であり、
前記第一の報知手段は、前記第一のリールが前記停止可能状態であることを表す第一の報知［例えば、第２発光態様（青色の発光態様）による報知］を実行可能な手段であり、
前記第二の報知手段は、前記第二のリールが前記停止可能状態であることを表す第二の報知［例えば、第２発光態様（青色の発光態様）による報知］を実行可能な手段であり、
第四の場合に、前記第一のリールが、前記第一の報知手段によって前記第一の報知が開始されるよりも前に、前記停止不能状態から前記停止可能状態に移行し、
前記第四の場合における、前記第二の報知が開始される前では前記第二のリールは前記停止不能状態であり、該第二の報知が開始された以降は該第二のリールは前記停止可能状態である、
ことを特徴とする遊技台。』
についても説明した。
【０４６４】
また、
『  前記第四の場合に、前記第二の報知手段によって前記第二の報知が開始されるとともに前記第二のリールが前記停止不能状態から前記停止可能状態に移行することがある［例えば、図３７に示す（ｆ）のタイミング］、
ことを特徴とする遊技台。』
についても説明した。
【０４６５】
また、
『  前記第二のリールは、リールの停止位置を制御可能な状態に、前記複数のリールの中で最も遅いタイミング［例えば、図３７に示す（ｆ）のタイミング］で移行したリールである、
ことを特徴とする遊技台。』
についても説明した。
【０４６６】
また、
『  前記第一の報知手段によって前記第一の報知が開始されるタイミング［例えば、図３７に示す（ｆ）のタイミング］において、前記第二の報知手段による前記第二の報知も開始される、
ことを特徴とする遊技台。』
についても説明した。
【０４６７】
また、
『  前記第四の場合の後に、前記第二のリール［例えば、右リール１１２］の前記ブレーキ制御が開始されていない状態で電断復電［例えば、図３１に示す電断復電］が生じた場合に、該第二のリールが、前記第二の報知手段によって前記第二の報知が開始されるよりも前に、前記停止不能状態から前記停止可能状態に移行する場合がある［例えば、図３１（ｅ’）のタイミング］、
ことを特徴とする遊技台。』
についても説明した。
【０４６８】
また、
「前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第一のリールの前記複数種類の図柄の表示位置を識別するための検知信号を出力する第一の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
前記第一の停止操作手段が操作受付可能であることを示す第一の表示を表示可能な第一の操作受付表示手段と、
前記第二の停止操作手段が操作受付可能であることを示す前記第一の表示を表示可能な第一の操作受付表示手段と、
を備えた遊技台であって、
第二の場合に、前記第一の停止操作手段における前記停止操作の受付開始時期が、前記第一の操作受付表示手段による前記第一の表示の表示開始時期よりも早く、
前記第二の場合おける第三の期間に、前記第二の停止操作手段への操作が行われると、該第二の停止操作手段への操作は無効となり、
前記第二の場合おける前記第三の期間の後の第四の期間に、前記第二の停止操作手段への操作が行われると、該第二の停止操作手段への操作は有効となり、
前記第三の期間とは、前記第二の操作受付表示手段による前記第一の表示の表示がされていない期間であり、
前記第四の期間とは、前記第二の操作受付表示手段による前記第一の表示の表示がされている期間である、
ことを特徴とする遊技台。」
についても説明した。
【０４６９】
この遊技台によれば、第二の操作受付表示手段の表示によって、第一の停止操作手段と第二の停止操作手段のうちの第一の停止操作手段のみ受け付ける期間と両方を受け付ける期間とを示唆できる場合がある。
【０４７０】
また、
「前記第二の場合に、前記第二の停止操作手段における前記停止操作の受付開始時期が、前記第二の操作受付表示手段による前記第一の表示の表示開始時期と同じである、
ことを特徴とする遊技台。」
についても説明した。
【０４７１】
この遊技台によれば、第二の停止操作手段と比べて第一の停止操作手段の操作開始時期を遊技者が早く感じる。
【０４７２】
また、
「前記第一の操作受付表示手段による前記第一の表示の表示開始時期は、前記第二の操作受付表示手段による前記第一の表示の表示開始時期と同じである、
ことを特徴とする遊技台。」
についても説明した。
【０４７３】
この遊技台によれば、第二の停止操作手段と比べて第一の停止操作手段の操作開始時期を遊技者が早く感じる。
【０４７４】
また、
「前記第二の場合の後に電断復電があった場合、前記第二の停止操作手段における前記停止操作の受付開始時期が、前記第二の操作受付表示手段による前記第一の表示の表示開始時期よりも早い場合がある、
ことを特徴とする遊技台。」
についても説明した。
【０４７５】
この遊技台によれば、電断復電の前後で第一の表示よりも早く操作できる操作手段が異なることで遊技にメリハリを与えることができる。
【０４７６】
以上の記載では、
『  複数のリールと、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに１対１の対応関係で設けられ、回転している対応リールが前記停止可能状態であることの報知［例えば、第２発光態様（青色の発光態様）による報知］を実行可能な報知手段［例えば、左ストップボタンＬＥＤ１３７ａ、中ストップボタンＬＥＤ１３８ａ、右ストップボタンＬＥＤ１３９ａ］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
内部当選役を決定する内部当選役決定手段［例えば、図１３に示す入賞役内部抽選処理を実行する主制御部３００］と、
決定された前記内部当選役を示唆する示唆演出［例えば、図３６（Ａ）に示す小役示唆演出］を実行可能な演出手段［例えば、演出画像表示装置１５７（液晶表示装置）］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールのうち、前記報知手段によって前記報知が開始される或るリール［例えば、左リール１１０または中リール１１１］は、該報知が開始される［例えば、図３５に示す（ｆ）のタイミング］よりも前に、停止不能状態から前記停止可能状態に移行する場合があり［例えば、図３５に示す、（ｄ）のタイミングまたは（ｅ）のタイミング］、
前記演出手段は、前記或るリールが前記停止不能状態から前記停止可能状態に移行するよりも前に、前記示唆演出［例えば、図３６（Ａ）における（ａ１）に示す小役示唆演出］の実行を開始する場合［例えば、図３５に示す（ａ）のタイミング］がある手段である、
ことを特徴とする遊技台。』
について説明した。
【０４７７】
この遊技台によれば、上記第二の共通の効果がより有効に発揮される。すなわち、前記示唆演出によって、捨てゲームを把握することができ、捨てゲームの場合には素早いタイミングの停止操作で高速消化することができる。なお、前記示唆演出によって、小役回収のゲームも把握することができ、小役回収のゲームでは、停止操作手段の操作ミスがないように気を付けて操作することもできるようになる。
【０４７８】
なお、前記演出手段は、前記或るリールの前記加速制御が開始されるのと同時に前記示唆演出の実行を開始する手段であってもよいし、前記或るリールが回転を開始すると前記示唆演出の実行を開始する手段であってもよい。
【０４７９】
また、前記演出手段は、前記或るリールが前記停止不能状態から前記停止可能状態に移行するよりも前に、前記示唆演出の実行を必ず開始する手段であってもよい。
【０４８０】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０４８１】
また、
『  前記複数のリールを構成する一のリールは、第一のリール［例えば、左リール１１０］であり、
前記報知手段は、第一の報知手段［例えば、左ストップボタンＬＥＤ１３７ａ］を含んだ手段であり、
前記第一の報知手段は、前記第一のリールが前記停止可能状態であることを表す第一の報知［例えば、第２発光態様（青色の発光態様）による報知］を実行可能な手段であり、
第五の場合［例えば、図３５に示す例の場合］に、前記第一のリールが、前記第一の報知手段によって前記第一の報知が開始されるよりも前に、前記停止不能状態から前記停止可能状態に移行し［例えば、図３５に示す（ｄ）のタイミング］、
前記演出手段は、前記第五の場合に、前記第一のリールが前記停止不能状態から前記停止可能状態に移行するよりも前［例えば、図３５に示す（ａ）のタイミング］に、前記示唆演出の実行を開始する手段である、
ことを特徴とする遊技台。』
についても説明した。
【０４８２】
また、
『  前記複数のリールを構成する一のリールは、第二のリール［例えば、右リール１１２］であり、
前記報知手段は、第二の報知手段［例えば、右ストップボタンＬＥＤ１３９ａ］も含んだ手段であり、
前記第二の報知手段は、前記第二のリールが前記停止可能状態であることを表す第二の報知［例えば、第２発光態様（青色の発光態様）による報知］を実行可能な手段であり、
前記第五の場合に、前記第二の報知手段によって前記第二の報知が開始されるとともに前記第二のリールが前記停止不能状態から前記停止可能状態に移行することがある［例えば、図３５に示す（ｆ）のタイミング］、
ことを特徴とする遊技台。』
についても説明した。
【０４８３】
また、
『  前記第二のリールは、リールの停止位置を制御可能な状態に、前記複数のリールの中で最も遅いタイミング［例えば、図３５に示す（ｆ）のタイミング］で移行したリールである、
ことを特徴とする遊技台。』
についても説明した。
【０４８４】
また、
『  前記第一の報知手段によって前記第一の報知が開始されるタイミング［例えば、図３５に示す（ｆ）のタイミング］において、前記第二の報知手段による前記第二の報知も開始される、
ことを特徴とする遊技台。』
についても説明した。
【０４８５】
また、
『  前記第五の場合の後に、前記第二のリール［例えば、右リール１１２］の前記ブレーキ制御が開始されていない状態で電断復電［例えば、図３１に示す電断復電］が生じた場合に、該第二のリールが、前記第二の報知手段によって前記第二の報知が開始されるよりも前に、前記停止不能状態から前記停止可能状態に移行する場合がある［例えば、図３１（ｅ’）のタイミング］、
ことを特徴とする遊技台。』
についても説明した。
【０４８６】
また、
「複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第一のリールの前記複数種類の図柄の表示位置を識別するための検知信号を出力する第一の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
前記第一の停止操作手段が操作受付可能であることを示す第一の表示を表示可能な第一の操作受付表示手段と、
前記第二の停止操作手段が操作受付可能であることを示す前記第一の表示を表示可能な第一の操作受付表示手段と、
を備えた遊技台であって、
第二の場合に、前記第一の停止操作手段における前記停止操作の受付開始時期が、前記第一の操作受付表示手段による前記第一の表示の表示開始時期よりも早く、
内部当選役を決定する内部当選役決定手段と、
決定された前記内部当選役を示唆する示唆演出を実行可能な演出手段と、
を備え、
前記演出手段は、前記第二の場合に前記示唆演出を実行する場合があり、
前記第二の場合に、前記演出手段による前記示唆演出の実行開始時期が、前記第一の停止操作手段における前記停止操作の受付開始時期よりも早い、
ことを特徴とする遊技台。」
についても説明した。
【０４８７】
この遊技台によれば、捨てゲームは高速消化しつつ、小役回収ゲームでの誤操作を防止することができる。
【０４８８】
また、
「前記第二の場合に、前記第二の停止操作手段における前記停止操作の受付開始時期が、前記第二の操作受付表示手段による前記第一の表示の表示開始時期と同じである、
ことを特徴とする遊技台。」
についても説明した。
【０４８９】
この遊技台によれば、第二の停止操作手段と比べて第一の停止操作手段の操作開始時期を遊技者が早く感じる。
【０４９０】
また、
「前記第一の操作受付表示手段による前記第一の表示の表示開始時期は、前記第二の操作受付表示手段による前記第一の表示の表示開始時期と同じである、
ことを特徴とする遊技台。」
についても説明した。
【０４９１】
この遊技台によれば、第二の停止操作手段と比べて第一の停止操作手段の操作開始時期を遊技者が早く感じる。
【０４９２】
また、
「前記第二の場合の後に電断復電があった場合、前記第二の停止操作手段における前記停止操作の受付開始時期が、前記第二の操作受付表示手段による前記第一の表示の表示開始時期よりも早い場合がある、
ことを特徴とする遊技台。」
についても説明した。
【０４９３】
この遊技台によれば、電断復電の前後で第一の表示よりも早く操作できる操作手段が異なることで遊技にメリハリを与えることができる。
【０４９４】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに１対１の対応関係で設けられ、回転している対応リールが前記停止可能状態であることの報知［例えば、第２発光態様（青色の発光態様）による報知］を実行可能な報知手段［例えば、左ストップボタンＬＥＤ１３７ａ、中ストップボタンＬＥＤ１３８ａ、右ストップボタンＬＥＤ１３９ａ］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
内部当選役を決定する内部当選役決定手段［例えば、図１３に示す入賞役内部抽選処理を実行する主制御部３００］と、
決定された前記内部当選役に対応する停止態様で前記複数のリールを停止可能な指示演出［例えば、図３６（Ｂ）に示すナビ演出］を実行可能な演出手段［例えば、演出画像表示装置１５７（液晶表示装置）］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールのうち、前記報知手段によって前記報知が開始される或るリール［例えば、左リール１１０または中リール１１１］は、該報知が開始される［例えば、図３５に示す（ｆ）のタイミング］よりも前に、停止不能状態から前記停止可能状態に移行する場合があり［例えば、図３５に示す、（ｄ）のタイミングまたは（ｅ）のタイミング］、
前記演出手段は、前記或るリールが前記停止不能状態から前記停止可能状態に移行するよりも前に、前記指示演出の実行として、前記停止操作手段のうちの、該或るリールに対応した停止操作手段の操作指示を含んだ演出［例えば、図３６（Ｂ）における（ａ２）に示すナビ演出］の実行を開始する場合［例えば、図３５に示す（ａ）のタイミング］がある手段である、
ことを特徴とする遊技台。』
について説明した。
【０４９５】
この遊技台によれば、上記第二の共通の効果に加えて他の効果もある。すなわち、前記指示演出に従いながら素早い停止操作を行うことができるばかりか、仮に誤って或る停止操作手段を操作してしまったとしても、その或る停止操作手段に対応したリールが前記停止不能状態であれば、遊技者は入賞のチャンスを失わずにすむ。
【０４９６】
なお、前記演出手段は、前記或るリールが前記停止不能状態から前記停止可能状態に移行するよりも前に、前記指示演出の実行として、前記停止操作手段のうちの、該或るリールに対応した停止操作手段の操作指示を含んだ演出の実行を必ず開始する手段であってもよい。
【０４９７】
また、
『  前記複数のリールを構成するそれぞれのリールが前記停止不能状態から前記停止可能状態に移行していく順番［例えば、図３５に示す例では左リール→中リール→右リールの順番］と、前記指示演出によって指示された、該複数のリールを構成するリールごとに設けられた各停止操作手段を操作する順番［例えば、図３６（Ｂ）に示すナビ演出では右リール→中リール→左リールの順番］とが異なる場合がある、
ことを特徴とする遊技台。』
についても説明した。
【０４９８】
なお、前記複数のリールを構成するそれぞれのリールが前記停止不能状態から前記停止可能状態に移行していく順番と、前記指示演出によって指示された、該複数のリールを構成するリールごとに設けられた各停止操作手段を操作する順番が一致する場合もあり得る。
【０４９９】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０５００】
また、
『  前記複数のリールを構成する一のリールは、第一のリール［例えば、左リール１１０］であり、
前記報知手段は、第一の報知手段［例えば、左ストップボタンＬＥＤ１３７ａ］を含んだ手段であり、
前記第一の報知手段は、前記第一のリールが前記停止可能状態であることを表す第一の報知［例えば、第２発光態様（青色の発光態様）による報知］を実行可能な手段であり、
第五の場合［例えば、図３５に示す例の場合］に、前記第一のリールが、前記第一の報知手段によって前記第一の報知が開始されるよりも前に、前記停止不能状態から前記停止可能状態に移行し［例えば、図３５に示す（ｄ）のタイミング］、
前記演出手段は、前記第五の場合に、前記第一のリールが前記停止不能状態から前記停止可能状態に移行するよりも前［例えば、図３５に示す（ａ）のタイミング］に、前記指示演出の実行として、前記停止操作手段のうちの、前記或るリールに対応した停止操作手段の操作指示を含んだ演出［例えば、図３６（Ｂ）における（ａ２）に示すナビ演出］の実行を開始する手段である、
ことを特徴とする遊技台。』
についても説明した。
【０５０１】
また、
『  前記複数のリールを構成する一のリールは、第二のリール［例えば、右リール１１２］であり、
前記報知手段は、第二の報知手段［例えば、右ストップボタンＬＥＤ１３９ａ］も含んだ手段であり、
前記第二の報知手段は、前記第二のリールが前記停止可能状態であることを表す第二の報知［例えば、第２発光態様（青色の発光態様）による報知］を実行可能な手段であり、
前記第五の場合に、前記第二の報知手段によって前記第二の報知が開始されるとともに前記第二のリールが前記停止不能状態から前記停止可能状態に移行することがある［例えば、図３５に示す（ｆ）のタイミング］、
ことを特徴とする遊技台。』
についても説明した。
【０５０２】
また、
『  前記第二のリールは、リールの停止位置を制御可能な状態に、前記複数のリールの中で最も遅いタイミング［例えば、図３５に示す（ｆ）のタイミング］で移行したリールである、
ことを特徴とする遊技台。』
についても説明した。
【０５０３】
また、
『  前記第一の報知手段によって前記第一の報知が開始されるタイミング［例えば、図３５に示す（ｆ）のタイミング］において、前記第二の報知手段による前記第二の報知も開始される、
ことを特徴とする遊技台。』
についても説明した。
【０５０４】
また、
『  前記第五の場合の後に、前記第二のリール［例えば、右リール１１２］の前記ブレーキ制御が開始されていない状態で電断復電［例えば、図３１に示す電断復電］が生じた場合に、該第二のリールが、前記第二の報知手段によって前記第二の報知が開始されるよりも前に、前記停止不能状態から前記停止可能状態に移行する場合がある［例えば、図３１（ｅ’）のタイミング］、
ことを特徴とする遊技台。』
についても説明した。
【０５０５】
また、
「複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第一のリールの前記複数種類の図柄の表示位置を識別するための検知信号を出力する第一の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
前記第一の停止操作手段が操作受付可能であることを示す第一の表示を表示可能な第一の操作受付表示手段と、
前記第二の停止操作手段が操作受付可能であることを示す前記第一の表示を表示可能な第一の操作受付表示手段と、
を備えた遊技台であって、
第二の場合に、前記第一の停止操作手段における前記停止操作の受付開始時期が、前記第一の操作受付表示手段による前記第一の表示の表示開始時期よりも早く、
内部当選役を決定する内部当選役決定手段と、
決定された前記内部当選役に対応する停止態様で前記複数のリールを停止可能な指示演出を実行可能な演出手段と、
を備え、
前記演出手段は、前記第二の場合に前記指示演出を実行する場合があり、
前記第二の場合における前記指示演出として、前記第一の停止操作手段の操作指示が含まれる場合がある、
ことを特徴とする遊技台。」
についても説明した。
【０５０６】
この遊技台によれば、ナビゲームを早く消化できる。
【０５０７】
また、
「前記第二の場合に、前記第二の停止操作手段における前記停止操作の受付開始時期が、前記第二の操作受付表示手段による前記第一の表示の表示開始時期と同じである、
ことを特徴とする遊技台。」
についても説明した。
【０５０８】
この遊技台によれば、第二の停止操作手段と比べて第一の停止操作手段の操作開始時期を遊技者が早く感じる。
【０５０９】
また、
「前記第一の操作受付表示手段による前記第一の表示の表示開始時期は、前記第二の操作受付表示手段による前記第一の表示の表示開始時期と同じである、
ことを特徴とする遊技台。」
についても説明した。
【０５１０】
この遊技台によれば、第二の停止操作手段と比べて第一の停止操作手段の操作開始時期を遊技者が早く感じる。
【０５１１】
また、
「前記第二の場合の後に電断復電があった場合、前記第二の停止操作手段における前記停止操作の受付開始時期が、前記第二の操作受付表示手段による前記第一の表示の表示開始時期よりも早い場合がある、
ことを特徴とする遊技台。」
についても説明した。
【０５１２】
この遊技台によれば、電断復電の前後で第一の表示よりも早く操作できる操作手段が異なることで遊技にメリハリを与えることができる。
【０５１３】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに１対１の対応関係で設けられ、回転している対応リールが前記停止可能状態であることの報知［例えば、第２発光態様（青色の発光態様）による報知］を実行可能な報知手段［例えば、左ストップボタンＬＥＤ１３７ａ、中ストップボタンＬＥＤ１３８ａ、右ストップボタンＬＥＤ１３９ａ］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールのうち、前記報知手段によって前記報知が開始される或るリール［例えば、左リール１１０または中リール１１１］は、該報知が開始される［例えば、図３９に示す（ｆ）のタイミング］よりも前に、停止不能状態から前記停止可能状態に移行する場合があり［例えば、図３９に示す、（ｄ）のタイミングまたは（ｅ）のタイミング］、
前記リール制御手段は、リール演出［例えば、リールアクション（第１リール演出）あるいは疑似遊技（第２リール演出）］を実行可能な手段であり、
前記リール制御手段は、前記複数のリールを構成するリールごとに、前記リール演出の実行後の回転開始をランダムに遅延させるランダム遅延制御を実行可能な手段［例えば、図３９又は図４０に示す、（ｉ）のタイミングから（ｆ’）のタイミングの間で実行］であり、
前記ランダム遅延制御が行われ回転を開始した前記複数のリールのうちの、前記或るリールとは別のリール［例えば、右リール１１２］は、該別のリールについての前記報知が開始されるよりも前に、前記停止不能状態から前記停止可能状態に移行する場合がある［例えば、図３９又は図４０に示す（ｆ’）のタイミング］、
ことを特徴とする遊技台。』
について説明した。
【０５１４】
すなわち、前記リール演出が実行された前記複数のリールを構成するリールごとに前記ランダム遅延制御が行われ回転を開始した該複数のリールのうち、前記報知手段によって前記報知が開始される、前記或るリールとは別のリール［例えば、右リール１１２］は、該報知が開始されるよりも前に、前記停止不能状態から前記停止可能状態に移行する場合がある［例えば、図３９又は図４０に示す（ｆ’）のタイミング］。
【０５１５】
この遊技台によれば、ランダム遅延制御を搭載した遊技台であっても、上記第二の共通の効果を奏することができ、さらには、ランダム遅延制御を挟んで、リールの状況が変化し、遊技にメリハリを与えることができる。
【０５１６】
なお、前記リール演出は、回転するリールを演出として停止したように見せかける演出であってもよい。
【０５１７】
また、
『  前記リール演出は、前記停止操作手段の操作に応じて停止したように見せかける疑似遊技［例えば、図３９に示す疑似遊技］の演出である、
ことを特徴とする遊技台。』
についても説明した。
【０５１８】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０５１９】
また、
『  前記複数のリールを構成する一のリールは、第一のリール［例えば、左リール１１０］であり、
前記複数のリールを構成する一のリールは、第二のリール［例えば、右リール１１２］であり、
前記報知手段は、第一の報知手段［例えば、左ストップボタンＬＥＤ１３７ａ］と第二の報知手段を含んだ手段であり、
前記第一の報知手段は、前記第一のリールが前記停止可能状態であることを表す第一の報知［例えば、第２発光態様（青色の発光態様）による報知］を実行可能な手段であり、
前記第二の報知手段は、前記第二のリールが前記停止可能状態であることを表す第二の報知［例えば、第２発光態様（青色の発光態様）による報知］を実行可能な手段であり、
第六の場合［例えば、図３９又は図４０に示す例の場合］に、前記第一のリール［例えば、左リール１１０］が、前記第一の報知手段によって前記第一の報知が開始されるよりも前に、前記停止不能状態から前記停止可能状態に移行し［例えば、図３９又は図４０に示す（ｄ）のタイミング］、その後、前記リール演出［例えば、疑似演出あるいはリールアクション］が実行され、
前記第六の場合において、前記リール演出に続いて前記ランダム遅延制御が行われ［例えば、図３９又は図４０に示す、（ｉ）のタイミングから（ｆ’）のタイミングの間で行われ］回転を開始した前記第二のリール［例えば、右リール１１２］は、前記第二の報知が開始されるよりも前に、前記停止不能状態から前記停止可能状態に移行する［例えば、図３９又は図４０に示す（ｆ’）のタイミング］、
ことを特徴とする遊技台。』
についても説明した。
【０５２０】
また、
『  前記第六の場合における前記ランダム遅延制御が行われた後では、前記第一の報知手段によって前記第一の報知が開始されるとともに前記第一のリールが前記停止不能状態から前記停止可能状態に移行することがある［例えば、図３９又は図４０に示す（ｄ’）のタイミング］、
ことを特徴とする遊技台。』
についても説明した。
【０５２１】
なお、前記第六の場合における前記ランダム遅延制御が行われ回転を開始した前記第一リールが、前記第二の報知手段によって前記第二の報知が開始されるのと同時に、前記停止不能状態から前記停止可能状態に移行することがあってもよい。
【０５２２】
また、
『  前記第一のリールは、リールの停止位置を制御可能な状態に、前記複数のリールの中で最も遅いタイミング［例えば、図３９又は図４０に示す（ｄ’）のタイミング］で移行したリールである、
ことを特徴とする遊技台。』
についても説明した。
【０５２３】
また、
『  前記第一の報知手段によって前記第一の報知が開始されるタイミング［例えば、図３９に示す（ｆ）のタイミング、あるいは図３９又は図４０に示す（ｄ’）のタイミング］において、前記第二の報知手段による前記第二の報知も開始される、
ことを特徴とする遊技台。』
についても説明した。
【０５２４】
また、
『  前記第六の場合の後に、前記第二のリール［例えば、右リール１１２］の前記ブレーキ制御が開始されていない状態で電断復電［例えば、図３１に示す電断復電］が生じた場合に、該第二のリールが、前記第二の報知手段によって前記第二の報知が開始されるよりも前に、前記停止不能状態から前記停止可能状態に移行する場合がある［例えば、図３１（ｅ’）のタイミング］、
ことを特徴とする遊技台。』
についても説明した。
【０５２５】
また、
「複数種類の図柄が施された第一のリールと、
複数種類の図柄が施された第二のリールと、
前記第一のリールを回転させる第一のリール回転駆動手段と、
前記第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第一のリールの前記複数種類の図柄の表示位置を識別するための検知信号を出力する第一の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
前記第一の停止操作手段が操作受付可能であることを示す第一の表示を表示可能な第一の操作受付表示手段と、
前記第二の停止操作手段が操作受付可能であることを示す前記第一の表示を表示可能な第一の操作受付表示手段と、
を備えた遊技台であって、
第二の場合に、前記第一の停止操作手段における前記停止操作の受付開始時期が、前記第一の操作受付表示手段による前記第一の表示の表示開始時期よりも早く、
前記リール制御手段は、前記複数のリールの回転開始時期を各リール別にランダムに遅延させるランダム遅延制御を実行可能な手段であり、
前記第二の場合となった第三の遊技の後に前記ランダム遅延制御が実行されると、該第三の遊技の後の第四の遊技において、前記第二の停止操作手段における前記停止操作の受付開始時期が、前記第二の操作受付表示手段による前記第一の表示の表示開始時期よりも早い場合がある、
ことを特徴とする遊技台。」
についても説明した。
【０５２６】
この遊技台によれば、第三の遊技と第四の遊技の各停止操作手段の受付開始時期を異ならせて遊技にメリハリを与えることができる。
【０５２７】
また、
「前記第二の場合に、前記第二の停止操作手段における前記停止操作の受付開始時期が、前記第二の操作受付表示手段による前記第一の表示の表示開始時期と同じである、
ことを特徴とする遊技台。」
についても説明した。
【０５２８】
この遊技台によれば、第二の停止操作手段と比べて第一の停止操作手段の操作開始時期を遊技者が早く感じる。
【０５２９】
また、
「前記第一の操作受付表示手段による前記第一の表示の表示開始時期は、前記第二の操作受付表示手段による前記第一の表示の表示開始時期と同じである、
ことを特徴とする遊技台。」
についても説明した。
【０５３０】
この遊技台によれば、第二の停止操作手段と比べて第一の停止操作手段の操作開始時期を遊技者が早く感じる。
【０５３１】
また、
「前記第二の場合の後に電断復電があった場合、前記第二の停止操作手段における前記停止操作の受付開始時期が、前記第二の操作受付表示手段による前記第一の表示の表示開始時期よりも早い場合がある、
ことを特徴とする遊技台。」
についても説明した。
【０５３２】
この遊技台によれば、電断復電の前後で第一の表示よりも早く操作できる操作手段が異なることで遊技にメリハリを与えることができる。
【０５３３】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールを構成するリールごとに［例えば、図１７に示すリール回転制御処理におけるステップＳ２０８ｃはリールごとに実行されている］、停止不能状態から前記停止可能状態に移行可能であり［例えば、図４２及び図４３に示す、（ｄ）のタイミングにおける左ストップボタン１３７受付可能状態への移行、（ｅ）のタイミングにおける中ストップボタン１３８受付可能状態への移行、（ｆ）のタイミングにおける右ストップボタン１３９受付可能状態への移行］、
第一の期間［例えば、図４２の（え）の矢印で示す期間］では、前記複数のリールを同時に停止させることを狙った前記停止操作手段の同時停止操作が行われると［例えば、図４２に示す（ｈ）のタイミング］、該複数のリールのうちの一部のリールのみ［例えば、左リール１１０のみ］が停止されるのに対し、第二の期間［例えば、図４３の（お）の矢印で示す期間］では、該同時停止操作が行われると［例えば、図４３に示す（ｈ）のタイミング］、該複数のリールの全てが停止される場合がある、
ことを特徴とする遊技台。』
についても説明した。
【０５３４】
この遊技台によれば、同時押しという素早い操作に対応しつつ、一部のリールが停止しない場合もあり、遊技に熱中する遊技者を冷静にさせることができる。
【０５３５】
なお、前記第二の期間では、前記同時停止操作が行われると、前記複数のリールの全てが必ず停止されてもよい（以下においても同じ。）。
【０５３６】
また、前記第二の期間は、前記第一の期間よりも後の期間であってもよい（以下においても同じ。）。
【０５３７】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０５３８】
また、
『  前記複数のリールを構成する一のリールは、第一のリール［例えば、左リール１１０］であり、
前記複数のリールを構成する一のリールは、第二のリール［例えば、中リール１１１］であり、
前記第二の期間では、前記同時停止操作が行われると、前記第一のリールについて前記ブレーキ制御が行われる期間の少なくとも一部の期間と、前記第二のリールについて該ブレーキ制御が行われる期間の少なくとも一部の期間が重なる場合がある、
ことを特徴とする遊技台。』
についても説明した。
【０５３９】
なお、前記第二の期間では、前記同時停止操作が行われると、前記第一のリールについて前記ブレーキ制御が行われる期間の少なくとも一部の期間と、前記第二のリールについて該ブレーキ制御が行われる期間の少なくとも一部の期間が必ず重なってもよい（以下においても同じ。）。
【０５４０】
また、前記停止操作手段は、第一の停止操作手段［例えば、左ストップボタン１３７］と第二の停止操作手段［例えば、中ストップボタン１３８］を含んだ手段であり、前記第一の停止操作手段は、前記第一のリール［例えば、左リール１１０］が停止可能状態で操作されることで、回転している該第一のリールが停止する手段であり、前記第二の停止操作手段は、前記第二のリール［例えば、中リール１１１］が停止可能状態で操作されることで、回転している該第二のリールが停止する手段であってもよい（以下においても同じ。）。
【０５４１】
また、
『  第七の場合［例えば、図４２に示す例の場合］に、前記第一のリールが、前記第二のリールよりも先に、前記停止不能状態から前記停止可能状態に移行し［例えば、図４２（ｄ）のタイミング］、
前記第一の期間［例えば、図４２の（え）の矢印で示す期間］は、前記第七の場合における一部の期間であり、
前記第一の期間では、前記同時停止操作が行われると、前記第一のリールと前記第二のリールのうち該第一のリール［例えば、左リール１１０］のみが停止され、
第八の場合［例えば、図４３に示す例の場合］にも、前記第一のリールが、前記第二のリールよりも先に、前記停止不能状態から前記停止可能状態に移行し［例えば、図４３（ｄ）のタイミング］、
前記第二の期間［例えば、図４３の（お）の矢印で示す期間］は、前記第八の場合における一部の期間であり、
前記第二の期間では、前記同時停止操作が行われると、前記第一のリール［例えば、左リール１１０］も前記第二のリール［例えば、中リール１１１］も停止される、
ことを特徴とする遊技台。』
についても説明した。
【０５４２】
また、
『  前記第一のリール［例えば、左リール１１０］の前記ブレーキ制御が開始されず前記第二のリール［例えば、中リール１１１］の該ブレーキ制御も開始されていない状態で電断復電［例えば、図３１に示す電断復電］が生じた場合に、該第二のリールが、該第一のリールよりも先に、前記停止不能状態から前記停止可能状態に移行する場合がある［例えば、図３１（ｅ’）のタイミング］、
ことを特徴とする遊技台。』
についても説明した。
【０５４３】
また、
「複数種類の図柄が施された第一のリールと、
複数種類の図柄が施された第二のリールと、
該第一のリールを回転させる第一のリール回転駆動手段と、
該第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第二のリールの前記複数種類の図柄の表示位置を識別するための検知信号を出力する第二の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
を備えた遊技台であって、
前記停止操作受付手段は、前記複数の停止操作手段における同時停止操作を受付可能に構成され、
第三の場合に、前記第一の停止操作手段における前記停止操作の受付開始時期が、前記第二の停止操作手段における前記停止操作の受付開始時期よりも早く、
前記第三の場合おける第五の期間に、前記第一の停止操作手段への操作と前記第二の停止操作手段への同時停止操作が行われると、該第二の停止操作手段への操作は無効となり、
前記第三の場合おける前記第五の期間の後の第六の期間に、前記第一の停止操作手段への操作と前記第二の停止操作手段への同時停止操作が行われると、該第二の停止操作手段への操作は有効となる、
ことを特徴とする遊技台。」
についても説明した。
【０５４４】
この遊技台によれば、同時停止操作しても一部が停止しない状況を作って遊技に熱中する遊技者を冷静にさせる。
【０５４５】
また、
「前記第六の期間に前記同時停止操作された場合に、前記第一のリールに対する停止制御が行われる期間の少なくとも一部の期間と前記第二のリールに対する停止制御が行われる期間の少なくとも一部の期間が重なる、
ことを特徴とする遊技台。」
についても説明した。
【０５４６】
また、
「前記第三の場合の後に前記第一の停止操作手段と前記第二の停止操作手段が操作されていない状態で電断復電があった場合、前記第二の停止操作手段における前記停止操作の受付開始時期が、前記第一の停止操作手段における前記停止操作の受付開始時期よりも早い場合がある、
ことを特徴とする遊技台。」
についても説明した。
【０５４７】
この遊技台によれば、電断復電の前後で操作受付順が異なることで遊技にメリハリを与えることができる。
【０５４８】
以上の記載では、
『  複数のリール［例えば、左リール１１０、中リール１１１、および右リール１１２のうちの２以上のリールまたはこれら全てのリール］と、
前記複数のリールを構成するリールごとに１対１の対応関係で設けられ、停止可能状態で操作されることで、回転している対応リールが停止する停止操作手段［例えば、左ストップボタン１３７、中ストップボタン１３８、右ストップボタン１３９］と、
前記複数のリールを構成するリールごとに対して実行される回転制御について、停止状態から定速状態へ移行させる加速制御［例えば、図１１に示す加速制御］、該定速状態を維持する定速制御［例えば、図１１に示す第一定速制御または第二定速制御、あるいは第一定速制御と第二定速制御の組み合わせ］、および該定速状態から該停止状態へ移行させるブレーキ制御［例えば、図１１に示すブレーキ制御］を実行可能に構成されたリール制御手段［例えば、主制御部３００］と、
を備え、
前記複数のリールを構成するリールは、前記停止操作手段が操作されても、前記加速制御が実行されている場合には、停止不能なものであり［例えば、図２１に示す第二定速制御処理でのみストップボタン有効情報が設定される］、
前記リール制御手段は、前記停止可能状態［例えば、対象リールの遮光片をインデックスセンサが検出した状態（図２１に示すステップＳ３１０ｉ）］に移行してから前記ブレーキ制御を実行可能な手段であり、
前記複数のリールを構成するリールごとに［例えば、図１７に示すリール回転制御処理におけるステップＳ２０８ｃはリールごとに実行されている］、停止不能状態から前記停止可能状態に移行可能であり［例えば、図４２及び図４４に示す、（ｄ）のタイミングにおける左ストップボタン１３７受付可能状態への移行、（ｅ）のタイミングにおける中ストップボタン１３８受付可能状態への移行、（ｆ）のタイミングにおける右ストップボタン１３９受付可能状態への移行］、
第一の期間［例えば、図４２の（え）の矢印で示す期間］では、前記複数のリールを同時に停止させることを狙った前記停止操作手段の同時停止操作が行われると［例えば、図４２に示す（ｈ）のタイミング］、該複数のリールのうちの一部のリールのみ［例えば、左リール１１０のみ］が停止されるのに対し、第二の期間［例えば、図４４の（お）の矢印で示す期間］では、該同時停止操作が行われると［例えば、図４４に示す（ｈ）のタイミング］、該複数のリールの全てが停止される場合があり、
前記リール制御手段は、リール演出［例えば、リール同時演出］を実行可能な手段であり、
前記リール制御手段は、前記複数のリールを構成するリールごとに、回転開始をランダムに遅延させるランダム遅延制御を実行可能な手段であり［例えば、図４４に示す、（ｉ）のタイミングから（ｆ’）のタイミングの間で実行］、
前記複数のリールのうち或るリール［例えば、左リール１１０］が最初に前記停止不能状態から前記停止可能状態に移行［例えば、図４４に示す（ｄ）のタイミング］した後、前記リール演出が実行され［例えば、図４４に示す（ｈ）のタイミング］、前記ランダム遅延制御が行われることで該複数のリールが回転を開始すると［例えば、図４４に示す、（ｉ）のタイミングから（ｆ’）のタイミングの間］、該複数のリールのうち、該或るリールとは別のリール［例えば、右リール１１２］が最初に該停止不能状態から該停止可能状態に移行する場合がある［例えば、図４４に示す（ｆ’）のタイミング］、
ことを特徴とする遊技台。』
について説明した。
【０５４９】
この遊技台によっても、同時押しという素早い操作に対応しつつ、一部のリールが停止しない場合もあり、遊技に熱中する遊技者を冷静にさせることができる。加えてランダム遅延制御を挟んで、リールの状況が変化し、遊技にメリハリを与えることができる。
【０５５０】
なお、前記リール演出は、回転する前記複数のリールを演出として同時［例えば、図４４に示す（ｈ）のタイミング］に停止したように見せかけるリール同時演出であってもよい。
【０５５１】
また、
『  前記停止不能状態とは、リールの停止位置を制御不能な状態のことであり、
前記停止可能状態とは、前記定速状態においてリールの停止位置を制御可能な状態［例えば、遮光片が検出されると、リールが１回転したものと判断し、リールの回転位置情報をゼロにリセットし、リールの停止位置を算出可能になる］のことである、
ことを特徴とする遊技台。』
についても説明した。
【０５５２】
また、
『  前記複数のリールを構成する一のリールは、第一のリール［例えば、左リール１１０］であり、
前記複数のリールを構成する一のリールは、第二のリール［例えば、中リール１１１］であり、
前記第二の期間では、前記同時停止操作が行われると、前記第一のリールについて前記ブレーキ制御が行われる期間の少なくとも一部の期間と、前記第二のリールについて該ブレーキ制御が行われる期間の少なくとも一部の期間が重なる場合がある、
ことを特徴とする遊技台。』
についても説明した。
【０５５３】
また、
『  第七の場合［例えば、図４２に示す例の場合］に、前記第一のリールが、前記第二のリールよりも先に、前記停止不能状態から前記停止可能状態に移行し［例えば、図４２（ｄ）のタイミング］、
前記第七の場合では、前記同時停止操作が行われると、前記第一のリールと前記第二のリールのうち該第一のリール［例えば、左リール１１０］のみが停止され［例えば、図４２に示す（ｈ）のタイミング］、
第八の場合［例えば、図４３に示す例の場合］にも、前記第一のリールが、前記第二のリールよりも先に、前記停止不能状態から前記停止可能状態に移行し［例えば、図４３（ｄ）のタイミング］、
前記第八の場合では、前記同時停止操作が行われると、前記第一のリール［例えば、左リール１１０］も前記第二のリール［例えば、中リール１１１］も停止される［例えば、図４２に示す（ｈ）のタイミング］、
ことを特徴とする遊技台。』
についても説明した。
【０５５４】
また、
『  前記第一のリール［例えば、左リール１１０］の前記ブレーキ制御が開始されず前記第二のリール［例えば、中リール１１１］の該ブレーキ制御も開始されていない状態で電断復電が生じた場合に、該第二のリールが、該第一のリールよりも先に、前記停止不能状態から前記停止可能状態に移行する場合がある［例えば、図３１（ｅ’）のタイミング］、
ことを特徴とする遊技台。』
についても説明した。
【０５５５】
また、
「複数種類の図柄が施された第一のリールと、
複数種類の図柄が施された第二のリールと、
該第一のリールを回転させる第一のリール回転駆動手段と、
該第二のリールを回転させる第二のリール回転駆動手段と、
回転する前記第一のリールを停止させるための停止操作を受け付ける第一の停止操作手段と、
回転する前記第二のリールを停止させるための停止操作を受け付ける第二の停止操作手段と、
前記第一のリールの前記複数種類の図柄の表示位置を識別するための検知信号を出力する第一の図柄位置検知手段と、
前記第二のリールの前記複数種類の図柄の表示位置を識別するための検知信号を出力する第二の図柄位置検知手段と、
前記第一のリールと前記第二のリールを含む複数のリールの各々に対して実行される回転制御について、定速状態へ移行させる加速制御、該定速状態を維持する定速制御、および停止状態へ移行させる停止制御を実行可能に構成されたリール制御手段と、
前記第一の停止操作手段と前記第二の停止操作手段を含む複数の停止操作手段のうちのいずれかにおける前記停止操作を受付可能とするか否かを判定する停止操作受付判定手段と、
前記停止操作受付判定手段による判定の結果に基づいて前記複数の停止操作手段のうちのいずれかを制御する停止操作制御手段と、
を備えた遊技台であって、
前記停止操作受付手段は、前記複数の停止操作手段における同時停止操作を受付可能に構成され、
第三の場合に、前記第一の停止操作手段における前記停止操作の受付開始時期が、前記第二の停止操作手段における前記停止操作の受付開始時期よりも早く、
前記第三の場合おける第五の期間に、前記第一の停止操作手段への操作と前記第二の停止操作手段への同時停止操作が行われると、該第二の停止操作手段への操作は無効となり、
前記第三の場合おける前記第五の期間の後の第六の期間に、前記第一の停止操作手段への操作と前記第二の停止操作手段への同時停止操作が行われると、該第二の停止操作手段への操作は有効となり、
前記リール制御手段は、前記複数のリールの回転開始時期を各リール別にランダムに遅延させるランダム遅延制御を実行可能な手段であり、
前記第三の場合となった第五の遊技の後に前記ランダム遅延制御が実行されると、該第五の遊技の後の第六の遊技において、前記第二の停止操作手段における前記停止操作の受付開始時期が、前記第一の停止操作手段における前記停止操作の受付開始時期よりも早くなる場合がある、
ことを特徴とする遊技台。」
についても説明した。
【０５５６】
この遊技台によれば、第五の遊技と第六の遊技の各停止操作手段の受付開始時期を異ならせて遊技にメリハリを与える。
【０５５７】
また、
「前記第六の期間に前記同時停止操作された場合に、前記第一のリールに対する停止制御が行われる期間の少なくとも一部の期間と前記第二のリールに対する停止制御が行われる期間の少なくとも一部の期間が重なる、
ことを特徴とする遊技台。」
についても説明した。
【０５５８】
また、
「前記第三の場合の後に前記第一の停止操作手段と前記第二の停止操作手段が操作されていない状態で電断復電があった場合、前記第二の停止操作手段における前記停止操作の受付開始時期が、前記第一の停止操作手段における前記停止操作の受付開始時期よりも早い場合がある、
ことを特徴とする遊技台。」
についても説明した。
【０５５９】
この遊技台によれば、電断復電の前後で操作受付順が異なることで遊技にメリハリを与える。
【０５６０】
以上説明した「第一の〜」、「第二の〜」、「第三の〜」・・・といった識別用の接頭語は、適宜入れ替えてもよい。例えば、「第七の場合」を「第一の場合」にしてもよい。
【０５６１】
以上、本発明の実施の形態について説明してきたが、いずれの形態も遊技機特有の格別な効果を奏している。本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【符号の説明】
【０５６２】
１００  スロットマシン
１１０  左リール
１１１  中リール
１１２  右リール
１１３  図柄表示窓
１３０、１３１、１３２  メダル投入ボタン
１３５  スタートレバー
１３７  左ストップボタン
１３８  中ストップボタン
１３９  右ストップボタン
１３７ａ  左ストップボタンＬＥＤ
１３８ａ  中ストップボタンＬＥＤ
１３９ａ  右ストップボタンＬＥＤ
１５７  演出画像表示装置
３００  主制御部
４００  第１副制御部
５００  第２副制御部
６０６Ａ  インデックスセンサ
６１２Ｄ  遮光片
【要約】      （修正有）【課題】遊技者のストレスを低減することができる遊技台を提供する。【解決手段】複数のリールと、複数のリールを構成するリールごとに１対１の対応関係で設けられ、停止可能状態で操作されることで、回転している対応リールが停止する停止操作手段と、複数のリールを構成するリールごとに対して実行される回転制御について、停止状態から定速状態へ移行させる加速制御、該定速状態を維持する定速制御、および該定速状態から該停止状態へ移行させるブレーキ制御を実行可能に構成されたリール制御手段と、を備え、複数のリールを構成するリールは、停止操作手段が操作されても、加速制御が実行されている場合には、停止不能なものであり、リール制御手段は、停止可能状態に移行してからブレーキ制御を実行可能な手段であり、複数のリールを構成するリールごとに、停止不能状態から停止可能状態に移行可能である。【選択図】図２８【図１】
0006817662.tif 000002
【図２】
0006817662.tif 000003
【図３】
0006817662.tif 000004
【図４】
0006817662.tif 000005
【図５】
0006817662.tif 000006
【図６】
0006817662.tif 000007
【図７】
0006817662.tif 000008
【図８】
0006817662.tif 000009
【図９】
0006817662.tif 000010
【図１０】
0006817662.tif 000011
【図１１】
0006817662.tif 000012
【図１２】
0006817662.tif 000013
【図１３】
0006817662.tif 000014
【図１４】
0006817662.tif 000015
【図１５】
0006817662.tif 000016
【図１６】
0006817662.tif 000017
【図１７】
0006817662.tif 000018
【図１８】
0006817662.tif 000019
【図１９】
0006817662.tif 000020
【図２０】
0006817662.tif 000021
【図２１】
0006817662.tif 000022
【図２２】
0006817662.tif 000023
【図２３】
0006817662.tif 000024
【図２４】
0006817662.tif 000025
【図２５】
0006817662.tif 000026
【図２６】
0006817662.tif 000027
【図２７】
0006817662.tif 000028
【図２８】
0006817662.tif 000029
【図２９】
0006817662.tif 000030
【図３０】
0006817662.tif 000031
【図３１】
0006817662.tif 000032
【図３２】
0006817662.tif 000033
【図３３】
0006817662.tif 000034
【図３４】
0006817662.tif 000035
【図３５】
0006817662.tif 000036
【図３６】
0006817662.tif 000037
【図３７】
0006817662.tif 000038
【図３８】
0006817662.tif 000039
【図３９】
0006817662.tif 000040
【図４０】
0006817662.tif 000041
【図４１】
0006817662.tif 000042
【図４２】
0006817662.tif 000043
【図４３】
0006817662.tif 000044
【図４４】
0006817662.tif 000045